(57)【特許請求の範囲】
【請求項１】
個体が肺癌を有するか又は有さないかの診断を補助するための、又は個体における肺癌に関する情報を提供するための、方法であって：
個体からの生体試料においてバイオマーカータンパク質ＭＭＰ−１２、及びＣ９、ＭＭＰ−７、ＥＲＢＢ１及びＳＣＦ ｓＲから選択される少なくとも一つのバイオマーカーを検出し、バイオマーカータンパク質にそれぞれ対応するバイオマーカー値を与えることを含んでなり、ここで前記バイオマーカー値は、個体が肺癌を有する又は有さない可能性について表示するか、又は前記バイオマーカー値は、該個体中の肺癌に関する情報を提供する、前記方法。
【請求項２】
バイオマーカー値を検出することが in vitro アッセイを実施することを含む、請求項１の方法。
【請求項３】
前記 in vitro アッセイが前記バイオマーカーのそれぞれに対応する少なくとも１つの捕捉試薬を含み、そして前記少なくとも１つの捕捉試薬をアプタマー及び抗体からなる群より選択することをさらに含んでなる、請求項２の方法。
【請求項４】
前記 in vitro アッセイが、イムノアッセイ、アプタマーベースのアッセイ、及び組織学的又は細胞学的アッセイからなる群より選択される、請求項２又は３の方法。
【請求項５】
それぞれのバイオマーカー値を既定値又は既定値範囲に基づいて評価する、請求項１〜４のいずれかの方法。
【請求項６】
生体試料が肺組織であって、ここでバイオマーカー値は、前記肺組織の組織学的又は細胞学的分析より導かれる、請求項１〜５のいずれかの方法。
【請求項７】
生体試料が、全血、血漿、及び血清からなる群より選択される、請求項１〜６のいずれかの方法。
【請求項８】
個体が喫煙者である、請求項１〜７のいずれかの方法。
【請求項９】
個体が肺結節を有する、請求項１〜８のいずれかの方法。
【請求項１０】
肺癌が非小細胞肺癌である、請求項１〜９のいずれかの方法。
【請求項１１】
情報が、予後判定、癌分類、疾患リスクの予測、又は治療法の選択を含む、請求項１〜１０のいずれか一項の方法。
【請求項１２】
肺癌の可能性を示すためのコンピュータで実行される方法であって：
コンピュータ上でバイオマーカー情報を個体のために検索すること、ここで該バイオマーカー情報は、バイオマーカータンパク質ＭＭＰ−１２、及びＣ９、ＭＭＰ−７、ＥＲＢＢ１及びＳＣＦ ｓＲから選択される少なくとも一つのバイオマーカーにそれぞれ対応するバイオマーカー値を含む；
前記バイオマーカー値のそれぞれの分類をコンピュータで実施すること；及び
複数の分類に基づいて、前記個体が肺癌を有する可能性を示すことを含んでなる、前記方法。
【請求項１３】
個体が肺癌を有するか又は有さないかの診断を補助するための、又は個体における肺癌に関する情報を提供するための、方法であって：
個体からの生体試料においてバイオマーカータンパク質ＭＭＰ−１２、及びＣ９、ＭＭＰ−７、ＥＲＢＢ１及びＳＣＦ ｓＲから選択される少なくとも一つのバイオマーカーを検出し、該バイオマーカータンパク質にそれぞれ対応するバイオマーカー値を与えることを含んでなり、ここで前記バイオマーカー値は、個体が肺癌を有する又は有さない可能性について表示する、前記方法。
【請求項１４】
バイオマーカー値を検出することが in vitro アッセイを実施することを含む、請求項１３の方法。
【請求項１５】
前記 in vitro アッセイが前記バイオマーカーのそれぞれに対応する少なくとも１つの捕捉試薬を含み、そして前記少なくとも１つの捕捉試薬をアプタマー及び抗体からなる群より選択することをさらに含んでなる、請求項１４の方法。
【請求項１６】
前記 in vitro アッセイが、イムノアッセイ、アプタマーベースのアッセイ、及び組織学的又は細胞学的アッセイからなる群より選択される、請求項１４又は１５の方法。
【請求項１７】
それぞれのバイオマーカー値を既定値又は既定値範囲に基づいて評価する、請求項１３〜１６のいずれかの方法。
【請求項１８】
生体試料が肺組織であって、ここでバイオマーカー値は、前記肺組織の組織学的又は細胞学的分析より導かれる、請求項１３〜１７のいずれかの方法。
【請求項１９】
生体試料が、全血、血漿、及び血清からなる群より選択される、請求項１３〜１８のいずれかの方法。
【請求項２０】
個体が喫煙者である、請求項１３〜１９のいずれかの方法。
【請求項２１】
個体が肺結節を有する、請求項１３〜２０のいずれかの方法。
【請求項２２】
肺癌が非小細胞肺癌である、請求項１３〜２１のいずれかの方法。
【請求項２３】
情報が、予後判定、癌分類、疾患リスクの予測、又は治療法の選択を含む、請求項１３〜２２のいずれか一項の方法。
【請求項２４】
肺癌の可能性を示すためのコンピュータにより実行される方法であって：
コンピュータ上でバイオマーカー情報を個体のために検索すること、ここで該バイオマーカー情報は、バイオマーカータンパク質ＭＭＰ−１２、及びＣ９、ＭＭＰ−７、ＥＲＢＢ１及びＳＣＦ ｓＲから選択される少なくとも一つのバイオマーカーにそれぞれ対応するバイオマーカー値を含み；
前記バイオマーカー値のそれぞれの分類をコンピュータで実施すること；及び
複数の分類に基づいて、前記個体が肺癌を有する可能性を示すことを含んでなる、前記方法。
【請求項２５】
個体が肺癌を有する可能性を示すことがその可能性をコンピュータディスプレイ上に表示することを含む、請求項２４の方法。
【発明の詳細な説明】
【技術分野】
【０００１】
（関連出願
[0001]  本出願は、そのいずれも「肺癌バイオマーカーとその使用」と題する、米国仮特許出願シリアル番号６１／３６３，１２２（２０１０年７月９日出願）及び米国仮特許出願シリアル番号６１／４４４，９４７（２０１１年２月２１日出願）の利益を請求する。上記出願のそれぞれは、すべての目的のために、その全体が参照により本明細書に組み込まれる。）
技術分野
[0002]  本出願は、個体におけるバイオマーカーの検出と癌の診断に概して関して、より具体的には、個体において癌、より特別には肺癌を診断するための１以上のバイオマーカー、方法、デバイス、試薬、システム、及びキットに関する。
【背景技術】
【０００２】
[0003]  以下の記載は、本出願に関連した情報の概要を提供するものであって、本明細書において提供される情報又は参照される刊行物のいずれもが本出願の先行技術であるとする自認ではない。
【０００３】
[0004]  肺癌は、依然として、癌関連死亡率の最も一般的な原因である。このことは、男性と女性の両方に当てはまる。２００５年度の米国において、肺癌は、乳癌、前立腺癌、及び結腸癌の合計より多くの死亡の原因であった。その年度において、１０７，４１６人の男性と８９，２７１人の女性が肺癌と診断されて、９０，１３９人の男性と６９，０７８人の女性が肺癌で死亡した。米国の男性の間で、肺癌は、白人、黒人、アジア系／太平洋の島民、北米インディアン／アラスカ原住民、及びヒスパニックの男性の間で二番目に多い癌である。米国の女性の間で、肺癌は、白人、黒人、及び北米インディアン／アラスカ原住民の女性の間で二番目に多い癌であり、そしてアジア系／太平洋の島民とヒスパニックの女性の間で三番目に多い癌である。喫煙を止めない人々では、肺癌による死亡の確率は１５％であって、５０〜５９歳で止めた人々でさえ、５％より高いままである。肺癌の年間医療費は、米国だけで９５０億ドルである。
【０００４】
[0005]  喫煙により引き起こされる肺癌の９１パーセントは、非小細胞肺癌（ＮＳＣＬＣ）であり、これはすべての肺癌のほぼ８７％を占める。すべての肺癌の残る１３％は、小細胞肺癌であるが、混合細胞肺癌も実際に生じる。小細胞肺癌は稀で、急速に致死的になるので、早期検出の機会に乏しい。
【０００５】
[0006]  ＮＳＣＬＣには３つの主要な型：扁平上皮癌、大細胞癌、及び腺癌がある。腺癌は、最も一般的な肺癌の型（３０％〜４０％であって、５０％ほどに高いと報告されている）であり、喫煙者と非喫煙者の両方で最も頻繁に見出される肺癌である。扁平上皮癌は、すべての肺癌の２５〜３０％を占めて、一般的には、近位気管支において見出される。初期のＮＳＣＬＣは、局在化する傾向があるので、早期に検出されれば、それはしばしば外科手術によって、好ましいアウトカムと改善された生存を伴って治療することができる。他の治療オプションには、放射線治療、薬物療法、及びこれらの方法の組合せが含まれる。
【０００６】
[0007]  ＮＳＣＬＣは、腫瘍のサイズとリンパ節が含まれる他の組織におけるその存在によって病期決定される。潜伏期では、癌細胞が喀痰試料又は洗浄試料に見出され、肺に腫瘍は検出されない。０期では、肺の最深部の裏層だけが癌細胞を表出して、腫瘍は裏層を貫くほどは成長していない。ＩＡ期では、癌は浸潤性とみなされて、肺組織中へ深く成長しているが、腫瘍は幅３ｃｍ未満である。この病期では、腫瘍は気管支にもリンパ節にも見出されない。ＩＢ期では、腫瘍は、幅３ｃｍより大きいか、又は気管支又は胸膜の中へ成長しているが、リンパ節中へは成長していない。ＩＩＡ期では、腫瘍は幅３ｃｍより大きくて、リンパ節中へ成長したところである。ＩＩＢ期では、腫瘍はすでにリンパ節に見出されていて幅３ｃｍより大きいか、又は気管支又は胸膜の中へ成長している；又は癌は、リンパ節にはないものの、胸壁、横隔膜、胸膜、気管支、又は心臓を囲む組織に見出される。ＩＩＩＡ期では、癌細胞が肺及び気管支の近くのリンパ節と両肺の間のリンパ節に見出されるが、腫瘍が定位される胸部の片側においてである。ＩＩＩＢ期では、腫瘍のある胸部の反対側と頚部に癌細胞が定位される。肺付近の他の臓器も癌細胞を有する場合があり、肺の１葉に多数の腫瘍が見出される場合がある。ＩＶ期では、同一肺又は両肺の１以上の葉に腫瘍が見出され、身体の他の部分に癌細胞が見出される。
【０００７】
[0008]  肺癌の診断の現行法には、癌性細胞についての喀痰検査、胸部Ｘ線検査、気道の光ファイバー評価、及び低線量スパイラルコンピュータ断層撮影法（ＣＴ）が含まれる。喀痰細胞学は、きわめて感度が低い。胸部Ｘ線検査も相対的に低感度であり、見えるためには、病変のサイズが１ｃｍより大きいことが求められる。気管支鏡法では、気管支鏡へ接近し得る気道の内側で腫瘍が見えることが求められる。最も広く認知されている診断法はＣＴであるが、Ｘ線と共通して、ＣＴの使用にはイオン化放射線を伴い、それ自体が癌を引き起こす可能性がある。ＣＴには重大な限界もある：このスキャンには、解釈するのに高いレベルの技術スキルが求められ、観察される異常の多くは実は肺癌でないので、ＣＴ所見を追跡することには実質的な医療コストが負担される。ごくありふれた偶発所見は、良性の肺結節である。
【０００８】
[0009]  肺結節は、肺の内部に定位される、相対的に丸い病変、又は異常組織の領域であり、サイズは多様であり得る。肺結節は、良性又は癌性であり得るが、ほとんどは良性である。結節が４ｍｍ未満であれば、罹患率は１．５％にすぎず、４〜８ｍｍであれば、罹患率はほぼ６％であり、そして２０ｍｍ以上であれば、発病率はほぼ２０％である。小サイズ及び中サイズの結節では、患者は３ヶ月〜１年以内に再スキャンを受けるように勧められる。多くの大結節では、患者は、そのほとんどが良性であるとしても、生検（侵襲性であって、合併症をもたらす場合もある）を受けるものである。
【０００９】
[0010]  故に、実施される外科的処置の件数を減らして、外科合併症のリスクを最小化するために、ＣＴに換わるか又はその補足となり得る診断法が必要とされている。加えて、肺結節が非存在であるか又は不明であるときでも、患者アウトカムを改善するために肺癌をその早期に検出する方法が必要とされている。肺癌症例の８４％が、５年生存率が１３％にすぎない後期で診断されるのと対照的に、５年生存率が４６％である、局在化した初期癌として診断される肺癌症例は１６％にすぎない。このことは、症状の多くは他の肺疾患に共通しているので、診断を症状に依拠することは有用でないことを示している。これらの症状には、持続性の空咳、血痰、胸痛、及び回帰性の気管支炎又は肺炎が含まれる。
【００１０】
[0011]  癌の早期診断の方法が存在する場合、その利益は医学界に概して受け容れられている。広く利用されているスクリーニングプロトコールがある癌では、肺癌の１６％に対して、乳癌（８８％）及び結腸癌（６５％）のように、最高の５年生存率がある。しかしながら、その癌がスクリーニングによりＩ期で診断されるならば、肺癌患者の８８％が１０年以上長く生存する。このことは、初期のＮＳＣＬＣを確実に検出することができる診断法への明瞭なニーズを示している。
【００１１】
[0012]  健常状態から疾患への進行には、罹病組織におけるタンパク質発現の変化が伴う。健常組織と罹病組織におけるヒトプロテオームの比較調査は、疾患の生物学への洞察を提供して、診断用バイオマーカーの発見、治療介入の新たな標的、及び標的指向型の治療より利益を得る可能性が最も高い患者の同定をもたらすことができる。特定の病態へのバイオマーカー選択には、第一に、対照集団に比較して疾患集団において測定可能で統計学的に有意な差があるマーカーを特定の医療応用のために同定することを伴う。バイオマーカーには、疾患の発達又は進行に並行して、病変へ応答して肺組織又は遠位組織より血流へすぐに拡散される、分泌又は流出される分子を含めることができる。同定されるバイオマーカー又はバイオマーカーのセットは、一般的には、それが選択された当初の企図された使用のために信頼し得る指標であることが臨床的に検証されるか又は示される。バイオマーカーには、低分子、ペプチド、タンパク質、及び核酸を含めることができる。バイオマーカーの同定に影響を及ぼす主要課題のいくつかには、利用可能なデータの過剰適合とデータ中の偏りが含まれる。
【００１２】
[0013]  バイオマーカーを同定して疾患を診断する試みにおいて、多様な方法が利用されてきた。タンパク質ベースのマーカーでは、これらに、二次元電気泳動、質量分析、及びイムノアッセイの方法が含まれる。核酸マーカーでは、これらに、ｍＲＮＡ発現プロファイル、ミクロＲＮＡプロファイル、ＦＩＳＨ、遺伝子発現の連続分析（ＳＡＧＥ）、及びラージスケール遺伝子発現アレイが含まれる。
【００１３】
[0014]  二次元電気泳動の有用性は、低い検出感度；タンパク質の可溶性、電荷、及び疎水性に伴う課題；ゲルの再現性；及び単一スポットが多数のタンパク質を表す可能性によって制限される。質量分析法では、使用するフォーマットに依存して、試料の処理及び分離、低存在量タンパク質への感度、シグナル／ノイズへの考慮、並びに、検出タンパク質を即座に同定し得ないことに絡む限界がある。バイオマーカー探索に対するイムノアッセイアプローチの限界は、抗体ベースのマルチプレックスアッセイが多数の分析物を測定し得ないことに集中している。高品質抗体のアレイを印字して、サンドイッチ法を伴わずに、その抗体へ結合した分析物を測定すればいいように見える（これは、生物又は細胞中のすべてのＤＮＡ又はＲＮＡ配列をハイブリダイゼーションによって測定するのに全ゲノムの核酸配列を使用するのと形式上は同等であろう。ハイブリダイゼーション実験が奏効するのは、ハイブリダイゼーションが厳密な同定検査法であり得るからである。どんなに優れた抗体であっても、血液ましてや細胞抽出物の状況で作用するその結合パートナーを選択するのに十分に厳密ではない。なぜなら、そのようなマトリックス中のタンパク質の集合は、きわめて異なる存在度を有するからである）。従って、バイオマーカー探索へのイムノアッセイベースのアプローチとは異なるアプローチを使用しなければならない。どの分析物が本当にバイオマーカーであるかを決定するのに十分な厳密性をもって、多くの分析物を同時に測定するには、多重化ＥＬＩＳＡアッセイ（即ち、サンドイッチ法）を使用することが必要になろう。サンドイッチイムノアッセイは、高含量へ調整されないので、標準的なアレイフォーマットを使用しては、厳密なサンドイッチイムノアッセイを使用するバイオマーカーの探索は、可能でない。最後に、抗体試薬は、実質的なロット変動性と試薬の不安定性を受け易い。タンパク質バイオマーカー探索のための即時プラットフォームは、この問題を克服する。
【００１４】
[0015]  上記方法の多くは、分析に先立つある種の試料分画に依拠するか又はそれを必要とする。従って、詳細に明らかにされた一連の標本集団において統計学的に意義のあるバイオマーカーを同定／発見するように設計された十分に有能な（powered）試験を実施するのに求められる試料調製は、きわめて困難で、高価で、時間浪費的である。分画の間には、その様々な試料へ広範囲の変動性が持ち込まれる可能性がある。例えば、ある潜在的なマーカーがこの方法に対して不安定であり得る、マーカーの濃度が変化し得る、不適正な凝集又は脱凝集が起こり得る、そして不都合な試料汚染が生じ得て、それにより初期の疾患において予期される微妙な変化が不明瞭になるかもしれない。
【００１５】
[0016]  上記の技術を使用するバイオマーカー探索及び検出の方法には、診断用バイオマーカーの同定にとって重大な限界があることが広く受け容れられている。これらの限界には、低存在度のバイオマーカーを検出し得ないこと、プロテオームの動的範囲全体を首尾一貫して網羅し得ないこと、試料処理及び分画における非再現性、そして方法の全般的な非再現性と確実性の不足が含まれる。さらに、上記の試験法は、標的疾患集団内のバイオマーカーを同定して検証するのに必要とされる割付（distribution）及び無作為化に関して、データへ偏りを導入して、適正な対照を含めて、標本集団の複雑性へ十分に対処してこなかった。
【００１６】
[0017]  新しくて有効なバイオマーカーの発見を目指した努力が数十年間続いてきたが、その努力は概ね不首尾であった。典型的には、様々な疾患のバイオマーカーは、大学の研究室において、通常はある疾患プロセスに関する基礎研究をしている間の偶然の発見により同定されてきた。この発見と少量の臨床データに基づいて、新たなバイオマーカーの同定を示唆する種々の論文が公表されてきた。しかしながら、これらの提唱されたバイオマーカーのほとんどは、主として、検証した臨床試料の数が少ないために、有効なバイオマーカーが本当に見出されたとする統計学的な証拠がきわめて乏しいという理由から、真の、又は有用なバイオマーカーとして確定されていない。即ち、初期の同定は、統計学の基本要素に関して厳密ではなかったのである。１９９４年〜２００３年の各年において科学文献を検索すると、バイオマーカーへ指向された数千もの文献が公表されたことがわかる。しかしながら、その同じ時間枠の間にＦＤＡが診断使用を承認した新たなタンパク質バイオマーカーは１年でせいぜい３つであり、新たなタンパク質バイオマーカーが承認されなかったときも数年ある。
【００１７】
[0018]  この失敗したバイオマーカー探索の努力の歴史に基づいて、疾患用のバイオマーカーは稀で、見つけることが難しいとする一般的な理解をさらに増進させる数学理論が提唱されてきた。２Ｄゲル又は質量分析法に基づいたバイオマーカー研究は、上記の概念を裏付ける。これらのアプローチによって同定された有用なバイオマーカーはほとんどない。しかしながら、２Ｄゲルや質量分析法が血中にほぼ１ｎＭ以上の濃度で存在するタンパク質を測定すること、そしてこのタンパク質の集合体が疾患に伴って変化する可能性が多分ほとんどないことは、通常見過ごされている。即時バイオマーカー探索プラットフォーム以外には、タンパク質発現レベルをずっと低い濃度で正確に測定することが可能であるプロテオミックバイオマーカー探索プラットフォームは存在しない。
【００１８】
[0019]  複雑なヒトの生物学の生化学経路について多くのことが知られている。多くの生化学経路は、病態の内部で局所的に作用する分泌タンパク質に到達するか、又はそれによって始動される。例えば、成長因子が分泌されて他の細胞の複製を病態において刺激する、そして他の因子が分泌されて免疫系を回避する、といった具合である。これら分泌タンパク質の多くは傍分泌の形式で作用するが、身体において遠位で機能するものもある。生化学経路の基礎的な理解がある当業者ならば、多くの病態特異的タンパク質が２Ｄゲルや質量分析法の検出限界より低い（なおさらに低い）濃度で血中に存在するはずであると理解されよう。この相対的に豊富な数の疾患バイオマーカーの同定に先行しなければならないものは、２Ｄゲル又は質量分析法によって検出可能な濃度未満の濃度でタンパク質を分析することができるプロテオミックプラットフォームである。
【００１９】
[0020]  従って、（ａ）良性肺結節の悪性肺結節からの差別化；（ｂ）肺癌バイオマーカーの検出；及び（ｃ）肺癌の診断を可能にする、バイオマーカー、方法、デバイス、試薬、システム、及びキットへのニーズが存在する。
【００２０】
[0021]  このニーズに適うために、少量の血漿又は血清試料より数千のタンパク質を同時に測定することが可能である、バイオマーカー探索用の新規なアプタマーベースのプロテオミック技術が開発されてきた（例えば、米国特許出願公開公報２０１０／００７０１９１号；米国特許出願公開公報２０１０／００８６９４８号、Ostroff et al. Nature Precedings, http://precedings.nature.com/documents/4537/version/1(2010)；Gold et al. Nature Precedings, http://precedings.nature.com/documents/4538/version/1 (2010) を参照のこと）。ＳＯＭＡスキャンと呼ばれるこの技術は、アプタマーが選択される大きな無作為化核酸ライブラリーの物理化学的多様性を大いに拡張させる、化学的に修飾されたヌクレオチドを含有する新世代の遅いオフ速度アプタマー（ＳＯＭＡマー）によって可能になる（米国特許第７，９４７，４４７号を参照のこと）。そのような修飾は、ＳＥＬＥＸと適合可能であり、タンパク質−タンパク質相互作用、抗体−抗原相互作用、及び低分子薬とそのタンパク標的の間の相互作用にしばしば見出される官能基をアプタマーへ導入する。全体的には、これらの修飾の使用により、可能なアプタマー標的の範囲が拡張され、それらの結合特性が改善されて、解離速度が遅いアプタマーの選択が容易になる。
【００２１】
[0022]  具体的には、血漿のような複雑なマトリックス中のタンパク質が、タンパク濃度のサイン（signature）を対応するＤＮＡアプタマー濃度のサインへ変換してから、ＤＮＡマイクロアレイプラットフォームを使用してそれを定量する方法で測定される（Gold et al. Nature Precedings, http://precedings.nature.com/documents/4538/version/1(2010)）。このアッセイでは、平衡結合と動的チャレンジが活用される。いずれも、結合及び解離のより好ましい動態を利用するために、表面上でなくて、溶液中で行われる。本質的には、このアッセイは、規定の形状がある折り畳まれた結合実体であるだけでなく特定のハイブリダイゼーションプローブによって認識可能なユニーク配列でもあるアプタマーの二元性を利用する。
【００２２】
[0023]  本アッセイは、血清中の低い存在度から高い存在度に及ぶ多数のタンパク質を同時に測定することが可能である。例えば、長期のタバコ曝露集団では、非小細胞肺癌（ＮＳＣＬＣ）についての４件の独立した試験からの１，３２６名の被検者由来の試料を分析した。１５μＬの血清中の８００種以上のタンパク質について測定して、訓練セットでは対照からＮＳＣＬＣを９１％の感度と８４％の特異度で区別して、盲検の独立した証明セットでは８９％の感度と８３％の特異度で区別する、１２種のタンパク質のパネルを開発した。重要にも、性能は、初期ＮＳＣＬＣと後期ＮＳＣＬＣで同様であった（Ostroff et al. Nature Precedings, http://precedings.nature.com/documents/4537/version/1(2010)）。
【００２３】
[0024]  今日までに、肺癌（米国特許出願公開公報２０１０／００７０１９１号）、卵巣癌（米国特許出願公開公報２０１０／００８６９４８号）、及び慢性腎疾患が含まれるヒト疾患についてのいくつかの臨床バイオマーカー研究がこの方法を使用して実施されてきた。これらの研究により、上記疾患のそれぞれと癌全般に対する新規な潜在的疾患バイオマーカーが同定されてきた。
【発明の概要】
【００２４】
[0025]  本出願は、組織由来の疾患関連バイオマーカーを同定するための新たに探索されたマイクロアレイプラットフォーム技術の有用性を実証する。本出願には、癌、そしてより特別には肺癌の組織からの検出及び診断のためのバイオマーカー、方法、試薬、デバイス、システム、及びキットが含まれる。本出願のバイオマーカーは、実施例６において詳しく記載されるマルチプレックスアプタマーベースのアッセイを使用して同定された。本明細書に記載のアプタマーベースのバイオマーカー同定法を使用することによって、本出願は、肺癌の検出及び診断に有用である、驚くほど多数の肺癌バイオマーカーについて記載する。これらのバイオマーカーを同定するときには、数多くの個別試料より８００を超えるタンパク質を測定したが、その中には低いフェントモル濃度範囲の濃度で測定されたものもある。これは、２Ｄゲル及び／又は質量分析法で行われるバイオマーカー探索実験より約４桁低い。
【００２５】
[0026]  記載した肺癌バイオマーカーのあるものは、肺癌を検出及び診断するのに単独で有用であるが、本明細書では、バイオマーカーのパネルとして有用である肺癌バイオマーカーの複合サブセットの群分けの方法について記載する。個々のバイオマーカー又はバイオマーカーのサブセットを同定したならば、選択した単数又は複数のバイオマーカーの生体試料中のレベルの差を測定することが可能であるどのアッセイプラットフォーム又はフォーマットを使用しても、個体における肺癌の検出又は診断を達成することができる。
【００２６】
[0027]  しかしながら、本明細書に開示する肺癌バイオマーカーを同定することが可能であったのは、肺癌を有するか又は有さないとすでに診断された多数の個体に由来する８００を超える別個の潜在的なバイオマーカーの数値を個別にスクリーニングした、本明細書に記載のアプタマーベースのバイオマーカー同定法を使用したからこそである。この探索アプローチは、ヒトの病態への解釈を必要としない、より患者に関連した体系について問うので、条件培地や溶解細胞からのバイオマーカー探索とは著しく対照的である。
【００２７】
[0028]  このように、本出願の１つの側面において、肺癌、特に非小細胞肺癌（ＮＳＣＬＣ）を診断するか又は肺結節が良性又は悪性かの鑑別診断を可能にする、単独又は様々な組合せで使用の１以上のバイオマーカーを提供する。例示の態様には、上記のように、一般的には実施例１で、そしてより具体的には実施例６で記載されるようなマルチプレックスアプタマーベースのアッセイを使用して同定された、表１８に提供されるバイオマーカーが含まれる。表１８に提供されるマーカーは、良性結節を癌性結節から区別するのに有用である。表１８に提供されるマーカーは、肺癌を有する喫煙者から無症状喫煙者を区別するのにも有用である。１つの側面において、バイオマーカーは、ＭＭＰ−７である。別の側面において、バイオマーカーは、ＭＭＰ−１２である。
【００２８】
[0029]  記載した肺癌バイオマーカーのあるものは、肺癌を検出及び診断するのに単独で有用であるが、本明細書では、２以上のバイオマーカーのパネルとしてそれぞれ有用である肺癌バイオマーカーの複合サブセットの群分けの方法についても記載する。このように、本出願の様々な態様は、Ｎ個のバイオマーカーを含んでなる組合せを提供し、ここでＮは、少なくとも２個のバイオマーカーである。他の態様では、２〜３６のバイオマーカーの任意数であるようにＮを選択する。
【００２９】
[0030]  なお他の態様では、２〜７、２〜１０、２〜１５、２〜２０、２〜２５、２〜３０、２〜３６の任意数であるようにＮを選択する。他の態様では、３〜７、３〜１０、３〜１５、３〜２０、３〜２５、３〜３０、３〜３６の任意数であるようにＮを選択する。他の態様では、４〜７、４〜１０、４〜１５、４〜２０、４〜２５、４〜３０、４〜３６の任意数であるようにＮを選択する。他の態様では、５〜７、５〜１０、５〜１５、５〜２０、５〜２５、５〜３０、５〜３６の任意数であるようにＮを選択する。他の態様では、６〜１０、６〜１５、６〜２０、６〜２５、６〜３０、６〜３６の任意数であるようにＮを選択する。他の態様では、７〜１０、７〜１５、７〜２０、７〜２５、７〜３０、７〜３６の任意数であるようにＮを選択する。他の態様では、８〜１０、８〜１５、８〜２０、８〜２５、８〜３０、８〜３６の任意数であるようにＮを選択する。他の態様では、９〜１５、９〜２０、９〜２５、９〜３０、９〜３６の任意数であるようにＮを選択する。他の態様では、１０〜１５、１０〜２０、１０〜２５、１０〜３０、１０〜３６の任意数であるようにＮを選択する。同様の、しかしより高い次数の範囲が含まれるようにＮを選択することができると理解されよう。
【００３０】
[0031]  別の側面では、肺癌を個体において診断するための方法を提供し、該方法には、個体からの生体試料において、表１８に提供されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有するものとして分類される。
【００３１】
[0032]  別の側面では、肺癌を個体において診断するための方法を提供し、該方法には、個体からの生体試料において、表１８に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有する可能性が決定される。
【００３２】
[0033]  別の側面では、肺癌を個体において診断するための方法を提供し、該方法には、個体からの生体試料において、表１８に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有するものとして分類されて、ここでＮ＝２〜１０である。
【００３３】
[0034]  別の側面では、肺癌を個体において診断するための方法を提供し、該方法には、個体からの生体試料において、表１８に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有する可能性が決定されて、ここでＮ＝２〜１０である。
【００３４】
[0035]  別の側面では、喫煙者について肺癌をスクリーニングするための方法を提供し、該方法には、喫煙者である個体からの生体試料において、表１８に示されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有するものとして分類されるか、又はその個体が肺癌を有する可能性が決定される。
【００３５】
[0036]  別の側面では、喫煙者について肺癌をスクリーニングするための方法を提供し、該方法には、喫煙者である個体からの生体試料において、表１８に示されるバイオマーカーの群より選択される少なくともＮ個のバイオマーカーの１つにそれぞれ対応するバイオマーカー値を検出することが含まれ、ここでは、前記バイオマーカー値に基づいて、その個体が肺癌を有するものとして分類されるか、又はその個体が肺癌を有する可能性が決定され、ここでＮ＝２〜１０である。
【００３６】
[0037]  別の側面では、個体が肺癌を有さないことを診断するための方法を提供し、該方法には、個体からの生体試料において、表１８に示されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有さないものとして分類される。
【００３７】
[0038]  別の側面では、個体が肺癌を有さないことを診断するための方法を提供し、該方法には、個体からの生体試料において、表１８に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有さないものとして分類されて、ここでＮ＝２〜１０である。
【００３８】
[0039]  別の側面では、肺癌を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでそのバイオマーカー値の分類は、その個体が肺癌を有することを示して、ここでＮ＝３〜１０である。
【００３９】
[0040]  別の側面では、肺癌を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでそのバイオマーカー値の分類は、その個体が肺癌を有することを示して、ここでＮ＝３〜１５である。
【００４０】
[0041]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでは、そのバイオマーカー値に基づいて、その個体が肺癌を有するものとして分類されるか、又はその個体が肺癌を有する可能性が決定されて、ここでＮ＝３〜１０である。
【００４１】
[0042]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでは、そのバイオマーカー値に基づいて、その個体が肺癌を有するものとして分類されるか、又はその個体が肺癌を有する可能性が決定されて、ここでＮ＝３〜１５である。
【００４２】
[0043]  別の側面では、肺癌の非存在を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでそのバイオマーカー値の分類は、その個体における肺癌の非存在を示して、ここでＮ＝３〜１０である。
【００４３】
[0044]  別の側面では、肺癌の非存在を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでそのバイオマーカー値の分類は、その個体における肺癌の非存在を示して、ここでＮ＝３〜１５である。
【００４４】
[0045]  別の側面では、肺癌を個体において診断するための方法を提供し、該方法には、個体からの生体試料において、表１８に示されるバイオマーカーの群より選択される少なくともＮ個のバイオマーカーの１つに対応するバイオマーカー値を検出することが含まれ、ここでは、所定の閾値より逸脱する分類スコアに基づいて、その個体が肺癌を有するものとして分類されて、ここでＮ＝２〜１０である。
【００４５】
[0046]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでは、所定の閾値より逸脱する分類スコアに基づいて、その個体が肺癌を有するものとして分類されるか、又はその個体が肺癌を有する可能性が決定されて、ここでＮ＝３〜１０である。
【００４６】
[0047]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表１８に示されるバイオマーカーの群より選択され、ここでは、所定の閾値より逸脱する分類スコアに基づいて、その個体が肺癌を有するものとして分類されるか、又はその個体が肺癌を有する可能性が決定されて、ここでＮ＝３〜１５である。
【００４７】
[0048]  別の側面では、個体における肺癌の非存在を診断するための方法を提供し、該方法には、個体からの生体試料において、表１８に示されるバイオマーカーの群より選択される少なくともＮ個のバイオマーカーの１つに対応するバイオマーカー値を検出することが含まれ、ここでは、所定の閾値より逸脱する分類スコアに基づいて、前記個体が肺癌を有さないものとして分類されて、ここでＮ＝２〜１０である。
【００４８】
[0049]  別の側面では、肺癌の可能性を示すためのコンピュータ実行法を提供する。該方法は、コンピュータバイオマーカー情報を個体のために検索すること（ここで該バイオマーカー情報は、表１８に示されるバイオマーカーの群より選択される、少なくともＮ個のバイオマーカー（ここでＮは、上記に定義される通りである）の１つにそれぞれ対応するバイオマーカー値を含む）；このバイオマーカー値のそれぞれの分類をコンピュータで実施すること；及び、複数の分類に基づいて、その個体が肺癌を有する可能性を示すことを含む。
【００４９】
[0050]  別の側面では、肺癌を有するものか又は有さないものとして個体を分類するためのコンピュータ実行法を提供する。該方法は、コンピュータバイオマーカー情報を個体のために検索すること（ここで該バイオマーカー情報は、表１８に提供されるバイオマーカーの群より選択される、少なくともＮ個のバイオマーカーの１つにそれぞれ対応するバイオマーカー値を含む）；このバイオマーカー値のそれぞれの分類をコンピュータで実施すること；及び、複数の分類に基づいて、その個体が肺癌を有するかどうかを示すことを含む。
【００５０】
[0051]  別の側面では、肺癌の可能性を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表１８に示されるバイオマーカーの群より選択される、生体試料中の少なくともＮ個のバイオマーカー（ここでＮは、上記に定義される通りである）の１つにそれぞれ対応するバイオマーカー値を含む）；及び、個体が肺癌を有する可能性をそのバイオマーカー値の関数として示す分類法を実行するコードを含んでなる。
【００５１】
[0052]  別の側面では、個体の肺癌状態を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表１８に示されるバイオマーカーの群より選択される、生体試料中の少なくともＮ個のバイオマーカーの１つにそれぞれ対応するバイオマーカー値を含む）；及び、個体の肺癌状態をそのバイオマーカー値の関数として示す分類法を実行するコードを含んでなる。
【００５２】
[0053]  別の側面では、肺癌の可能性を示すためのコンピュータ実行法を提供する。該方法は、コンピュータバイオマーカー情報を個体のために検索すること（ここで該バイオマーカー情報は、表１８に示されるバイオマーカーの群より選択されるバイオマーカーに対応するバイオマーカー値を含む）；このバイオマーカー値の分類をコンピュータで実施すること；及び、その分類に基づいて、その個体が肺癌を有する可能性を示すことを含む。
【００５３】
[0054]  別の側面では、肺癌を有するものか又は有さないものとして個体を分類するためのコンピュータ実行法を提供する。該方法は、コンピュータバイオマーカー情報より個体のために検索すること（ここで該バイオマーカー情報は、表１８に提供されるバイオマーカーの群より選択されるバイオマーカーに対応するバイオマーカー値を含む）；このバイオマーカー値の分類をコンピュータで実施すること；及び、その分類に基づいて、その個体が肺癌を有するかどうかを示すことを含む。
【００５４】
[0055]  なお別の側面では、肺癌の可能性を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表１８に示されるバイオマーカーの群より選択される、生体試料中のバイオマーカーに対応するバイオマーカー値を含む）；及び、個体が肺癌を有する可能性をそのバイオマーカー値の関数として示す分類法を実行するコードを含んでなる。
【００５５】
[0056]  なお別の側面では、個体の肺癌状態を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表１８に提供されるバイオマーカーの群より選択される、生体試料中のバイオマーカーに対応するバイオマーカー値を含む）；及び、個体の肺癌状態をそのバイオマーカー値の関数として示す分類法を実行するコードを含んでなる。
【００５６】
[0057]  本出願の別の態様において、例示の態様には、上記のように、一般的には実施例１で、そしてより具体的には実施例６で記載されるようなマルチプレックスアプタマーベースのアッセイを使用して同定された、表２０に提供されるバイオマーカーが含まれる。表２０に提供されるマーカーは、良性結節を癌性結節から区別するのに有用である。表２０に提供されるマーカーは、肺癌を有する喫煙者から無症状喫煙者を区別するのにも有用である。表２０を参照にして、２〜２５のバイオマーカーの任意数であるようにＮを選択する。表２０に提供されるマーカーは、組織と血清の両方の試料において有用であると判定された。
【００５７】
[0058]  なお他の態様では、２〜７、２〜１０、２〜１５、２〜２０、２〜２５の任意数であるようにＮを選択する。他の態様では、３〜７、３〜１０、３〜１５、３〜２０、３〜２５の任意数であるようにＮを選択する。他の態様では、４〜７、４〜１０、４〜１５、４〜２０、４〜２５の任意数であるようにＮを選択する。他の態様では、５〜７、５〜１０、５〜１５、５〜２０、５〜２５の任意数であるようにＮを選択する。他の態様では、６〜１０、６〜１５、６〜２０、６〜２５の任意数であるようにＮを選択する。他の態様では、７〜１０、７〜１５、７〜２０、７〜２５の任意数であるようにＮを選択する。他の態様では、８〜１０、８〜１５、８〜２０、８〜２５の任意数であるようにＮを選択する。他の態様では、９〜１５、９〜２０、９〜２５の任意数であるようにＮを選択する。他の態様では、１０〜１５、１０〜２０、１０〜２５の任意数であるようにＮを選択する。同様の、しかしより高い次数の範囲が含まれるようにＮを選択することができると理解されよう。
【００５８】
[0059]  別の側面では、肺癌を個体において診断するための方法を提供し、該方法には、個体からの生体試料において、表２０に提供されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有するものとして分類される。
【００５９】
[0060]  別の側面では、肺癌を個体において診断するための方法を提供し、該方法には、個体からの生体試料において、表２０に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有する可能性が決定される。
【００６０】
[0061]  別の側面では、肺癌を個体において診断するための方法を提供し、該方法には、個体からの生体試料において、表２０に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有するものとして分類されて、ここでＮ＝２〜１０である。
【００６１】
[0062]  別の側面では、肺癌を個体において診断するための方法を提供し、該方法には、個体からの生体試料において、表２０に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有する可能性が決定されて、ここでＮ＝２〜１０である。
【００６２】
[0063]  別の側面では、喫煙者について肺癌をスクリーニングするための方法を提供し、該方法には、喫煙者である個体からの生体試料において、表２０に示されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有するものとして分類されるか、又はその個体が肺癌を有する可能性が決定される。
【００６３】
[0064]  別の側面では、喫煙者について肺癌をスクリーニングするための方法を提供し、該方法には、喫煙者である個体からの生体試料において、表２０に示されるバイオマーカーの群より選択される少なくともＮ個のバイオマーカーの１つにそれぞれ対応するバイオマーカー値を検出することが含まれ、ここでは、前記バイオマーカー値に基づいて、その個体が肺癌を有するものとして分類されるか、又はその個体が肺癌を有する可能性が決定され、ここでＮ＝２〜１０である。
【００６４】
[0065]  別の側面では、個体が肺癌を有さないことを診断するための方法を提供し、該方法には、個体からの生体試料において、表２０に示されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有さないものとして分類される。
【００６５】
[0066]  別の側面では、個体が肺癌を有さないことを診断するための方法を提供し、該方法には、個体からの生体試料において、表２０に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有さないものとして分類されて、ここでＮ＝２〜１０である。
【００６６】
[0067]  別の側面では、肺癌を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでそのバイオマーカー値の分類は、その個体が肺癌を有することを示して、ここでＮ＝３〜１０である。
【００６７】
[0068]  別の側面では、肺癌を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでそのバイオマーカー値の分類は、その個体が肺癌を有することを示して、ここでＮ＝３〜１５である。
【００６８】
[0069]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでは、そのバイオマーカー値に基づいて、その個体が肺癌を有するものとして分類されるか、又はその個体が肺癌を有する可能性が決定されて、ここでＮ＝３〜１０である。
【００６９】
[0070]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでは、そのバイオマーカー値に基づいて、その個体が肺癌を有するものとして分類されるか、又はその個体が肺癌を有する可能性が決定されて、ここでＮ＝３〜１５である。
【００７０】
[0071]  別の側面では、肺癌の非存在を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでそのバイオマーカー値の分類は、その個体における肺癌の非存在を示して、ここでＮ＝３〜１０である。
【００７１】
[0072]  別の側面では、肺癌の非存在を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでそのバイオマーカー値の分類は、その個体における肺癌の非存在を示して、ここでＮ＝３〜１５である。
【００７２】
[0073]  別の側面では、肺癌を個体において診断するための方法を提供し、該方法には、個体からの生体試料において、表２０に示されるバイオマーカーの群より選択される少なくともＮ個のバイオマーカーの１つに対応するバイオマーカー値を検出することが含まれ、ここでは、所定の閾値より逸脱する分類スコアに基づいて、その個体が肺癌を有するものとして分類されて、ここでＮ＝２〜１０である。
【００７３】
[0074]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでは、所定の閾値より逸脱する分類スコアに基づいて、その個体が肺癌を有するものとして分類されるか、又はその個体が肺癌を有する可能性が決定されて、ここでＮ＝３〜１０である。
【００７４】
[0075]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２０に示されるバイオマーカーの群より選択され、ここでは、所定の閾値より逸脱する分類スコアに基づいて、その個体が肺癌を有するものとして分類されるか、又はその個体が肺癌を有する可能性が決定されて、ここでＮ＝３〜１５である。
【００７５】
[0076]  別の側面では、肺癌の非存在を個体において診断するための方法を提供し、該方法には、個体からの生体試料において、表２０に示されるバイオマーカーの群より選択される少なくともＮ個のバイオマーカーの１つに対応するバイオマーカー値を検出することが含まれ、ここでは、所定の閾値より逸脱する分類スコアに基づいて、前記個体が肺癌を有さないものとして分類されて、ここでＮ＝２〜１０である。
【００７６】
[0077]  別の側面では、肺癌の可能性を示すためのコンピュータ実行法を提供する。該方法は、コンピュータバイオマーカー情報を個体のために検索すること（ここで該バイオマーカー情報は、表２０に示されるバイオマーカーの群より選択される、少なくともＮ個のバイオマーカー（ここでＮは、上記に定義される通りである）の１つにそれぞれ対応するバイオマーカー値を含む）；このバイオマーカー値のそれぞれの分類をコンピュータで実施すること；及び、複数の分類に基づいて、その個体が肺癌を有する可能性を示すことを含む。
【００７７】
[0078]  別の側面では、肺癌を有するものか又は有さないものとして個体を分類するためのコンピュータ実行法を提供する。該方法は、コンピュータバイオマーカー情報を個体のために検索すること（ここで該バイオマーカー情報は、表２０に提供されるバイオマーカーの群より選択される、少なくともＮ個のバイオマーカーの１つにそれぞれ対応するバイオマーカー値を含む）；このバイオマーカー値のそれぞれの分類をコンピュータで実施すること；及び、複数の分類に基づいて、その個体が肺癌を有するかどうかを示すことを含む。
【００７８】
[0079]  別の側面では、肺癌の可能性を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２０に示されるバイオマーカーの群より選択される、生体試料中の少なくともＮ個のバイオマーカー（ここでＮは、上記に定義される通りである）の１つにそれぞれ対応するバイオマーカー値を含む）；及び、個体が肺癌を有する可能性をそのバイオマーカー値の関数として示す分類法を実行するコードを含んでなる。
【００７９】
[0080]  別の側面では、個体の肺癌状態を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２０に提供されるバイオマーカーの群より選択される、生体試料中の少なくともＮ個のバイオマーカーの１つにそれぞれ対応するバイオマーカー値を含む）；及び、個体の肺癌状態をそのバイオマーカー値の関数として示す分類法を実行するコードを含んでなる。
【００８０】
[0081]  別の側面では、肺癌の可能性を示すためのコンピュータ実行法を提供する。該方法は、コンピュータバイオマーカー情報を個体のために検索すること（ここで該バイオマーカー情報は、表２０に示されるバイオマーカーの群より選択されるバイオマーカーに対応するバイオマーカー値を含む）；このバイオマーカー値の分類をコンピュータで実施すること；及び、その分類に基づいて、その個体が肺癌を有する可能性を示すことを含む。
【００８１】
[0082]  別の側面では、肺癌を有するものか又は有さないものとして個体を分類するためのコンピュータ実行法を提供する。該方法は、コンピュータバイオマーカー情報より個体のために検索すること（ここで該バイオマーカー情報は、表２０に提供されるバイオマーカーの群より選択されるバイオマーカーに対応するバイオマーカー値を含む）；このバイオマーカー値の分類をコンピュータで実施すること；及び、その分類に基づいて、その個体が肺癌を有するかどうかを示すことを含む。
【００８２】
[0083]  なお別の側面では、肺癌の可能性を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２０に示されるバイオマーカーの群より選択される、生体試料中のバイオマーカーに対応するバイオマーカー値を含む）；及び、個体が肺癌を有する可能性をそのバイオマーカー値の関数として示す分類法を実行するコードを含んでなる。
【００８３】
[0084]  なお別の側面では、個体の肺癌状態を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２０に提供されるバイオマーカーの群より選択される、生体試料中のバイオマーカーに対応するバイオマーカー値を含む）；及び、個体の肺癌状態をそのバイオマーカー値の関数として示す分類法を実行するコードを含んでなる。
【００８４】
[0085]  本出願の別の態様において、例示の態様には、一般的には実施例１で、そしてより具体的には実施例２及び６で記載されるようなマルチプレックスアプタマーベースのアッセイを使用して同定された、表２１に提供されるバイオマーカーが含まれる。表２１に提供されるマーカーは、良性結節を癌性結節から区別するのに有用である。表２１に提供されるマーカーは、肺癌を有する喫煙者から無症状喫煙者を区別するのにも有用である。表２１を参照にして、２〜８６のバイオマーカーの任意数であるようにＮを選択する。表２１に含まれるバイオマーカーのすべては、組織と血清の両方の試料で求められる情報を提供するのに有用である。
【００８５】
[0086]  なお他の態様では、２〜７、２〜１０、２〜１５、２〜２０、２〜２５、２〜３０、２〜３５、２〜４０、２〜４５、２〜５０、２〜５５、２〜６０、２〜６５、２〜７０、２〜７５、２〜８０、又は２〜８６の任意数であるようにＮを選択する。他の態様では、３〜７、３〜１０、３〜１５、３〜２０、３〜２５、３〜３０、３〜３５、３〜４０、３〜４５、３〜５０、３〜５５、３〜６０、３〜６５、３〜７０、３〜７５、３〜８０、又は３〜８６の任意数であるようにＮを選択する。他の態様では、４〜７、４〜１０、４〜１５、４〜２０、４〜２５、４〜３０、４〜３５、４〜４０、４〜４５、４〜５０、４〜５５、４〜６０、４〜６５、４〜７０、４〜７５、４〜８０、又は４〜８６の任意数であるようにＮを選択する。他の態様では、５〜７、５〜１０、５〜１５、５〜２０、５〜２５、５〜３０、５〜３５、５〜４０、５〜４５、５〜５０、５〜５５、５〜６０、５〜６５、５〜７０、５〜７５、５〜８０、又は５〜８６の任意数であるようにＮを選択する。他の態様では、６〜１０、６〜１５、６〜２０、６〜２５、６〜３０、６〜３５、６〜４０、６〜４５、６〜５０、６〜５５、６〜６０、６〜６５、６〜７０、６〜７５、６〜８０、又は６〜８６の任意数であるようにＮを選択する。他の態様では、７〜１０、７〜１５、７〜２０、７〜２５、７〜３０、７〜３５、７〜４０、７〜４５、７〜５０、７〜５５、７〜６０、７〜６５、７〜７０、７〜７５、７〜８０、又は７〜８６の任意数であるようにＮを選択する。他の態様では、８〜１０、８〜１５、８〜２０、８〜２５、８〜３０、８〜３５、８〜４０、８〜４５、８〜５０、８〜５５、８〜６０、８〜６５、８〜７０、８〜７５、８〜８０、又は８〜８６の任意数であるようにＮを選択する。他の態様では、９〜１５、９〜２０、９〜２５、９〜３０、９〜３５、９〜４０、９〜４５、９〜５０、９〜５５、９〜６０、９〜６５、９〜７０、９〜７５、９〜８０、又は９〜８６の任意数であるようにＮを選択する。他の態様では、１０〜１５、１０〜２０、１０〜２５、１０〜３０、１０〜３５、１０〜４０、１０〜４５、１０〜５０、１０〜５５、１０〜６０、１０〜６５、１０〜７０、１０〜７５、１０〜８０、又は１０〜８６の任意数であるようにＮを選択する。同様の、しかしより高い次数の範囲が含まれるようにＮを選択することができると理解されよう。
【００８６】
[0087]  別の側面では、肺癌を個体において診断するための方法を提供し、該方法には、個体からの生体試料において、表２１に提供されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有するものとして分類される。
【００８７】
[0088]  別の側面では、肺癌を個体において診断するための方法を提供し、該方法には、個体からの生体試料において、表２１に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有する可能性が決定される。
【００８８】
[0089]  別の側面では、肺癌を個体において診断するための方法を提供し、該方法には、個体からの生体試料において、表２１に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有するものとして分類されて、ここでＮ＝２〜１０である。
【００８９】
[0090]  別の側面では、肺癌を個体において診断するための方法を提供し、該方法には、個体からの生体試料において、表２１に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有する可能性が決定されて、ここでＮ＝２〜１０である。
【００９０】
[0091]  別の側面では、喫煙者について肺癌をスクリーニングするための方法を提供し、該方法には、喫煙者である個体からの生体試料において、表２１に示されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有するものとして分類されるか、又はその個体が肺癌を有する可能性が決定される。
【００９１】
[0092]  別の側面では、喫煙者について肺癌をスクリーニングするための方法を提供し、該方法には、喫煙者である個体からの生体試料において、表２１に示されるバイオマーカーの群より選択される少なくともＮ個のバイオマーカーの１つにそれぞれ対応するバイオマーカー値を検出することが含まれ、ここでは、前記バイオマーカー値に基づいて、その個体が肺癌を有するものとして分類されるか、又はその個体が肺癌を有する可能性が決定され、ここでＮ＝２〜１０である。
【００９２】
[0093]  別の側面では、個体が肺癌を有さないことを診断するための方法を提供し、該方法には、個体からの生体試料において、表２１に示されるバイオマーカーの群より選択される少なくとも１つのバイオマーカーに対応する少なくとも１つのバイオマーカー値を検出することが含まれ、ここでは、その少なくとも１つのバイオマーカー値に基づいて、その個体が肺癌を有さないものとして分類される。
【００９３】
[0094]  別の側面では、個体が肺癌を有さないことを診断するための方法を提供し、該方法には、個体からの生体試料において、表２１に示されるバイオマーカーの群より選択される少なくともＮ個のバイオマーカーの１つにそれぞれ対応するバイオマーカー値を検出することが含まれ、ここでは、そのバイオマーカー値に基づいて、その個体が肺癌を有さないものとして分類されて、ここでＮ＝２〜１０である。
【００９４】
[0095]  別の側面では、肺癌を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでそのバイオマーカー値の分類は、その個体が肺癌を有することを示して、ここでＮ＝３〜１０である。
【００９５】
[0096]  別の側面では、肺癌を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでそのバイオマーカー値の分類は、その個体が肺癌を有することを示して、ここでＮ＝３〜１５である。
【００９６】
[0097]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでは、そのバイオマーカー値に基づいて、その個体が肺癌を有するものとして分類されるか、又はその個体が肺癌を有する可能性が決定されて、ここでＮ＝３〜１０である。
【００９７】
[0098]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでは、そのバイオマーカー値に基づいて、その個体が肺癌を有するものとして分類されるか、又はその個体が肺癌を有する可能性が決定されて、ここでＮ＝３〜１５である。
【００９８】
[0099]  別の側面では、肺癌の非存在を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでそのバイオマーカー値の分類は、その個体における肺癌の非存在を示して、ここでＮ＝３〜１０である。
【００９９】
[00100]  別の側面では、肺癌の非存在を診断するための方法を提供し、該方法には、個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでそのバイオマーカー値の分類は、その個体における肺癌の非存在を示して、ここでＮ＝３〜１５である。
【０１００】
[00101]  別の側面では、肺癌を個体において診断するための方法を提供し、該方法には、個体からの生体試料において、表２１に示されるバイオマーカーの群より選択される少なくともＮ個のバイオマーカーの１つに対応するバイオマーカー値を検出することが含まれ、ここでは、所定の閾値より逸脱する分類スコアに基づいて、その個体が肺癌を有するものとして分類されて、ここでＮ＝２〜１０である。
【０１０１】
[00102]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでは、所定の閾値より逸脱する分類スコアに基づいて、その個体が肺癌を有するものとして分類されるか、又はその個体が肺癌を有する可能性が決定されて、ここでＮ＝３〜１０である。
【０１０２】
[00103]  別の側面では、喫煙者について肺癌をスクリーニングするための方法を提供し、該方法には、喫煙者である個体からの生体試料において、Ｎ個のバイオマーカーのパネル上のバイオマーカーにそれぞれ対応するバイオマーカー値を検出することが含まれ、ここでそのバイオマーカーは、表２１に示されるバイオマーカーの群より選択され、ここでは、所定の閾値より逸脱する分類スコアに基づいて、その個体が肺癌を有するものとして分類されるか、又はその個体が肺癌を有する可能性が決定されて、ここでＮ＝３〜１５である。
【０１０３】
[00104]  別の側面では、肺癌の非存在を個体において診断するための方法を提供し、該方法には、個体からの生体試料において、表２１に示されるバイオマーカーの群より選択される少なくともＮ個のバイオマーカーの１つに対応するバイオマーカー値を検出することが含まれ、ここでは、所定の閾値より逸脱する分類スコアに基づいて、前記個体が肺癌を有さないものとして分類されて、ここでＮ＝２〜１０である。
【０１０４】
[00105]  別の側面では、肺癌の可能性を示すためのコンピュータ実行法を提供する。該方法は、コンピュータバイオマーカー情報を個体のために検索すること（ここで該バイオマーカー情報は、表２１に示されるバイオマーカーの群より選択される、少なくともＮ個のバイオマーカー（ここでＮは、上記に定義される通りである）の１つにそれぞれ対応するバイオマーカー値を含む）；このバイオマーカー値のそれぞれの分類をコンピュータで実施すること；及び、複数の分類に基づいて、その個体が肺癌を有する可能性を示すことを含む。
【０１０５】
[00106]  別の側面では、肺癌を有するものか又は有さないものとして個体を分類するためのコンピュータ実行法を提供する。該方法は、コンピュータバイオマーカー情報を個体のために検索すること（ここで該バイオマーカー情報は、表２１に提供されるバイオマーカーの群より選択される、少なくともＮ個のバイオマーカーの１つにそれぞれ対応するバイオマーカー値を含む）；このバイオマーカー値のそれぞれの分類をコンピュータで実施すること；及び、複数の分類に基づいて、その個体が肺癌を有するかどうかを示すことを含む。
【０１０６】
[00107]  別の側面では、肺癌の可能性を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２１に示されるバイオマーカーの群より選択される、生体試料中の少なくともＮ個のバイオマーカー（ここでＮは、上記に定義される通りである）の１つにそれぞれ対応するバイオマーカー値を含む）；及び、個体が肺癌を有する可能性をそのバイオマーカー値の関数として示す分類法を実行するコードを含んでなる。
【０１０７】
[00108]  別の側面では、個体の肺癌状態を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２１に提供されるバイオマーカーの群より選択される、生体試料中の少なくともＮ個のバイオマーカーの１つにそれぞれ対応するバイオマーカー値を含む）；及び、個体の肺癌状態をそのバイオマーカー値の関数として示す分類法を実行するコードを含んでなる。
【０１０８】
[00109]  別の側面では、肺癌の可能性を示すためのコンピュータ実行法を提供する。該方法は、コンピュータバイオマーカー情報を個体のために検索すること（ここで該バイオマーカー情報は、表２１に示されるバイオマーカーの群より選択されるバイオマーカーに対応するバイオマーカー値を含む）；このバイオマーカー値の分類をコンピュータで実施すること；及び、その分類に基づいて、その個体が肺癌を有する可能性を示すことを含む。
【０１０９】
[00110]  別の側面では、肺癌を有するものか又は有さないものとして個体を分類するためのコンピュータ実行法を提供する。該方法は、コンピュータバイオマーカー情報より個体のために検索すること（ここで該バイオマーカー情報は、表２１に提供されるバイオマーカーの群より選択されるバイオマーカーに対応するバイオマーカー値を含む）；このバイオマーカー値の分類をコンピュータで実施すること；及び、その分類に基づいて、その個体が肺癌を有するかどうかを示すことを含む。
【０１１０】
[00111]  なお別の側面では、肺癌の可能性を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２１に示されるバイオマーカーの群より選択される、生体試料中のバイオマーカーに対応するバイオマーカー値を含む）；及び、個体が肺癌を有する可能性をそのバイオマーカー値の関数として示す分類法を実行するコードを含んでなる。
【０１１１】
[00112]  なお別の側面では、個体の肺癌状態を示すためのコンピュータプログラム製品を提供する。該コンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード（ここで、該データは、表２１に提供されるバイオマーカーの群より選択される、生体試料中のバイオマーカーに対応するバイオマーカー値を含む）；及び、個体の肺癌状態をそのバイオマーカー値の関数として示す分類法を実行するコードを含んでなる。
【０１１２】
[00113]  本出願の１つの側面において、上記方法のそれぞれにおいて表２１より選択される前記Ｎ個のバイオマーカーの少なくとも１つは、表２０より選択されるバイオマーカーである。なお別の態様において、表２０より選択される前記バイオマーカーは、ＭＭＰ−１２である。
【０１１３】
[00114]  別の側面では、肺癌を診断するための方法を提供し、該方法には、個体からの生体試料において、表２２〜２５に示されるパネルの群より選択されるバイオマーカーのパネル上のバイオマーカーにそれぞれ対応するバイオマーカー値を検出することが含まれ、ここでは、そのバイオマーカー値の分類が、その個体が肺癌を有することを示す。
【０１１４】
[00115]  別の側面では、肺癌の非存在を診断するための方法を提供し、該方法には、個体からの生体試料において、表２２〜２５に提供されるパネルの群より選択されるバイオマーカーのパネル上のバイオマーカーにそれぞれ対応するバイオマーカー値を検出することが含まれ、ここでは、そのバイオマーカー値の分類が、その個体における肺癌の非存在を示す。
【図面の簡単な説明】
【０１１５】
【図１Ａ】[00116]  図１Ａは、肺癌を生体試料において検出するための例示法についてのフローチャートである。
【図１Ｂ】[00117]  図１Ｂは、単純ベイズ分類法を使用して肺癌を生体試料において検出するための例示法についてのフローチャートである。
【図２】[00118]  図２は、肺癌を無症状喫煙者において検出する検査のために単純ベイズ分類器を使用する、単一のバイオマーカー、ＳＣＦｓＲについてのＲＯＣ曲線を示す。
【図３】[00119]  図３は、肺癌を無症状喫煙者において検出する検査のために単純ベイズ分類器を使用する、１〜１０のバイオマーカーのバイオマーカーパネルについてのＲＯＣ曲線を示す。
【図４】[00120]  図４は、良性結節−肺癌パネルに単純ベイズ分類を使用してバイオマーカーの数を１から１０へ高めるときの分類スコア（特異度＋感度）の増加を図解する。
【図５】[00121]  図５は、単純ベイズ分類器を訓練するために使用する正規ｃｄｆ（破線）への曲線適合と併記して、良性結節対照群（実線）及び肺癌疾患群（点線）について測定したＳＣＦｓＲのバイオマーカー分布を累積分布関数（ｃｄｆ）として対数変換ＲＦＵで示す。
【図６】[00122]  図６は、本明細書に記載の様々なコンピュータ実行法で使用の例示のコンピュータシステムを図解する。
【図７】[00123]  図７は、１つの態様による、個体が肺癌を有する可能性を示す方法のフローチャートである。
【図８】[00124]  図８は、１つの態様による、個体が肺癌を有する可能性を示す方法のフローチャートである。
【図９】[00125]  図９は、１以上の肺癌バイオマーカーを生体試料において検出するために使用することができる例示のアプタマーアッセイを図解する。
【図１０】[00126]  図１０は、ＮＳＣＬＣ結節と良性結節を区別するための分類器を潜在的なバイオマーカーの集約セットより構築するのに使用したバイオマーカーの頻度のヒストグラムを示す。
【図１１】[00127]  図１１は、ＮＳＣＬＣ喫煙者と無症状喫煙者を区別するための分類器を潜在的なバイオマーカーの集約セットより構築するのに使用したバイオマーカーの頻度のヒストグラムを示す。
【図１２】[00128]  図１２は、ＮＳＣＬＣ結節と良性結節を区別するための分類器を潜在的なバイオマーカーの施設一貫性セットより構築するのに使用したバイオマーカーの頻度のヒストグラムを示す。
【図１３】[00129]  図１３は、ＮＳＣＬＣ喫煙者と無症状喫煙者を区別するための分類器を潜在的なバイオマーカーの施設一貫性セットより構築するのに使用したバイオマーカーの頻度のヒストグラムを示す。
【図１４】[00130]  図１４は、ＮＳＣＬＣ結節と良性結節を区別するための分類器を集約マーカーと施設一貫性マーカーの組合せより得られる潜在的なバイオマーカーのセットより構築するのに使用したバイオマーカーの頻度のヒストグラムを示す。
【図１５】[00131]  図１５は、ＮＳＣＬＣ喫煙者と無症状喫煙者を区別するための分類器を集約マーカーと施設一貫性マーカーの組合せより得られる潜在的なバイオマーカーのセットより構築するのに使用したバイオマーカーの頻度のヒストグラムを示す。
【図１６】[00132]  図１６は、捕捉試薬としてのアプタマーのタンパク質：ＬＢＰ、Ｃ９、及びＩｇＭへの特異性を例解するプルダウン実験より得られるゲル画像を示す。それぞれのゲルについて、レーン１は、ストレプタビジン−アガロースビーズからの溶出物であり、レーン２は、最終溶出物であり、そしてレーン３は、分子量マーカーレーンである（主要バンドは、トップからボトムへ１１０、５０、３０、１５、及び３．５ｋＤにある）。
【図１７】[00133]  図１７Ａは、表１、カラム５に示されるバイオマーカー（実線）とランダムマーカーのセット（点線）を使用してすべての可能な単一タンパク質の単純ベイズ分類器スコア（感度＋特異度）を要約するヒストグラムの対を示す。  [00134]  図１７Ｂは、表１、カラム５に示されるバイオマーカー（実線）とランダムマーカーのセット（点線）を使用してすべての可能な２つのタンパク質の単純ベイズ分類器スコア（感度＋特異度）を要約するヒストグラムの対を示す。  [00135]  図１７Ｃは、表１、カラム５に示されるバイオマーカー（実線）とランダムマーカーのセット（点線）を使用してすべての可能な３つのタンパク質の単純ベイズ分類器スコア（感度＋特異度）を要約するヒストグラムの対を示す。
【図１８】[00136]  図１８Ａは、表１、カラム６に示されるバイオマーカー（実線）とランダムマーカーのセット（点線）を使用してすべての可能な単一タンパク質の単純ベイズ分類器スコア（感度＋特異度）を要約するヒストグラムの対を示す。  [00137]  図１８Ｂは、表１、カラム６に示されるバイオマーカー（実線）とランダムマーカーのセット（点線）を使用してすべての可能な２つのタンパク質の単純ベイズ分類器スコア（感度＋特異度）を要約するヒストグラムの対を示す。  [00138]  図１８Ｃは、表１、カラム６に示されるバイオマーカー（実線）とランダムマーカーのセット（点線）を使用してすべての可能な３つのタンパク質の単純ベイズ分類器スコア（感度＋特異度）を要約するヒストグラムの対を示す。
【図１９Ａ】[00139]  図１９Ａは、全パネルより選択される２〜１０のマーカーを使用する単純ベイズ分類器の（感度＋特異度）スコア（◆）と、良性結節対照群のための分類器の作成の間に最良の５（■）、１０（▲）、及び１５（ｘ）のマーカーを棄却することによって得られるスコアを示す。
【図１９Ｂ】[00140]  図１９Ｂは、全パネルより選択される２〜１０のマーカーを使用する単純ベイズ分類器の（感度＋特異度）スコア（◆）と、喫煙者対照群のための分類器作成の間に最良の５（■）、１０（▲）、及び１５（ｘ）のマーカーを棄却することによって得られるスコアを示す。
【図２０】[00141]  図２０Ａは、１〜５のマーカーのパネルについての表３８及び３９のデータよりモデル作成したＲＯＣ曲線のセットを示す。  [00142]  図２０Ｂは、図１９Ａにあるような１〜５のマーカーのパネルについての訓練データより計算したＲＯＣ曲線のセットを示す。
【図２１Ａ】[00143]  図２１は、８つのＮＳＣＬＣ摘出試料からの８１３種のタンパク質についての、隣接組織と遠位組織（図２１Ａ）、腫瘍と隣接組織（図２１Ｂ）、及び腫瘍と遠位組織（図２１Ｃ）の間での、ｌｏｇ２メジアン比として表した、タンパク質発現の相対変化を示す。点線は、２倍の変化を表す（ｌｏｇ２＝１）。
【図２１Ｂ】同上。
【図２１Ｃ】同上。
【図２２】[00144]  図２２は、腫瘍組織試料中のタンパク質レベルのヒートマップを示す。この試料は、列で配置されて、遠位、隣接、及び腫瘍の試料へ分けてある。それぞれの組織タイプの中で、この試料を腺癌（ＡＣ）と扁平上皮癌（ＳＣＣ）へ分ける。各列上の番号は、患者コードに対応する。このタンパク質を行で表示して、階層的クラスタリングを使用して順序付けた。
【図２３−１】[00145]  図２３（Ａ〜Ｔ）は、隣接又は遠位組織と比較して、腫瘍組織中でレベルが増加したタンパク質を図示する。
【図２３−２】同上。
【図２３−３】同上。
【図２３−４】同上。
【図２４−１】[00146]  図２４（Ａ−Ｐ）は、本研究で使用した８つのＮＳＣＬＣ試料からの隣接又は遠位組織と比較して、腫瘍組織中でレベルが減少したタンパク質を図示する。
【図２４−２】同上。
【図２４−３】同上。
【図２５】[00147]  図２５は、本研究において検出された選択マーカーについての、凍結組織切片上でのＳＯＭＡマー組織化学を示す。（Ａ）腫瘍巣周囲にある線維膠原性マトリックスのトロンボスポンジン−２（赤色）染色。（Ｂ）トロンボスポンジン−２ＳＯＭＡマー（赤色）で染色した、対応する正常肺標本。（Ｃ）肺腺癌に分散したマクロファージのマクロファージマンノース受容体ＳＯＭＡマー（赤色）染色。（Ｄ）正常肺実質切片にある数多くの肺胞マクロファージのマクロファージマンノース受容体ＳＯＭＡマー（赤色）染色。（Ｅ）マクロファージマンノース受容体ＳＯＭＡマー染色の細胞形態分布を強調する多色イメージ：緑色＝サイトケラチン（ＡＥ１／ＡＥ３抗体）、赤色＝ＣＤ３１（ＥＰ３０９５抗体）、及び橙色＝ＳＯＭＡマー。この図面では、すべての核をＤＡＰＩで対比染色する。
【図２６】[00148]  図２６は、血清に比較した、ＮＳＣＬＣ組織でのタンパク質発現の変化を示す。上の２つのパネルは、隣接組織と遠位組織にそれぞれ由来する対数比に対する、血清試料由来のｌｏｇ２比（ＬＲ）を示す。下の４つのパネルは、プロットの色によって示される、上記プロットの拡大部分に注目する（非腫瘍組織に比較して発現が減少していれば緑色、発現が増加していれば赤色）。図２３及び２４に示す分析物を標識化して、血清試料に関する公刊物において言及された分析物は、中塗りの赤色記号で示す。
【図２７】[00149]  図２７は、組織試料でのトロンボスポンジン−２組織化学の同定を図示する。トロンボスポンジン−２は、単一肺癌標本の連続凍結切片において、（Ａ）自製のウサギポリクローナルトロンボスポンジン−２ポリクローナル抗体、（Ｂ）自製のポリクローナル抗体を作製するのに使用した免疫前血清、Ｃ）市販（Novus）のウサギポリクローナルトロンボスポンジン−２抗体、及び（Ｄ）トロンボスポンジン−２  ＳＯＭＡマーによって、同定される。次いで、トロンボスポンジン−２  ＳＯＭＡマーを使用して、標準のアビジン−ビオチン−ペルオキシダーゼ発色現象で、正常肺組織と悪性肺組織の凍結切片を染色し、異なる形態学的分布を実証した：（Ｅ）癌細胞の細胞質染色がほとんど無い、腫瘍巣周囲にある線維性ストローマの強い染色、（Ｆ）癌細胞の有意な染色が無い、膠様腺癌の腫瘍巣周囲にある線維性ストローマの強い染色、（Ｇ）気管支上皮と分散した肺胞マクロファージの強い細胞質染色を示す、正常肺組織、及び（Ｈ）非線維性で主として炎症性のストローマの有意な染色が無い、腺癌の強い細胞質染色。
【発明を実施するための形態】
【０１１６】
[00150]  本明細書に開示する本発明の実施では、他に示さなければ、当該技術分野の技量レベル内にある化学、微生物学、分子生物学、及び組換えＤＮＡ技術の慣用法を利用する。このような技術は、文献に十分説明されている。例えば、Sambrook, et al.「分子クローニング：実験マニュアル（Molecular Cloning: A Laboratory Manual）」（現行版）；「ＤＮＡクローニング：実践アプローチ（DNA Cloning: A Practical Approach）」第Ｉ及びＩＩ巻（D. Glover, 監修）；「オリゴヌクレオチド合成（Oligonucleotide Synthesis）」(N. Gait 監修、現行版)；「核酸ハイブリダイゼーション（Nucleic Acid Hybridization）」（B. Hames & S. Higgins 監修、現行版）；「転写及び翻訳（Transcription and Translation）」(B. Hames & S. Higgins 監修、現行版；「病理学者のための組織学（Histology for Pathologists）」（S.E. Mills, 現行版）を参照のこと。本出願で引用するすべての刊行物、公開特許文献、及び特許出願は、本出願が関連する技術分野（複数）の最高水準を示している。本明細書で引用するすべての刊行物、公開特許文献、及び特許出願は、それぞれ個別の刊行物、公開特許文献、又は特許出願が参照により組み込まれるものとして具体的かつ個別に示されるのと同じ程度で、参照により本明細書に組み込まれる。
【０１１７】
[00151]  これから本発明の代表的な態様へ詳しく言及する。列挙される態様に関連して本発明を記載するが、本発明は、それらの態様に限定されるわけではないことが理解されよう。むしろ、本発明には、特許請求項によって明確化される本発明の範囲内に含まれる可能性があるすべての代替態様、変更態様、及び等価物が含まれると企図される。
【０１１８】
[00152]  他に定義されなければ、本明細書において使用する技術及び科学の用語は、本発明が属する技術分野の当業者によって通常理解されるのと同じ意味を有する。本明細書に記載されるものと同様又は等価などの方法、デバイス、及び材料も本発明の実践又は検証に使用し得るが、好ましい方法、デバイス、及び材料についてこれから記載する。
【０１１９】
[00153]  付帯の特許請求項が含まれる本出願に使用されるように、単数形の冠詞「ａ」、「ａｎ」及び「ｔｈｅ」には、その内容が明らかに他のことを指定しなければ、複数の言及が含まれ、「少なくとも１つ」及び「１以上の」と可換的に使用される。従って、「アプタマー（an aptamer）」への言及には、アプタマー（aptamers）の混合物が含まれ、「プローブ（a probe）」への言及には、プローブ（probes）の混合物が含まれる、といった具合である。
【０１２０】
[00154]  本明細書に使用するように、「約」という用語は、数値が関連する項目の基本機能が不変であるように、数値の些細な変更又は変化を表す。
[00155]  本明細書に使用するように、「〜を含む」、「〜を含んでなる」、「〜が含まれる」、「〜が含まれている」、「〜を含有する」、「〜を含有している」という用語とこれらの変形には、ある要素又は要素のリストを含む、それらが含まれる、又はそれらを含有するプロセス、方法、プロセスによる製品、又は材料の組成物には、その要素だけが含まれるのではなくて、明白には収載されない他の要素、又はそのようなプロセス、方法、プロセスによる製品、又は材料の組成物に固有の他の要素も含まれる場合があるように、非排他的な包含が含まれると企図される。
【０１２１】
[00156]  本出願には、肺癌の検出及び診断用のバイオマーカー、方法、デバイス、試薬、システム、及びキットが含まれる。
[00157]  １つの側面では、１以上のバイオマーカーを、肺癌を診断する、肺結節の良性又は悪性としての鑑別診断を可能にする、肺癌再発を監視する、又は他の臨床適用へ対処するための単独又は様々な組合せでの使用に提供する。他の側面では、前記バイオマーカー（複数）を、予後判定、癌分類、疾患リスクの予測、又は治療法の選択のような、個体中の肺癌に関する情報を決定するのに使用することができる。以下に詳しく記載するように、例示の態様には、一般的には実施例１に記載されて、より具体的には実施例２及び６に記載される、マルチプレックスアプタマーベースのアッセイを使用して同定された、表１８、２０、及び２１に提供されるバイオマーカーが含まれる。このバイオマーカーのそれぞれは、下記に規定するようなあらゆる種類の試料をアッセイするのに有用である。
【０１２２】
[00158]  表１、カラム２は、ＮＳＣＬＣ癌症例からの数百の個別血液試料と、喫煙者から、そして良性肺結節と診断された個体からの数百の同等の個別血液試料を分析することより得られた知見を示す。喫煙者及び良性結節の群は、肺癌診断検査が最も有益であり得る集団と適合するように設計した（上記の症例及び対照は、そのような検査をその下で適用し得る現実世界の条件の範囲を模倣するために、多数の臨床施設より入手した）。潜在的なバイオマーカーは、疾患及び対照の血液をプールするのではなくて、個別試料において測定した；これにより、疾患（この場合は、肺癌）の存在及び非存在に関連した表現型の個体変異及び群変異についてのよりよい理解が可能になった。各試料に関して８００を超えるタンパク質の測定を行って、その疾患集団及び対照集団のそれぞれより数百の試料を個別に測定したので、表１、カラム２は、異常なほどに大きなデータのセットの分析より得られた。この測定値を、本明細書の「バイオマーカーの分類と疾患スコアの計算」セクションに記載の方法を使用して解析した。
【０１２３】
[00159]  表１、カラム２は、良性肺結節のある喫煙者及び個体より入手した「対照」試料から、ＮＳＣＬＣのある個体より入手した試料を区別するのに有用であることが見出されたバイオマーカーを収載する。本明細書に記載のマルチプレックスアプタマーアッセイを使用して、肺癌を有する個体より入手した試料を喫煙者対照群の個体より入手した試料から区別する３８種のバイオマーカーを発見した（表１、カラム６を参照のこと）。同様に、マルチプレックスアプタマーアッセイを使用して、良性肺結節を有する人々より入手した試料から、ＮＳＣＬＣのある個体より入手した試料を区別する４０種のバイオマーカーを発見した（表１、カラム５を参照のこと）。一緒にすると、良性結節からＮＳＣＬＣを区別するためのバイオマーカーのリストと、肺癌を有さない喫煙者からＮＳＣＬＣを区別するためのリストの間にはかなりの重なりがあるので、３８種と４０種のバイオマーカーの２つのリストは、６１種のユニークなバイオマーカーより構成される。
【０１２４】
[00160]  表１８は、実施例６に記載のように、ＮＳＣＬＣと診断された喫煙者の８つの個別組織試料より得られた知見を示す。患者は、いずれも４７〜７５歳の範囲に及ぶ喫煙者であって、ＮＳＣＬＣ病期１Ａ〜３Ｂが含まれた。各個体より３つの試料：腫瘍組織、隣接健常組織（腫瘍の１ｃｍ以内）、及び遠位の非関与肺組織を入手した。この試料を選択したのは、肺癌診断検査が最も有益であり得る集団を適合させるためである。潜在的なバイオマーカーは、疾患及び対照の組織をプールするのではなく、個別の試料において測定した；これにより、疾患（この場合は、肺癌）の存在及び非存在に関連した表現型の個体変異及び群変異についてのよりよい理解が可能になった。この測定値は、マン・ホイットニー検定を使用して解析した。
【０１２５】
[00161]  表１８は、ＮＳＣＬＣの個体より得られる試料を同じ個体より得られる隣接及び遠位の非関与肺組織より得られる「対照」試料から区別するのに有用であることが見出されたバイオマーカーを収載する。本明細書に記載のマルチプレックスアプタマーアッセイを使用して、ＮＳＣＬＣと診断された個体中の隣接及び遠位肺組織より得られる試料から腫瘍組織試料を区別する３６種のバイオマーカーを発見した。表１、カラム２を参照すると、このバイオマーカーのうち１１種が実施例２に記載のような血清試料において同定されたバイオマーカーと重なることがわかる。元の血清プロファイリングでは測定しなかった追加のバイオマーカーであるＭＭＰ−１２は、血清と組織の両方で有用なバイオマーカーであることが見出されてきた。表２１は、血清試料と腫瘍組織試料の両方を合わせて同定された全数（４６種）のバイオマーカーのリストを提供する。表２０は、腫瘍組織試料に特有であると同定されたバイオマーカー（２５種）のリストを提供する。
【０１２６】
[00162]  記載した肺癌バイオマーカーのあるものは、肺癌を検出及び診断するのに単独で有用であるが、本明細書では、肺癌バイオマーカーの複合サブセットの群分けの方法についても記載する。ここでは、それぞれの群分け又はサブセット選択が、本明細書において「バイオマーカーパネル」及びパネルと可換的に呼ばれる、３以上のバイオマーカーのパネルとして有用である。このように、本出願の様々な態様は、Ｎ個のバイオマーカーを含んでなる組合せを提供し、ここでＮは、少なくとも２のバイオマーカーである。他の態様では、２〜８６のバイオマーカー（表２１）；２〜３６のバイオマーカー（表１８）；又は２〜２５のバイオマーカー（表２０）よりＮを選択する。他の態様では、２〜８６（表２１）よりＮを選択して、前記Ｎ個のバイオマーカーの少なくとも１つは、ＭＭＰ−１２である。他の態様では、２〜２５（表２０）よりＮを選択して、前記Ｎ個のバイオマーカーの少なくとも１つは、ＭＭＰ−１２である。このマーカーの１つとしてＭＭＰ−１２が含まれる２〜５のバイオマーカーの代表的なパネルを表２２〜２５に示す。
【０１２７】
[00163]  なお他の態様では、バイオマーカーを表１８に収載されるものより選択して、２〜７、２〜１０、２〜１５、２〜２０、２〜２５、２〜３０、２〜３６の任意数であるようにＮを選択する。他の態様では、３〜７、３〜１０、３〜１５、３〜２０、３〜２５、３〜３０、３〜３６の任意数であるようにＮを選択する。他の態様では、４〜７、４〜１０、４〜１５、４〜２０、４〜２５、４〜３０、４〜３６の任意数であるようにＮを選択する。他の態様では、５〜７、５〜１０、５〜１５、５〜２０、５〜２５、５〜３０、５〜３６の任意数であるようにＮを選択する。他の態様では、６〜１０、６〜１５、６〜２０、６〜２５、６〜３０、６〜３６の任意数であるようにＮを選択する。他の態様では、７〜１０、７〜１５、７〜２０、７〜２５、７〜３０、７〜３６の任意数であるようにＮを選択する。他の態様では、８〜１０、８〜１５、８〜２０、８〜２５、８〜３０、８〜３６の任意数であるようにＮを選択する。他の態様では、９〜１５、９〜２０、９〜２５、９〜３０、９〜３６の任意数であるようにＮを選択する。他の態様では、１０〜１５、１０〜２０、１０〜２５、１０〜３０、１０〜３６の任意数であるようにＮを選択する。同様の、しかしより高い次数の範囲が含まれるようにＮを選択することができると理解されよう。
【０１２８】
[00164]  なお他の態様では、バイオマーカーを表２０に収載されるものより選択して、２〜７、２〜１０、２〜１５、２〜２０、２〜２５の任意数であるようにＮを選択する。他の態様では、３〜７、３〜１０、３〜１５、３〜２０、３〜２５の任意数であるようにＮを選択する。他の態様では、４〜７、４〜１０、４〜１５、４〜２０、４〜２５の任意数であるようにＮを選択する。他の態様では、５〜７、５〜１０、５〜１５、５〜２０、５〜２５の任意数であるようにＮを選択する。他の態様では、６〜１０、６〜１５、６〜２０、６〜２５の任意数であるようにＮを選択する。他の態様では、７〜１０、７〜１５、７〜２０、７〜２５の任意数であるようにＮを選択する。他の態様では、８〜１０、８〜１５、８〜２０、８〜２５の任意数であるようにＮを選択する。他の態様では、９〜１５、９〜２０、９〜２５の任意数であるようにＮを選択する。他の態様では、１０〜１５、１０〜２０、１０〜２５の任意数であるようにＮを選択する。他の態様では、９〜１５、９〜２０、９〜２５の任意数であるようにＮを選択する。他の態様では、１０〜１５、１０〜２０、１０〜２５の任意数であるようにＮを選択する。同様の、しかしより高い次数の範囲が含まれるようにＮを選択することができると理解されよう。
【０１２９】
[00165]  なお他の態様では、バイオマーカーを表２１に収載されるものより選択して、２〜７、２〜１０、２〜１５、２〜２０、２〜２５、２〜３０、２〜３５、２〜４０、２〜４５、２〜５０、２〜５５、２〜６０、２〜６５、２〜７０、２〜７５、２〜８０、又は２〜８６の任意数であるようにＮを選択する。他の態様では、３〜７、３〜１０、３〜１５、３〜２０、３〜２５、３〜３０、３〜３５、３〜４０、３〜４５、３〜５０、３〜５５、３〜６０、３〜６５、３〜７０、３〜７５、３〜８０、又は３〜８６の任意数であるようにＮを選択する。他の態様では、４〜７、４〜１０、４〜１５、４〜２０、４〜２５、４〜３０、４〜３５、４〜４０、４〜４５、４〜５０、４〜５５、４〜６０、４〜６５、４〜７０、４〜７５、４〜８０、又は４〜８６の任意数であるようにＮを選択する。他の態様では、５〜７、５〜１０、５〜１５、５〜２０、５〜２５、５〜３０、５〜３５、５〜４０、５〜４５、５〜５０、５〜５５、５〜６０、５〜６５、５〜７０、５〜７５、５〜８０、又は５〜８６の任意数であるようにＮを選択する。他の態様では、６〜１０、６〜１５、６〜２０、６〜２５、６〜３０、６〜３５、６〜４０、６〜４５、６〜５０、６〜５５、６〜６０、６〜６５、６〜７０、６〜７５、６〜８０、又は６〜８６の任意数であるようにＮを選択する。他の態様では、７〜１０、７〜１５、７〜２０、７〜２５、７〜３０、７〜３５、７〜４０、７〜４５、７〜５０、７〜５５、７〜６０、７〜６５、７〜７０、７〜７５、７〜８０、又は７〜８６の任意数であるようにＮを選択する。他の態様では、８〜１０、８〜１５、８〜２０、８〜２５、８〜３０、８〜３５、８〜４０、８〜４５、８〜５０、８〜５５、８〜６０、８〜６５、８〜７０、８〜７５、８〜８０、又は８〜８６の任意数であるようにＮを選択する。他の態様では、９〜１５、９〜２０、９〜２５、９〜３０、９〜３５、９〜４０、９〜４５、９〜５０、９〜５５、９〜６０、９〜６５、９〜７０、９〜７５、９〜８０、又は９〜８６の任意数であるようにＮを選択する。他の態様では、１０〜１５、１０〜２０、１０〜２５、１０〜３０、１０〜３５、１０〜４０、１０〜４５、１０〜５０、１０〜５５、１０〜６０、１０〜６５、１０〜７０、１０〜７５、１０〜８０、又は１０〜８６の任意数であるようにＮを選択する。同様の、しかしより高い次数の範囲が含まれるようにＮを選択することができると理解されよう。
【０１３０】
[00166]  １つの態様において、バイオマーカーのサブセット又はパネルに有用なバイオマーカーの数は、バイオマーカー値の特別な組合せについての感度及び特異度の数値に基づく。「感度」及び「特異度」という用語は、本明細書において、その生体試料に検出される１以上のバイオマーカー値に基づいて、肺癌を有するもの又は肺癌を有さないものとして個体を正確に分類する能力に関して使用される。「感度」は、肺癌を有する個体を正確に分類することに関するバイオマーカー（複数）の性能を示す。「特異度」は、肺癌を有さない個体を正確に分類することに関するバイオマーカー（複数）の性能を示す。例えば、対照試料及び肺癌試料のセットを検査するのに使用したマーカーのパネルの特異度が８５％で感度が９０％であれば、対照試料の８５％がそのパネルによって対照試料として正確に分類されて、肺癌試料の９０％がそのパネルによって肺癌試料として正確に分類されたことを示す。望まれるか又は好ましい最小値は、実施例３に記載のように決定することができる。
【０１３１】
[00167]  １つの側面では、個体からの生体試料に対してアッセイを実施して、バイオマーカーのＭＭＰ−７、ＭＭＰ−１２、又はＩＧＦＢＰ−２の少なくとも１つと、表２１のバイオマーカーのリストより選択される少なくともＮ個の追加バイオマーカー（ここでＮは、２、３、４、５、６、７、８、９、１０、１１、１２、１３、１４、又は１５に等しい）にそれぞれ対応するバイオマーカー値を検出することによって、肺癌を個体において検出又は診断する。さらなる側面では、個体からの生体試料に対してアッセイを実施して、バイオマーカーのＭＭＰ−７、ＭＭＰ−１２、又はＩＧＦＢＰ−２と、表２１のバイオマーカーのリストより選択される少なくともＮ個の追加バイオマーカー（ここでＮは、１、２、３、４、５、６、７、８、９、１０、１１、１２、又は１３に等しい）の１つにそれぞれ対応するバイオマーカー値を検出することによって、肺癌を個体において検出又は診断する。さらなる側面では、個体からの生体試料に対してアッセイを実施して、バイオマーカーのＭＭＰ−７と、表２１のバイオマーカーのリストより選択される少なくともＮ個の追加バイオマーカー（ここでＮは、２、３、４、５、６、７、８、９、１０、１１、１２、１３、１４、又は１５に等しい）の１つにそれぞれ対応するバイオマーカー値を検出することによって、肺癌を個体において検出又は診断する。さらなる側面では、個体からの生体試料に対してアッセイを実施して、バイオマーカーのＭＭＰ−１２と、表２１のバイオマーカーのリストより選択される少なくともＮ個の追加バイオマーカー（ここでＮは、２、３、４、５、６、７、８、９、１０、１１、１２、１３、１４、又は１５に等しい）の１つにそれぞれ対応するバイオマーカー値を検出することによって、肺癌を個体において検出又は診断する。さらなる側面では、個体からの生体試料に対してアッセイを実施して、バイオマーカーのＩＧＦＢＰ−２と、表２１のバイオマーカーのリストより選択される少なくともＮ個の追加バイオマーカー（ここでＮは、２、３、４、５、６、７、８、９、１０、１１、１２、１３、１４、又は１５に等しい）の１つにそれぞれ対応するバイオマーカー値を検出することによって、肺癌を個体において検出又は診断する。
【０１３２】
[00168]  本発明において同定される肺癌バイオマーカーは、肺癌を効果的に検出又は診断するために使用し得るバイオマーカーのサブセット又はパネルについての相対的に大きな数の選択肢を表す。そのようなバイオマーカーの所望される数の選択は、選択されるバイオマーカーの特定の組合せに依存する。肺癌を検出又は診断するためのバイオマーカーのパネルに、表１８、２０、又は２１に見出されないバイオマーカーも含めてよいこと、そして表１８、２０、又は２１に見出されない追加バイオマーカーの包含により、表１８、２０、又は２１より選択される特別なサブセット又はパネル中のバイオマーカーの数を減らしてよいことを銘記することが重要である。サブセット又はパネルに使用する表１８、２０、又は２１からのバイオマーカーの数はまた、追加の生物医学情報をそのバイオマーカー値とともに使用して、所与のアッセイについて受容される感度及び特異度の値が確定されるならば、減らしてよい。
【０１３３】
[00169]  バイオマーカーのサブセット又はパネルに使用すべきバイオマーカーの数に影響を及ぼす可能性がある別の要因は、肺癌について診断されている個体から生体試料を入手するために使用される手順である。注意深く管理された試料獲得環境では、所望の感度及び特異度の数値に合致するのに必要なバイオマーカーの数は、試料の採取、取扱い、及び保存においてより大きな変動性があり得る状況より小さくなるだろう。表１８、２０、又は２１に示すバイオマーカーのリストを拡充するときには、多数の試料採取施設を利用して、分類器訓練用のデータを採取した。これにより、試料の採取、取扱い、及び保存の変動性に対してより低感度である、より確実なバイオマーカーが提供されるが、訓練データがきわめて似た条件の下ですべて入手されるならば、サブセット又はパネル中のバイオマーカーの数は、より大きくなることが求められる可能性もある。
【０１３４】
[00170]  本発明の１つの側面を図１Ａ及びＢに関連して一般的に記載することができる。目的とする単数又は複数の個体より生体試料を入手する。次いで、この生体試料についてアッセイして、目的とする１以上（Ｎ個）のバイオマーカーの存在を検出して、前記Ｎ個のバイオマーカーのそれぞれのバイオマーカー値（図１Ｂでは、マーカーＲＦＵと呼ばれる）を定量する。あるバイオマーカーが検出されて、バイオマーカー値が割り当てられたならば、本明細書に詳しく記載するように、各マーカーをスコア化するか又は分類する。次いで、そのマーカースコアを組み合わせて、合計診断スコアを提供する。これは、その試料が入手された個体が肺癌を有する可能性を示す。
【０１３５】
[00171]  本明細書に使用するように、「肺（lung）」は、「肺の（pulmonary）」を可換的に意味する場合がある。
[00172]  本明細書に使用するように、「喫煙者」は、タバコ煙吸入の既往歴がある個体を意味する。
【０１３６】
[00173]  「生体試料」、「試料」、及び「検査試料」は、本明細書において可換的に使用されて、個体より入手されるか又は他のやり方で個体に由来するあらゆる材料、生体液、組織、又は細胞を意味する。これには、血液（全血、白血球、末梢血単核細胞、バフィーコート、血漿、及び血清が含まれる）、喀痰、涙液、粘液、鼻洗浄液、鼻吸引液、呼気、尿、精液、唾液、髄膜液、羊水、腺液、リンパ液、乳頭吸引液、気管支吸引液、滑液、関節吸引液、細胞、細胞抽出物、及び脳脊髄液が含まれる。これには、先述のすべての実験的に分離した画分も含まれる。例えば、血液試料は、血清へ、又は赤血球細胞又は白血球細胞（白血球）のような特別な種類の血液細胞を含有する画分へ分画することができる。所望されるならば、試料は、組織と体液試料の組合せのように、個体からの試料の組合せであり得る。「生体試料」という用語には、例えば、大便試料、組織試料、又は組織生検に由来するような、均質化した固体材料を含有する材料も含まれる。「生体試料」という用語には、組織培養物又は細胞培養物に由来する材料も含まれる。生体試料を入手するのに適したどの方法も利用してよく、例示の方法には、例えば、瀉血、スワブ（例、頬内スワブ）、及び微細針吸引生検法が含まれる。微細針吸引を受けやすい例示の組織には、リンパ節、肺、肺洗浄液、ＢＡＬ（気管支肺胞洗浄液）、甲状腺、乳房、及び肝臓が含まれる。試料はまた、例えば、顕微解剖（例、レーザー捕捉顕微解剖（ＬＣＭ）又はレーザー顕微解剖（ＬＭＤ））、膀胱洗浄、塗抹標本（例、ＰＡＰ塗抹標本）、又は乳管洗浄によって採取することができる。個体より入手されるか又はそれに由来する「生体試料」には、個体から入手した後であらゆる好適なやり方で処理されたような、どの試料も含まれる。
【０１３７】
[00174]  「組織試料」又は「組織」は、上記に記載の生体試料のあるサブセットを意味する。この定義によれば、組織は、不均質な環境中の巨大分子の収集物である。本明細書に使用するように、組織は、単一の細胞種、細胞種の収集物、細胞の集合体、又は巨大分子の集合体に言及する。組織は、一般に、構造と組成の両方に関して流動的であるか又は強固であり得る巨大分子の有形アレイである。細胞外マトリックスは、構造的にも組成的にもより強固な組織の例であり、一方、膜二重層は、構造及び組成においてより流動的である。組織には、限定されないが、所与の臓器（例、腎組織、脳組織、肺組織）の細胞構造全体を表出するのに通常使用される構造材料の１つを形成する細胞内物質と一緒の、通常はある特別な種類の細胞の集合体が含まれる。４種の一般的な組織クラスは、上皮組織、結合組織、神経組織、及び筋肉組織である。その全体が参照により本明細書に組み込まれる、国際特許出願公開公報ＷＯ２０１１／００６０７５号（２０１１年１月１３日公開）には、組織標的に対する遅いオフ速度アプタマーを同定するための方法が記載されている。
【０１３８】
[00175]  この定義に該当する組織の例には、限定されないが、非細胞性であるフィブリン凝塊のような巨大分子の不均質集合体；細胞の均質又は不均質な集合体；特定の機能を有する細胞を含有するより高次の秩序構造（臓器、腫瘍、リンパ節、動脈、等のような）；及び、個々の細胞が含まれる。組織又は細胞は、その自然環境にあっても、単離されても、組織培養中にあってもよい。組織は、インタクトであっても、修飾されてもよい。この修飾には、形質転換、トランスフェクション、活性化、及び下部構造（例、細胞膜、細胞核、細胞オルガネラ、等）の単離のような数多くの変化を含めることができる。
【０１３９】
[00176]  組織、細胞、又は細胞小器官の供給源は、原核動物並びに真核動物より入手することができる。これには、ヒト、動物、植物、細菌、真菌、及びウイルスの構造が含まれる。
【０１４０】
[00177]  さらに、何人かの個体より生体試料を取ってそれらをプールすること、又は各個体の生体試料のアリコートをプールすることによって生体試料を導くことができると理解されたい。プールした試料は、単一の個体からの試料として処理することができて、そのプールした試料において癌の存在が確定されたならば、各個体の生体試料を再検査して、どの個体（複数）が肺癌を有するかを決定することができる。
【０１４１】
[00178]  本明細書の目的では、「個体からの生体試料へ帰属されるデータ」という句は、ある形式のデータが、個体の生体試料より導かれたか、又はそれを使用して作成されたことを意味すると企図される。そのデータは、ある測定システムでの単位から別の測定システムでの単位への変換によるように、作成された後で、ある度合いまで、再フォーマット化、修正、又は数学的に変化させた可能性があっても、そのデータは、その生体試料より導かれたか、又はそれを使用して作成されたと理解される。
【０１４２】
[00179]  「標的」、「標的分子」、及び「分析物」は、本明細書において可換的に使用されて、生体試料に存在し得る、目的のあらゆる分子を意味する。「目的の分子」には、タンパク質の場合、例えば、アミノ酸配列のわずかな変異、ジスルフィド結合形成、グリコシル化、脂質化、アセチル化、リン酸化、又は他のあらゆる操作又は修飾（分子の同一性を実質的には改変しない、標識成分とのコンジュゲーションのような）といった、特別な分子のあらゆるわずかな変種も含まれる。「標的分子」、「標的」、又は「分析物」は、分子又は多分子構造の１種又は数種のコピーのセットである。「標的分子（複数）」、「標的（複数）」、及び「分析物（複数）」は、１より多いそのような分子のセットを意味する。例示の標的分子には、タンパク質、ポリペプチド、核酸、炭水化物、脂質、多糖、糖タンパク質、ホルモン、受容体、抗原、抗体、アフィボディ、抗体模倣体、ウイルス、病原体、有毒物質、基質、代謝産物、遷移状態類似体、補因子、阻害剤、薬物、色素、栄養素、増殖因子、細胞、組織、及び上述のいずれものあらゆる断片又は部分が含まれる。
【０１４３】
[00180]  本明細書に使用するように、「ポリペプチド」、「ペプチド」、及び「タンパク質」は、本明細書において可換的に使用されて、あらゆる長さのアミノ酸のポリマーを意味する。このポリマーは、直鎖又は分岐鎖であり得て、修飾されたアミノ酸を含んでよく、そしてそれは、非アミノ酸によって中断されてよい。この用語には、天然で、又は介入によって（例えば、ジスルフィド結合形成、グリコシル化、脂質化、アセチル化、リン酸化、又は標識成分とのコンジュゲーションのような、他のあらゆる操作又は修飾）修飾されたアミノ酸ポリマーも含まれる。またこの定義内に含まれるのは、例えば、アミノ酸の１以上の類似体（例えば、非天然アミノ酸、等が含まれる）、並びに当該技術分野で知られている他の修飾を含有するポリペプチドである。ポリペプチドは、単鎖又は会合鎖であり得る。またこの定義内に含まれるのは、プレタンパク質とインタクトな成熟タンパク質；成熟タンパク質に由来するペプチド又はポリペプチド；タンパク質の断片；スプライス変異体；タンパク質の組換え型；アミノ酸の修飾、欠失、又は置換があるタンパク質変異体；消化物；及び、グリコシル化、アセチル化、リン酸化、等のような翻訳後修飾物である。
【０１４４】
[00181]  本明細書に使用するように、「マーカー」及び「バイオマーカー」は、可換的に使用されて、個体中の正常又は異常プロセス、又は個体中の疾患又は他の状態を示すか又はその徴候である標的分子を意味する。より具体的には、「マーカー」又は「バイオマーカー」は、正常又は異常のいずれか、そして異常であれば、慢性又は急性のいずれかである、特定の生理学的状態又はプロセスの存在に関連した、解剖学的、生理学的、生化学的、又は分子のパラメータである。バイオマーカーは、実験アッセイと医用造影法が含まれる、多様な方法によって検出可能で測定可能である。バイオマーカーがタンパク質であるときは、対応遺伝子の発現、又はそのバイオマーカーの発現を制御するバイオマーカー又はタンパク質をコードする遺伝子のメチル化状態を、対応するタンパク質バイオマーカーの生体試料中での量又は有無の代用尺度として使用することも可能である。
【０１４５】
[00182]  本明細書に使用するように、「バイオマーカー値」、「数値」、「バイオマーカーレベル」、及び「レベル」は、可換的に使用されて、生体試料中のバイオマーカーを検出するためのあらゆる分析法を使用して得られて、生体試料中のバイオマーカーそのもの、それに関する、又はそれに対応するものの存在、非存在、絶対的な量又は濃度、相対的な量又は濃度、力価、レベル、発現レベル、測定レベルの比、等を示す測定値を意味する。「数値」又は「レベル」の正確性は、バイオマーカーを検出するために利用される特別な分析法の特定の設計及び構成要素に依存する。
【０１４６】
[00183]  バイオマーカーが個体中の異常なプロセス又は疾患又は他の状態を示すか又はその徴候であるとき、そのバイオマーカーは、個体中の正常なプロセス又は疾患や他の状態の非存在を示すか又はその徴候となるバイオマーカーの発現レベル又は数値と比較して、過剰発現又は低発現のいずれかとして概して記載される。
【０１４７】
[00184]  「上方調節」、「上方調節性」、「過剰発現」、「過剰発現性」、及びこれらのあらゆる変型は、可換的に使用されて、典型的には、健常又は正常な個体からの同様の生体試料中に検出されるバイオマーカーの数値又はレベル（又は、数値又はレベルの範囲）より大きい、生体試料中のバイオマーカーの数値又はレベルを意味する。この用語は、特別な疾患の異なる病期で検出され得るバイオマーカーの数値又はレベル（又は、数値又はレベルの範囲）より大きい、生体試料中のバイオマーカーの数値又はレベルを意味する場合もある。
【０１４８】
[00185]  「下方調節」、「下方調節性」、「低発現」、「低発現性」、及びこれらのあらゆる変型は、可換的に使用されて、典型的には、健常又は正常な個体からの同様の生体試料中に検出されるバイオマーカーの数値又はレベル（又は、数値又はレベルの範囲）より小さい、生体試料中のバイオマーカーの数値又はレベルを意味する。この用語は、特別な疾患の異なる病期で検出され得るバイオマーカーの数値又はレベル（又は、数値又はレベルの範囲）より小さい、生体試料中のバイオマーカーの数値又はレベルを意味する場合もある。
【０１４９】
[00186]  さらに、過剰発現されているか又は低発現されているバイオマーカーは、個体中の正常なプロセス又は疾患や他の状態の非存在を示すか又はその徴候であるバイオマーカーの「正常な」発現レベル又は数値と比較して、「差示的に発現」されている、又は「差示的なレベル」又は「差示的な数値」を有すると呼ばれる場合もある。このように、バイオマーカーの「差示的な発現」は、バイオマーカーの「正常な」発現レベルからの変動と呼ばれる場合もある。
【０１５０】
[00187]  「差示的な遺伝子発現」及び「差示的な発現」という用語は、可換的に使用されて、その発現が、正常又は対照の被検者におけるその発現に比べて、特定の疾患に罹患している被検者において、より高いか又はより低いレベルへ活性化されている遺伝子（又はその対応するタンパク質発現産物）に言及する。この用語には、その発現が同じ疾患の異なる病期でより高いか又はより低いレベルへ活性化されている遺伝子（又はその対応するタンパク質発現産物）も含まれる。また、差示的に発現される遺伝子は、核酸レベル又はタンパク質レベルで活性化又は阻害されても、選択的スプライシングを受けて異なるポリペプチド産物を生じてもよいと理解される。このような差異は、ｍＲＮＡレベル、ポリペプチドの表面発現、分泌、又は他の分割化（partitioning）が含まれる、多様な変化によって証拠立てることができる。差示的な遺伝子発現には、２以上の遺伝子又はその遺伝子産物の間の発現の比較；又は２以上の遺伝子又はその遺伝子産物の間の発現の比の比較；又は、同じ遺伝子の２つの差示的にプロセシングされる産物（これらは、正常被検者と疾患に罹患している被検者の間で異なる）の比較、又は同じ疾患の様々な段階の間の比較さえ含めてよい。差示的な発現には、例えば、正常細胞と病的細胞の間で、又は異なる疾患イベント又は病期を経た細胞の間での遺伝子又はその発現産物における時間的パターン又は細胞発現パターンの定量的な差異と定性的な差異がともに含まれる。
【０１５１】
[00188]  本明細書に使用するように、「個体」は、被検者又は患者を意味する。個体は、哺乳動物又は非哺乳動物であり得る。様々な態様において、個体は、哺乳動物である。哺乳動物の個体は、ヒト又は非ヒトであり得る。様々な態様において、個体は、ヒトである。健常又は正常な個体とは、目的の疾患又は状態（例えば、肺疾患、肺関連疾患、又は他の肺状態）が慣用の診断法によって検出可能でない個体である。
【０１５２】
[00189]  「診断する」、「診断すること」、「診断」、及びこれらの変型は、個体に関連する１以上の徴候、症状、データ、又は他の情報に基づいた、個体の健康状況又は症状の検出、判定、又は認知を意味する。個体の健康状態は、健常／正常（即ち、疾患又は状態の非存在の診断）として診断され得るか、又は病気／異常（即ち、疾患又は症状の存在の診断、又はその特徴の評価）として診断され得る。「診断する」、「診断すること」、「診断」、等の用語には、特別な疾患又は状態に関する、疾患の初期検出；疾患の特性決定又は分類；疾患の進行、寛解、又は再発の検出；並びに、治療薬又は療法の個体への投与後の疾患応答の検出が含まれる。肺癌の診断には、喫煙者と非喫煙者を含めて、癌を有する個体を、癌を有さない個体から区別することが含まれる。さらにそれには、良性の肺結節を癌性の肺結節から区別することが含まれる。
【０１５３】
[00190]  「予後判定する」、「予後判定すること」、「予後判定」、及びこれらの変型は、疾患又は状態を有する個体におけるその疾患又は状態の将来経過の予測（例、患者の生存を予測すること）を意味して、そのような用語には、治療薬又は療法の個体への投与後の疾患応答の評価が含まれる。
【０１５４】
[00191]  「評価する」、「評価すること」、「評価」、及びこれらの変型には、「診断する」と「予後判定する」がともに含まれて、疾患を有さない個体における疾患又は状態の将来の経過に関する決定又は予測、並びに疾患が見かけは治癒した個体において疾患又は状態が再発する可能性に関する決定又は予測も含まれる。「評価する」という用語には、例えば、個体がある治療薬剤に対して好ましく応答する可能性があるか、又はある治療薬剤に対して応答しそうにない（又は、例えば、有毒な副作用、又は他の望まれない副作用を体験する）かどうかを予測することのように、療法に対する個体の応答を評価すること、個体への投与用の治療薬剤を選択すること、又は個体へ投与された治療薬に対する個体の応答を監視するか又は判定することも含まれる。このように、肺癌を「評価すること」には、例えば、以下のいずれも含めることができる：個体の生体試料に由来するバイオマーカー値の定量に基づいて、個体において肺癌の将来経過を予後判定すること；肺癌が見かけは治癒した個体において肺癌の再発を予測すること；又は、肺癌治療薬に対する個体の応答を決定又は予測すること、又は個体へ投与すべき肺癌治療薬を選択すること。
【０１５５】
[00192]  以下の例のいずれも、肺癌を「診断すること」又は「評価すること」のいずれかとして言及され得る：肺癌の存在又は非存在を初めに検出すること；肺癌の特定の病期、タイプ、又はサブタイプ、又は他の分類又は特徴を決定すること；肺結節が良性病変であるか悪性の肺腫瘍であるかを決定すること；又は、肺癌の進行（例、肺腫瘍の成長又は転移拡散を監視すること）、寛解、又は再発を検出／監視すること。
【０１５６】
[00193]  本明細書に使用するように、「追加の生物医学情報」は、肺癌リスクに関連している、本明細書に記載のバイオマーカーのいずれかを使用すること以外の、個体の１以上の評価に関連する。「追加の生物医学情報」には、以下のいずれも含まれる：個体の身体記述、ＣＴ造影法によって観察される肺結節の物的記述、個体の身長及び／又は体重、個体の性別、個体の民族性、喫煙歴、職歴、既知の発癌因子への曝露（例、アスベスト、ラドンガス、化学品、火災の煙、及び大気汚染［これには、産業／工場の排気、自動車／船舶／航空機の排気のような、固定又は移動排出源からの排気を含めることができる］のいずれかへの曝露）、副流煙への曝露、肺癌（又は他の癌）の家族歴、肺結節の存在、結節の大きさ、結節の位置、結節の形態（例えば、ＣＴ造影法により観察されるように、スリガラス状陰影（ＧＧＯ）、充実型、非充実型）、結節の周縁部の特徴（例、平滑、分葉、鋭利で平滑、有棘、浸潤）、等。喫煙歴は、通常、「パックイヤー」という用語で定量されるが、これは、「１日に吸うパックの平均数」に「人が喫煙した年数」を掛けたものを意味する。例えば、平均して１日１パックの煙草を３５年間吸った人は、３５パックイヤーの喫煙歴を有すると言われる。追加の生物医学情報は、通例の患者問診表又は既往歴問診表、等の使用により個体当人から、又は医療従事者、等からといった、当該技術分野で知られた通例の技術を使用して個体より入手することができる。あるいは、追加の生物医学情報は、ＣＴ造影法（例、低線量ＣＴ造影法）及びＸ線が含まれる、通例の造影技術より入手することができる。追加の生物医学情報の評価と組み合わせたバイオマーカーレベルの検査は、バイオマーカー検査単独、又は追加の生物医学情報のある特定項目を評価すること単独（例、ＣＴ造影法単独）と比較して、例えば、肺癌を検出するための感度、特異度、及び／又はＡＵＣ（又は他の肺癌に関連した使用）を改善する場合がある。
【０１５７】
[00194]  「曲線下面積」又は「ＡＵＣ」という用語は、受信者動作特性（ＲＯＣ）曲線の曲線下面積を意味して、このいずれも当該技術分野でよく知られている。ＡＵＣ測定は、完全なデータ範囲にわたる分類器の精度を比較するのに有用である。ＡＵＣがより大きい分類器は、未知群を目的の２群（例、肺癌試料と正常又は対照試料）の間で正確に分類する能力がより大きい。ＲＯＣ曲線は、２つの集団（例、肺癌を有する症例と肺癌のない対照）を区別するときに特別な特徴（例、本明細書に記載のバイオマーカーのいずれか、及び／又は追加の生物医学情報のある項目）の性能をプロットするのに有用である。典型的には、全集団（例、症例と対照）にわたる特徴データを単一特徴の数値に基づいて昇順で層別する。次いで、その特徴のそれぞれの数値について、データの真陽性率及び偽陽性率を計算する。真陽性率は、その特徴の数値より高い症例数を計数してから、全症例数で割ることによって決定される。偽陽性率は、その特徴の数値より高い対照数を計数してから、全対照数で割ることによって決定される。この定義は、対照に比較して症例においてある特徴が上昇しているシナリオに関連するが、この定義は、対照に比較して症例においてある特徴がより低いシナリオにも適用される（このようなシナリオでは、その特徴の数値未満の試料が計数されよう）。ＲＯＣ曲線は、単一の特徴についてだけでなく、他の単一出力についても作成することができて、例えば、２以上の特徴の組合せを数学的に複合して（例、加える、減らす、掛ける、等）単一合計値を提供することができて、この単一合計値をＲＯＣ曲線にプロットすることができる。その上、単一出力値を導く、複数の特徴のどの組合せもＲＯＣ曲線にプロットすることができる。これらの特徴の組合せは、検定を含む場合がある。ＲＯＣ曲線は、検定の真陽性率（感度）を検定の偽陽性率（１−特異度）に対してプロットするものである。
【０１５８】
[00195]  本明細書に使用するように、バイオマーカー値に関して「検出すること」又は「決定すること」には、バイオマーカー値に対応するシグナルを観測及び記録するのに必要とされる機器とそのシグナルを産生するために必要とされる材料（複数）の両方の使用が含まれる。様々な態様において、バイオマーカー値は、蛍光、化学発光、表面プラズモン共鳴、表面音響波、質量分析法、赤外分光法、ラマン分光法、原子間力顕微鏡、走査トンネル顕微鏡、電気化学検出法、核磁気共鳴、量子ドット、等が含まれる、どの好適な方法でも使用して検出される。
【０１５９】
[00196]  「固体支持体」は、本明細書において、共有結合又は非共結合のいずれかにより、直接的又は間接的に分子を付着させることができる表面を有するあらゆる基質を意味する。「固体支持体」は、多様な物理フォーマットを有し得て、それには、例えば、膜；チップ（例、タンパク質チップ）；スライド（例、スライドガラス又はカバーガラス）；カラム；中空、固体、半固体、空孔又は空洞含有性の粒子（例えば、ビーズのような）；ゲル；ファイバー（光ファイバー材料が含まれる）；マトリックス；及び、試料容器（receptacle）が含まれ得る。例示の試料容器には、試料ウェル、管、細管、バイアル、及び他のあらゆる容器、試料を保持することが可能な溝又は刻みが含まれる。試料容器は、マイクロタイタープレート、スライド、マイクロフルイディクスデバイス、等のようなマルチ試料プラットフォームに含有することができる。支持体は、天然又は合成材料、有機又は無機材料から構成され得る。捕捉試薬がその上で付着される固体支持体の組成は、一般に、付着の方法（例、共有結合）に依存する。他の例示の容器には、アッセイと関連の操作がその内部で起こり得る、微小滴とミクロ流体制御型又はバルクの油性／水性乳剤が含まれる。好適な固体支持体には、例えば、プラスチック、樹脂、多糖類、シリカ又はシリカベースの材料、機能化ガラス、変性シリコン、カーボン、金属、無機ガラス、膜、ナイロン、天然繊維（例えば、絹、羊毛、及び綿のような）、ポリマー、等が含まれる。固体支持体を構成する材料には、捕捉試薬の付着に使用される、例えば、カルボキシ、アミノ、又はヒドロキシル基のような反応基が含まれ得る。ポリマー性の固体支持体には、例えば、ポリスチレン、ポリエチレングリコールテトラフタレート、ポリビニルアセテート、塩化ポリビニル、ポリビニルピロリドン、ポリアクリロニトリル、ポリメチルメタクリレート、ポリテトラフルオロエチレン、ブチルゴム、スチレンブタジエンゴム、天然ゴム、ポリエチレン、ポリプロピレン、（ポリ）テトラフルオロエチレン、（ポリ）ビニリデンフルオリド、ポリカーボネート、及びポリメチルペンテンが含まれ得る。使用し得る好適な固体支持体粒子には、例えば、Ｌｕｍｉｎｅｘ（登録商標）型コード化粒子のようなコード化粒子、磁気粒子、及びガラス粒子が含まれる。
【０１６０】
バイオマーカーの例示の使用
[00197]  様々な例示の態様において、個体の肺組織中に存在する１以上のバイオマーカーに対応する１以上のバイオマーカー値を（本明細書に記載の分析法のいずれも含まれる）任意数の分析法によって検出することによって、肺癌を個体において診断するための方法を提供する。これらのバイオマーカーは、例えば、肺癌、特にＮＳＣＬＣを有さない個体に比較して、肺癌のある個体において差示的に発現されている。例えば、肺癌の早期診断を可能にするために、良性と悪性の肺結節（例えば、コンピュータ断層撮影（ＣＴ）スキャンで観測される結節のような）を区別するために、肺癌再発を監視するために、又は予後判定の決定と治療の方法が含まれる他の臨床適用のために、バイオマーカーの個体における差示的な発現の検出を使用することができる。
【０１６１】
[00198]  本明細書に記載のバイオマーカーのいずれも、以下のいずれも含まれる、多様な肺癌の臨床適用において使用し得る：肺癌の検出（高リスクの個体又は集団におけるような）；非小細胞肺癌（ＮＳＣＬＣ）と小細胞肺癌（ＳＣＬＣ）、及び／又は腺癌と扁平上皮癌を区別すること（又は他のやり方で、組織病理診断を容易にすること）によるように、肺癌を特性決定すること（例えば、肺癌のタイプ、サブタイプ、又は病期を決定すること）；肺結節が良性結節であるか又は悪性肺腫瘍であるかを決定すること；肺癌予後判定を判定すること；肺癌の進行又は寛解を監視すること；肺癌再発を監視すること；転移を監視すること；治療法の選択；治療薬剤又は他の治療法への応答を監視すること；コンピュータ断層撮影（ＣＴ）スクリーニングについての個体の層別化（例えば、肺癌のリスクがより高いのでスパイラルＣＴスクリーニングから利益を受ける可能性が最も高い個体を同定することで、ＣＴの陽性予測値を高めること）；喫煙歴、等、又は結節サイズ、形態、等のような追加の生物医学情報とバイオマーカー検査を組み合わせること（ＣＴ検査又はバイオマーカー検査単独に比較して、診断性能が高まったアッセイを提供するように）；肺結節の悪性又は良性かの診断を容易にすること；肺結節がＣＴで観察された直後の臨床意思決定を容易にすること（例えば、バイオマーカーベースの検査が陰性である場合のように、結節が低リスクであるとみなされるならば、結節サイズのカテゴリー化が有っても無くても、反復ＣＴスキャンを命じること、又はバイオマーカーベースの検査が陽性である場合のように、結節が中〜高リスクであるとみなされるならば、結節サイズのカテゴリー化が有っても無くても、生検を考慮すること）；及び、臨床フォローアップに関する決定（例えば、反復ＣＴスキャン、微細針生検、又はＣＴで非石灰化結節を観察した後での開胸術を実行すべきかどうか）を容易にすること。バイオマーカー検査は、ＣＴスクリーニング単独に優って陽性予測値（ＰＰＶ）を向上させる場合がある。ＣＴスクリーニングと一緒でのその有用性に加えて、本明細書に記載のバイオマーカーは、胸部Ｘ線撮影のような、肺癌のために使用される他の造影モダリティと一緒に使用することもできる。さらに、記載のバイオマーカーはまた、造影法モダリティや他の臨床相関物によって肺癌の指標が検出される前に、又は症状が出現する前に、上記の使用のいくつかを可能にするのに有用であり得る。
【０１６２】
[00199]  本明細書に記載のバイオマーカーのいずれかを使用して肺癌を診断し得るやり方の例として、肺癌を有することが知られていない個体における、記載のバイオマーカーの１以上の差示的な発現は、その個体が肺癌を有することを示す場合があり、それによって、おそらくは肺癌が他の手段によって検出される前、又は症状が出現する前の、治療が最も有効である時に、この疾患の早期での肺癌の検出を可能にする。肺癌の経過の間での１以上のバイオマーカーの過剰発現は、肺癌の進行、例えば、肺腫瘍が成長している、及び／又は転移していること（従って、予後判定不良を示す）の指標となる場合があり、一方、１以上のバイオマーカーが差示的に発現される度合いの減少（即ち、後続のバイオマーカー検査において、個体中の発現レベルが「正常な」発現レベルへ向かっているか又は接近している）は、肺癌の寛解（例えば、肺腫瘍が縮小していて、それにより、良好又はより良好な予後判定を示す）の指標となる場合がある。同様に、肺癌治療の経過の間での１以上のバイオマーカーが差示的に発現される度合いの増加（即ち、後続のバイオマーカー検査において、個体中の発現レベルが「正常な」発現レベルからさらに離れつつある）は、肺癌が進行していることを示して、それ故にその治療が無効であることを示す場合があり、一方、肺癌治療の経過の間での１以上のバイオマーカーの差示的な発現の減少は、肺癌の寛解の指標となり、それ故にその治療が成功裡に作用していることを示す場合がある。その上、個体が見かけは肺癌が治癒した後での１以上のバイオマーカーの差示的な発現における増加又は減少は、肺癌の再発の指標となる場合がある。このような状況では、例えば、その個体は、肺癌の再発がより後になって検出される場合より早い段階で、治療を再開する（あるいは、個体が維持療法を受けている場合は、投与量及び／又は頻度を増加するように治療方式を変更する）ことができる。さらに、１以上のバイオマーカーの個体における差示的な発現レベルは、特別な治療薬剤に対する個体の応答を予測する場合がある。肺癌の再発又は進行について監視するときに、バイオマーカー発現レベルの変化は、肺癌の活動を判定するか又は治療の変更の必要性を決定するように、反復造影（例、反復ＣＴスキャニング）の必要性を示す場合がある。
【０１６３】
[00200]  本明細書に記載のバイオマーカーのいずれかの検出は、治療の成功を評価する、又は治療に続いて肺癌の寛解、再発、及び／又は進行（転移が含まれる）について監視するように、肺癌治療に続いて、又はそれと一緒のときに特に有用であり得る。肺癌治療には、例えば、治療薬剤の個体への投与、外科手術の実施（例、肺腫瘍の少なくとも一部の外科摘出）、放射線療法の投与、又は当該技術分野で使用される他のあらゆる種類の肺癌治療法、及び上記治療法のあらゆる組合せが含まれ得る。例えば、バイオマーカーのいずれも、治療後に少なくとも１回検出しても、又は治療後に数回検出してもよく（定期的な間隔でのように）、あるいは治療の前と後でともに検出してもよい。バイオマーカーのいずれもの個体における差示的な発現レベルは、経時的に、肺癌の進行、寛解、又は再発の指標となる場合があり、その例には以下のいずれも含まれる：治療前のバイオマーカーの発現レベルと比較した、治療後のバイオマーカーの発現レベルの増加又は減少；治療後早期の時点でのバイオマーカーの発現レベルと比較した、治療後後期の時点でのバイオマーカーの発現レベルの増加又は減少；及び、バイオマーカーの正常レベルと比較した、治療後の単一時点でのバイオマーカーの差示的な発現レベル。
【０１６４】
[00201]  具体例として、本明細書に記載のバイオマーカーのいずれものバイオマーカーレベルは、術前及び術後（例、術後２〜４週）の血清試料で定量することができる。術前試料と比較した、術後試料におけるバイオマーカー発現レベル（複数）の増加は、肺癌の進行（例、不成功な外科手術）を示す可能性があり、一方、術前試料と比較した、術後試料におけるバイオマーカー発現レベル（複数）の減少は、肺癌の退縮（例、外科手術によって肺腫瘍が成功裡に除去された）を示す可能性がある。バイオマーカーレベルの同様の分析は、放射線療法、又は治療薬剤又は癌ワクチンの投与の前と後のように、他の治療形式の前と後で行うことができる。
【０１６５】
[00202]  バイオマーカーレベルを独立した診断検査項目として検査することに加えて、バイオマーカーレベルはまた、疾患の易罹患性の増加リスクの指標となる、ＳＮＰ又は他の遺伝的障害又は変異の判定と一緒に使用することもできる（例えば、Amos et al., Nature Genetics 40, 616-622 (2009) を参照のこと）。
【０１６６】
[00203]  バイオマーカーレベルを独立した診断検査項目として検査することに加えて、バイオマーカーレベルはまた、ＣＴスクリーニングと一緒に使用することもできる。例えば、バイオマーカーは、肺癌のリスクがある無症状の大集団（例、喫煙者）についてスクリーニングするように、ＣＴスクリーニングを実行することの医学的及び経済的な正当化を容易にする場合がある。例えば、バイオマーカーレベルの「ＣＴ前」検査を使用すれば、そのバイオマーカーレベルに基づけば肺癌の最高リスク状態にあり、ＣＴスクリーニングについて優先されるべき個体を同定することのように、ＣＴスクリーニングのために高リスク個体を層別化することができよう。ＣＴ検査が実行されれば、１以上のバイオマーカーのバイオマーカーレベル（例えば、血清又は血漿試料のアプタマーアッセイによって定量されるような）を測定することができて、その診断スコアを追加の生物医学情報（例、ＣＴ検査によって決定される腫瘍パラメータ）と一緒に評価して、ＣＴ又はバイオマーカー検査単独に優って、陽性予測値（ＰＰＶ）を高めることができよう。バイオマーカーレベルを決定するための「ＣＴ後」アプタマーパネルを使用して、ＣＴ（又は他の造影モダリティ）によって観察される肺結節が悪性又は良性である可能性を決定することができる。
【０１６７】
[00204]  本明細書に記載のバイオマーカーのいずれもの検出は、ＣＴ後検査に有用であり得る。例えば、バイオマーカー検査は、ＣＴ単独に優って、有意数の偽陽性検査を一掃又は減少させるかもしれない。さらに、バイオマーカー検査は、患者の治療を容易にするかもしれない。例として、肺結節のサイズが５ｍｍ未満であれば、バイオマーカー検査の結果により、患者を「経過観察」から「より早期での生検」へ進ませるかもしれない；肺結節が５〜９ｍｍであれば、バイオマーカー検査により、偽陽性スキャンに基づいた生検又は開胸術の使用を無くせるかもしれない；そして、肺結節が１０ｍｍより大きければ、バイオマーカー検査によって、良性結節のあるこれら患者の亜集団への外科手術が一掃されるかもしれない。バイオマーカー検査に基づいて、一部の患者での生検の必要性を無くすことは、結節生検に関連した有意な罹病率があることと、結節の位置によっては結節組織を入手することが困難であることから、有益であろう。同様に、その結節が実は良性である患者のような、一部の患者において外科手術の必要性を無くすことは、不要なリスクと外科手術に関連したコストを回避することになろう。
【０１６８】
[00205]  ＣＴスクリーニングと一緒にバイオマーカーレベルを検査すること（例えば、ＣＴスキャンで観測される肺結節のサイズや他の特性と一緒にバイオマーカーレベルを評価すること）に加えて、バイオマーカーに関する情報は、他の種類のデータ、特に個体の肺癌へのリスクを示すデータ（例、患者の臨床歴、症状、癌の家族歴、その個体が喫煙者であるかないかといったリスク因子、及び／又は他のバイオマーカーの状況、等）と一緒に評価することもできる。これらの様々なデータは、コンピュータ又は他の機器／デバイスにおいて具現化され得る、コンピュータプログラム／ソフトウェアのような自動化された方法によって評価することができる。
【０１６９】
[00206]  記載のバイオマーカーのいずれも、造影検査において使用してもよい。例えば、記載のバイオマーカーのいずれへも造影剤を結合させることができて、これを使用して、他の使用の中でも特に、肺癌診断に役立てる、疾患の進行／寛解又は転移を監視する、疾患の再発を監視する、又は療法への応答を監視することができる。
【０１７０】
バイオマーカーの検出とバイオマーカー値の定量
[00207]  本明細書に記載のバイオマーカーのバイオマーカー値は、多様な既知の分析法のいずれを使用しても分析することができる。１つの態様では、捕捉試薬を使用して、バイオマーカー値を検出する。本明細書に使用するように、「捕捉剤」又は「捕捉試薬」は、バイオマーカーへ特異的に結合することが可能である分子を意味する。様々な態様において、捕捉試薬は、溶解したバイオマーカーへ曝露することができるか、又は捕捉試薬が固体支持体上に固定化されている間に、バイオマーカーへ曝露することができる。他の態様において、捕捉試薬は、固体支持体上の二次特徴と反応する特徴を含有する。これらの態様において、捕捉試薬は、溶解したバイオマーカーへ曝露することができて、それから捕捉試薬上の特徴を固体支持体上の二次特徴と一緒に使用して、バイオマーカーを固体支持体に固定化することができる。捕捉試薬は、実施する分析の種類に基づいて選択する。捕捉試薬には、限定されないが、アプタマー、抗体、アドネクチン、アンキリン、他の抗体模倣体と他のスカフォールドタンパク質、自己抗体、キメラ抗体、低分子、Ｆ（ａｂ’）２断片、単鎖抗体断片、Ｆｖ断片、単鎖Ｆｖ断片、核酸、レクチン、リガンド結合性受容体、アフィボディ、ナノボディ、インプリントポリマー、アビマー、ペプチド模倣体、ホルモン受容体、サイトカイン受容体、及び合成受容体、並びにこれらの修飾物及び断片が含まれる。
【０１７１】
[00208]  いくつかの態様では、バイオマーカー／捕捉試薬複合体を使用して、バイオマーカー値を検出する。
[00209]  他の態様において、バイオマーカー値は、バイオマーカー／捕捉試薬複合体より導かれて、例えば、バイオマーカー／捕捉試薬相互作用に後続するが、バイオマーカー／捕捉試薬複合体の形成に依存する反応の結果としてのように、間接的に検出される。
【０１７２】
[00210]  いくつかの態様において、バイオマーカー値は、生体試料中のバイオマーカーより直接的に検出される。
[00211]  １つの態様において、バイオマーカーは、生体試料中の２以上のバイオマーカーの同時検出を可能にする多重化フォーマットを使用して検出される。多重化フォーマットの１つの態様では、捕捉試薬を固体支持体上の別々の位置に直接的又は間接的に、共有結合的又は非共有結合的に固定する。別の態様では、多重化フォーマットが別々の固体支持体を使用して、ここでそれぞれの固体支持体は、例えば量子ドットのような、固体支持体と結合した独自の捕捉試薬を有する。別の態様では、生体試料中で検出される多数のバイオマーカーのそれぞれ１つの検出のために個々のデバイスを使用する。個々のデバイスは、生体試料中の各バイオマーカーが同時に処理されることを可能にするように配置することができる。例えば、マイクロタイタープレート中の各ウェルを使用して生体試料中で検出される多数のバイオマーカーの１つを独自に分析するように、そのプレートを使用することができる。
【０１７３】
[00212]  上述の態様の１以上では、バイオマーカー／捕捉複合体の成分を標識して、バイオマーカー値の検出を可能にするために、蛍光タグを使用することができる。様々な態様において、既知の技術を使用して、本明細書に記載のバイオマーカーのいずれかへ特異的な捕捉試薬へ蛍光標識を共役させることができて、次いでこの蛍光標識を使用して、対応するバイオマーカー値を検出することができる。好適な蛍光標識には、希土類キレート、フルオレセインとその誘導体、ローダミンとその誘導体、ダンシル、アロフィコシアニン、ＰＢＸＬ−３、Ｑｄｏｔ６０５、リサミン、フィコエリスリン、テキサスレッド、及び他のそのような化合物が含まれる。
【０１７４】
[00213]  １つの態様において、蛍光標識は、蛍光色素分子である。いくつかの態様において、蛍光色素分子には、インドリウム環の３位炭素上の置換基が化学反応基又は共役基質を含有する、少なくとも１つの置換インドリウム環系が含まれる。いくつかの態様において、この色素分子には、例えば、ＡｌｅｘａＦｌｕｏｒ４８８、ＡｌｅｘａＦｌｕｏｒ５３２、ＡｌｅｘａＦｌｕｏｒ６４７、ＡｌｅｘａＦｌｕｏｒ６８０、又はＡｌｅｘａＦｌｕｏｒ７００のようなＡｌｅｘＦｌｕｏｒ分子が含まれる。他の態様において、色素分子には、例えば、２つの異なるＡｌｅｘａＦｌｕｏｒ分子のような、第一種及び第二種の色素分子が含まれる。他の態様において、色素分子には、第一種及び第二種の色素分子が含まれて、この２つの色素分子は、異なる発光スペクトルを有する。
【０１７５】
[00214]  蛍光は、広範囲のアッセイフォーマットと適合可能な多様な計測手段で測定することができる。例えば、分光蛍光計は、マイクロタイタープレート、顕微鏡スライド、印字アレイ、キュベット、等を分析するように設計されている。「蛍光分光法の原理（Principles of Fluorescence Spectroscopy）」J. R. Lakowicz 著、Springer Science + Business Media 社（2004）；「生物発光と化学発光：進歩と現行の応用例（Bioluminescence & Chemiluminescence: Progress & Current Applications）」；Philip E. Stanley and Larry J. Kricka（監修）、World Scientific Publishing Company（2002年1月）を参照のこと。
【０１７６】
[00215]  上述の態様の１以上では、バイオマーカー／捕捉複合体の成分を標識して、バイオマーカー値の検出を可能にするために、化学発光タグを使用してもよい。好適な化学発光材料には、塩化オキサリル、ローダミン６Ｇ、Ｒｕ（ｂｉｐｙ）３２＋、ＴＭＡＥ（テトラキス（ジメチルアミノ）エチレン）、ピロガロール（１，２，３−トリヒドロキシベンゼン）、ルシゲニン、ペルオキシシュウ酸エステル、シュウ酸アリール、アクリジニウムエステル、ジオキセタン、他のいずれもが含まれる。
【０１７７】
[00216]  なお他の態様において、検出法には、バイオマーカー値に対応する検出可能なシグナルを産生する酵素／基質の組合せが含まれる。一般的に、酵素は、分光測光法、蛍光、及び化学発光が含まれる様々な技術を使用して測定され得る、発色基質の化学変化を触媒する。好適な酵素には、例えば、ルシフェラーゼ、ルシフェリン、リンゴ酸デヒドロゲナーゼ、ウレアーゼ、西洋ワサビペルオキシダーゼ（ＨＲＰＯ）、アルカリホスファターゼ、β−ガラクトシダーゼ、グルコアミラーゼ、リゾチーム、グルコースオキシダーゼ、ガラクトースオキシダーゼ、及びグルコース−６−リン酸デヒドロゲナーゼ、ウリカーゼ、キサンチンオキシダーゼ、ラクトペルオキシダーゼ、ミクロペルオキシダーゼ、等が含まれる。
【０１７８】
[00217]  なお他の態様において、検出法は、測定可能なシグナルを産生する、蛍光、化学発光、放射性核種の組合せ、又は酵素／基質の組合せであり得る。バイオマーカーアッセイフォーマットでは、多様式のシグナル産生（signalling）が独自の有利な特性を有する可能性がある。
【０１７９】
[00218]  より具体的には、本明細書に記載のバイオマーカーのバイオマーカー値は、以下に詳述する、シングルプレックスアプタマーアッセイ、多重化アプタマーアッセイ、シングルプレックス又は多重化イムノアッセイ、ｍＲＮＡ発現プロファイリング、ｍｉＲＮＡ発現プロファイリング、質量分析法の分析、組織学的／細胞学的方法、等が含まれる、既知の分析法を使用して検出することができる。
【０１８０】
アプタマーベースのアッセイを使用するバイオマーカー値の定量
[00219]  生体試料や他の試料中の生理学的に重要な分子の検出及び定量へ指向されるアッセイは、科学研究と医療の分野において重要なツールである。そのようなアッセイの１群は、固体支持体上に固定化された１以上のアプタマーが含まれるマイクロアレイの使用を伴う。アプタマーは、きわめて特異的なやり方で、そしてきわめて高いアフィニティーで標的分子へ結合することがそれぞれ可能である。例えば、「核酸リガンド（Nucleic Acid Ligands）」と題した米国特許第５，４７５，０９６号を参照のこと；また、いずれも「核酸リガンド診断バイオチップ（Nucleic Acid Ligand Diagnostic Biochip）」と題した米国特許第６，２４２，２４６号、米国特許第６，４５８，５４３号、及び米国特許第６，５０３，７１５号を参照のこと。マイクロアレイが試料と接触するとすぐに、アプタマーは、試料中に存在するそのそれぞれの標的分子へ結合して、それによりバイオマーカーへ対応するバイオマーカー値の定量が可能になる。
【０１８１】
[00220]  本明細書に使用するように、「アプタマー」は、標的分子への特異的な結合アフィニティーを有する核酸を意味する。アフィニティー相互作用は、程度の問題であると認められているが、本文脈では、その標的へのアプタマーの「特異的な結合アフィニティー」は、そのアプタマーが、概して、それが検査試料中の他の成分へ結合するよりずっと高い度合いのアフィニティーでその標的へ結合することを意味する。「アプタマー」は、特別なヌクレオチド配列を有する、１つの型又は種の核酸分子のコピーのセットである。アプタマーには、任意数の化学修飾ヌクレオチドを含めて、好適な任意数のヌクレオチドを含めることができる。「アプタマー」は、１より多いそのような分子のセットへ言及する。異なるアプタマーは、同じ数又は異なる数のヌクレオチドを有してよい。アプタマーは、ＤＮＡ又はＲＮＡであっても、化学修飾された核酸であってもよく、一本鎖又は二本鎖であっても、二本鎖領域を含有しても、より高次の秩序だった構造が含まれてもよい。アプタマーは、光アプタマーであってもよく、ここでは、光反応性又は化学反応性の官能基がアプタマーに含まれて、その対応する標的へそれが共有的に結合されることを可能にする。本明細書に開示されるアプタマー方法のいずれにも、同じ標的分子へ特異的に結合する２以上のアプタマーの使用を含めることができる。下記にさらに記載するように、アプタマーには、タグが含まれる場合がある。アプタマーにタグが含まれるならば、アプタマーのすべてのコピーが同じタグを有する必要はない。さらに、異なるアプタマーにそれぞれタグが含まれるならば、これらの異なるアプタマーは、同じタグを有しても、異なるタグを有してもよい。
【０１８２】
[00221]  アプタマーは、ＳＥＬＥＸ法を含めて、既知の方法を使用して同定することができる。同定されたならば、アプタマーは、化学合成法と酵素合成法を含めて、どの既知の方法に拠っても、製造又は合成することができる。
【０１８３】
[00222]  「ＳＥＬＥＸ」及び「ＳＥＬＥＸ法」という用語は、本明細書において可換的に使用されて、（１）標的分子と望ましいやり方で相互作用する（例えば、高いアフィニティーでタンパク質へ結合する）アプタマーの選択物の（２）そのような選択される核酸の増幅との組合せを一般的に意味する。ＳＥＬＥＸ法を使用して、特定の標的又はバイオマーカーへの高いアフィニティーがあるアプタマーを同定することができる。
【０１８４】
[00223]  ＳＥＬＥＸには、一般に、核酸の候補混合物を製造すること、この候補混合物を所望の標的分子へ結合させてアフィニティー複合体を生成すること、このアフィニティー複合体を未結合の候補核酸より分離させること、アフィニティー複合体より結合核酸を分離して単離すること、その核酸を精製すること、及び特異的なアプタマー配列を同定することが含まれる。この方法には、選択されたアプタマーのアフィニティーをさらに純化させるために、多数のラウンドを含めてよい。この方法には、この方法中の１以上の時点で増幅工程を含めることができる。例えば、「核酸リガンド（Nucleic Acid Ligands）」と題した米国特許第５，４７５，０９６号を参照のこと。ＳＥＬＥＸ法を使用して、その標的へ共有結合するアプタマーだけでなく、その標的へ非共有的に結合するアプタマーも産生することができる。例えば、「指数的濃縮による核酸リガンドの系統進化法：化学ＳＥＬＥＸ（Systematic Evolution of Nucleic Acids Ligands by Exponential Enrichment: Chemi-SELEX）」と題した、米国特許第５，７０５，３３７号を参照のこと。
【０１８５】
[00224]  ＳＥＬＥＸ法を使用して、例えば、改善された in vivo 安定性又は改善された送達特性のような改善された特性をアプタマーに付与する修飾ヌクレオチドを含有する高アフィニティーアプタマーを同定することができる。そのような修飾の例には、リボース及び／又はリン酸及び／又は塩基の位置での化学的な置換が含まれる。修飾ヌクレオチドを含有する、ＳＥＬＥＸ法で同定されるアプタマーについては、ピリミジンの５’位及び２’位で化学的に修飾されたヌクレオチド誘導体を含有するオリゴヌクレオチドについて記載する、「修飾ヌクレオチドを含有する高アフィニティー核酸リガンド（High Affinity Nucleic Acid Ligands Containing Modified Nucleotides）」と題した米国特許第５，６６０，９８５号に記載されている。米国特許第５，５８０，７３７号（上記参照）は、２’−アミノ（２’−ＮＨ２）、２’−フルオロ（２’−Ｆ）、及び／又は２’−Ｏ−メチル（２’−ＯＭｅ）で修飾された１以上のヌクレオチドを含有するきわめて特異的なアプタマーについて記載する。拡張された物理及び化学特性を有する核酸ライブラリーとＳＥＬＥＸ及び光ＳＥＬＥＸにおけるそれらの使用について記載する、「ＳＥＬＥＸと光ＳＥＬＥＸ（SELEX and PHOTOSELEX）」と題した米国特許出願公開公報２００９００９８５４９も参照のこと。
【０１８６】
[00225]  ＳＥＬＥＸはまた、望ましいオフ速度特性を有するアプタマーを同定するために使用することができる。標的分子へ結合し得るアプタマーを産生するための改善されたＳＥＬＥＸ法について記載する、「オフ速度が改善されたアプタマーを産生するための方法（Method for Generating Aptamers with Improved Off-Rates）」と題した米国特許出願公開公報２００９０００４６６７を参照のこと。そのそれぞれの標的分子からの解離速度がより遅いアプタマー及び光アプタマーを産生するための方法が記載されている。この方法は、候補混合物を標的分子と接触させること、核酸−標的複合体の形成が生じることを可能にすること、及び遅いオフ速度濃縮法を実施することを伴うが、ここでは解離速度が速い核酸−標的複合体が解離して再形成されない一方で、解離速度が遅い複合体はインタクトなままである。その上、この方法には、オフ速度性能が改善されたアプタマーを産生する候補核酸混合物の産生における、修飾ヌクレオチドの使用が含まれる。
【０１８７】
[00226]  このアッセイの変法（variation）は、アプタマーがその標的分子へ共有結合するか又は「光架橋する」ことを可能にする光反応性の官能基が含まれるアプタマーを利用する。例えば、「核酸リガンド診断バイオチップ（Nucleic Acid Ligand Diagnostic Biochip）」と題した米国特許第６，５４４，７７６号を参照のこと。これらの光反応性アプタマーは、光アプタマーとも呼ばれる。例えば、そのいずれも「指数的濃縮による核酸リガンドの系統進化法：核酸リガンドの光選択と溶液ＳＥＬＥＸ（Systematic Evolution of Nucleic Acid Ligands by Exponential Enrichment: Photoselection of Nucleic Acid Ligands and Solution SELEX）」と題した、米国特許第５，７６３，１７７号、米国特許第６，００１，５７７号、及び米国特許第６，２９１，１８４号を参照のこと；また、例えば、「核酸リガンドの光選択（Photoselection of Nucleic Acid Ligands）」と題した米国特許第６，４５８，５３９号を参照のこと。マイクロアレイを試料と接触させて、光アプタマーにその標的分子へ結合させる機会を与えた後で、光アプタマーを光活性化して、固体支持体を洗浄して、非特異的に結合したあらゆる分子を除去する。光アプタマーへ結合している標的分子は、光アプタマー上での光活性化官能基（複数）によって創出される共有結合により、概して除去されないので、厳しい洗浄条件を使用してよい。このやり方では、このアッセイにより、検査試料中のバイオマーカーに対応するバイオマーカー値の検出が可能になる。
【０１８８】
[00227]  これらのアッセイフォーマットのいずれでも、試料と接触させることに先立って、アプタマーを固体支持体上に固定化する。しかしながら、ある状況の下では、試料との接触に先立つアプタマーの固定化が最適なアッセイを提供しない場合がある。例えば、アプタマーのプレ固定化により、固体支持体の表面上での標的分子とアプタマーの非効率的な混合が生じる場合があり、アプタマーがその標的分子へ効率的に結合することを可能にするのに、冗長な反応時間と、それ故に延長されるインキュベーション時間をもたらすだろう。さらに、光アプタマーをこのアッセイに利用するときには、固体支持体として利用される材料に依存して、固体支持体は、光アプタマーとその標的分子の間での共有結合の形成に奏効するのに使用される光を分散させるか又は吸収する傾向があり得る。さらに、利用する方法に依存して、そのアプタマーへ結合した標的分子の検出は、固体支持体の表面が使用されるあらゆる標識剤へ曝露されてそれによって影響を受ける場合があるので、不正確性になる可能性がある。最後に、固体支持体上でのアプタマーの固定化は、一般に、アプタマーの試料への曝露に先立つアプタマー製造工程（即ち、固定化）を伴うので、この製造工程は、アプタマーの活性又は機能性に影響を及ぼす場合がある。
【０１８９】
[00228]  アプタマーが溶液中のその標的を捕捉することを可能にしてから、アプタマー−標的混合物の特定成分を検出に先立って除去するように設計された分離工程を利用するアプタマーアッセイについても記載されている（「検査試料の多重化分析（Multiplexed Analyses of Test Samples）」と題した米国特許出願公開公報２００９００４２２０６を参照のこと）。記載のアプタマーアッセイ法は、核酸（即ち、アプタマー）を検出して定量することによって、検査試料中の非核酸標的（例、タンパク質標的）の検出及び定量を可能にする。記載の方法は、非核酸標的を検出及び定量するための核酸代用物（即ち、アプタマー）を創出することによって、増幅が含まれる多種多様な核酸技術が、タンパク質標的が含まれる、より広範囲の所望される標的へ適用されることを可能にする。
【０１９０】
[00229]  アプタマーを構築して、アプタマーバイオマーカー複合体（又は、光アプタマーバイオマーカー共有複合体）からのアッセイ成分の分離を促進して、検出及び／又は定量のためのアプタマーの単離を可能にすることができる。１つの態様において、これらの構築体には、切断可能又は放出可能な要素をアプタマー配列の内部に含めることができる。他の態様では、追加の機能性、例えば、標識されたか又は検出可能な成分、スペーサー成分、又は特異的な結合タグ、又は固定化要素をアプタマー中へ導入することができる。例えば、アプタマーには、切断可能な部分を介してアプタマーへ連結されるタグ、標識、標識を分離するスペーサー成分、及び切断可能な部分を含めることができる。１つの態様において、切断可能な要素は、光切断可能なリンカーである。光切断可能なリンカーは、ビオチン部分とスペーサー切片へ付けることができて、アミンの誘導化のためのＮＨＳ基が含まれて、それを使用してビオチン基をアプタマーへ導入することができて、それによってアッセイ法の後でのアプタマーの放出を可能にする。
【０１９１】
[00230]  すべてのアッセイ成分が溶液中で処理される均質アッセイは、シグナルの検出に先立つ試料及び試薬の分離を必要としない。これらの方法は、迅速で使用が容易である。これらの方法は、その特異的な標的と反応する分子捕捉又は結合試薬に基づいて、シグナルを産生する。肺癌では、分子捕捉試薬は、アプタマー又は抗体、等であろうし、特異的な標的は、表２０の肺癌バイオマーカーであろう。
【０１９２】
[00231]  １つの態様において、シグナル産生の方法は、フルオロフォア標識した捕捉試薬のその特異的なバイオマーカー標的との相互作用による異方性シグナル変化を利用する。この標識した捕捉試薬がその標的と反応するとき、分子量の増加により、複合体へ付いたフルオロフォアの回転運動が引き起こされて、異方性の数値がずっとより遅く変化する。この異方性の変化を監視することによって、結合イベントを使用して、溶液中のバイオマーカーを定量的に測定することができる。他の方法には、蛍光偏光アッセイ、分子ビーコン法、時間分解蛍光消光、化学発光、蛍光共鳴エネルギー転移、等が含まれる。
【０１９３】
[00232]  生体試料中のバイオマーカーに対応するバイオマーカー値を検出するために使用し得る例示の溶液ベースのアプタマーアッセイには、以下が含まれる：（ａ）第一タグが含まれて、バイオマーカーに特異的なアフィニティーを有するアプタマーと生体試料を接触させることによって混合物を調製すること（ここでは、バイオマーカーが試料中に存在するときに、アプタマーアフィニティー複合体が形成される）；（ｂ）上記混合物を第一捕捉要素が含まれる第一固体支持体へ曝露して、第一タグが第一捕捉要素と会合することを可能にすること；（ｃ）第一固体支持体と会合しない混合物のあらゆる成分を除去すること；（ｄ）第二タグをアプタマーアフィニティー複合体のバイオマーカー成分へ付けること；（ｅ）第一固体支持体からアプタマーアフィニティー複合体を放出させること；（ｆ）放出されたアプタマーアフィニティー複合体を第二捕捉要素が含まれる第二固体支持体へ曝露して、第二タグが第二捕捉要素へ会合することを可能にすること；（ｇ）アプタマーアフィニティー複合体より非複合化アプタマーを分割することによって、上記混合物よりあらゆる非複合化アプタマーを除去すること；（ｈ）当該アプタマーを固体支持体より溶出させること；及び（ｉ）アプタマーアフィニティー複合体のアプタマー成分を検出することによって、そのバイオマーカーを検出すること。
【０１９４】
イムノアッセイを使用するバイオマーカー値の定量
[00233]  イムノアッセイ法は、その対応する標的又は分析物への抗体の反応に基づいて、特定のアッセイフォーマットに依存して、試料中の分析物を検出することができる。免疫反応性に基づいたアッセイ法の特異度及び感度を向上させるために、その特異的なエピトープ認識の故に、モノクローナル抗体がしばしば使用される。モノクローナル抗体と比較したときの標的へのアフィニティーの増加の故に、ポリクローナル抗体も様々なイムノアッセイにおいて成功裡に使用されてきた。イムノアッセイは、広範囲の生体試料マトリックスと一緒の使用のために設計されてきた。イムノアッセイフォーマットは、定性的、半定量的、及び定量的な結果をもたらすように設計されている。
【０１９５】
[00234]  検出される特異的な分析物の既知濃度で創出される標準曲線の使用により、定量的な結果が得られる。未知の試料からの応答又はシグナルを標準曲線上へプロットして、未知試料中の標的へ対応する量又は数値を確定する。
【０１９６】
[00235]  数多くのイムノアッセイフォーマットが設計されてきた。ＥＬＩＳＡ又はＥＩＡは、分析物の検出について定量的であり得る。この方法は、分析物又は抗体のいずれかへの標識の付着に依存して、標識成分には、直接的又は間接的に、酵素が含まれる。ＥＬＩＳＡ検査は、分析物の直接的、間接的、競合的、又はサンドイッチ検出用にフォーマット化することができる。他の方法は、例えば、放射性核種（Ｉ１２５）又は蛍光のような標識に依存する。追加の技術には、例えば、凝集、ネフェロメトリー、比濁法、ウェスタンブロット、免疫沈降、免疫細胞化学、免疫組織化学、フローサイトメトリー、ルミネックスアッセイ、その他が含まれる（「イムノアッセイ：実践ガイド（ImmunoAssay: A Practical Guide）」、Brian Law 監修、出版元：Taylor & Francis 社（2005年版）を参照のこと）。
【０１９７】
[00236]  例示のアッセイフォーマットには、酵素結合免疫吸着法（ＥＬＩＳＡ）、ラジオイムノアッセイ、蛍光、化学発光、及び蛍光共鳴エネルギー転移（ＦＲＥＴ）、又は時間分割ＦＲＥＴ（ＴＲ−ＦＲＥＴ）イムノアッセイが含まれる。バイオマーカーを検出するための手順の例には、バイオマーカーの免疫沈降に続いて、ゲル電気泳動法、キャピラリー電気泳動法、平面電気クロマトグラフィー、等のような、サイズ及びペプチドレベルの区別を可能にする定量的な方法が含まれる。
【０１９８】
[00237]  検出可能な標識又はシグナル発生材料を検出する、及び／又は定量する方法は、標識の性質に依存する。適正な酵素によって触媒される反応の産物（ここで、検出可能な標識は酵素である；上記参照）は、制限なしに、蛍光性、発光性、又は放射活性であっても、可視光線又は紫外線を吸収してもよい。そのような検出可能な標識を検出するのに適した検出器の例には、制限なしに、Ｘ線フィルム、放射活性カウンター、シンチレーションカウンター、分光光度計、熱量計、蛍光光度計、ルミノメーター、及び濃度計が含まれる。
【０１９９】
[00238]  上記の検出方法のいずれも、反応物のどの好適な調製、処理、及び分析も可能にする任意のフォーマットにおいて、実施することができる。このことは、例えば、マルチウェルアッセイプレート（例、９６ウェル又は３８６ウェル）中であっても、又はどの好適なアレイ又はマイクロアレイを使用してもよい。様々な薬剤のストック溶液をマニュアル又はロボットで作製することができて、その後のすべてのピペット操作、希釈、混合、分配、洗浄、インキュベーション、試料読出し、データ採取、及び分析は、検出可能な標識を検出することが可能な市販の分析ソフトウェア、ロボット工学、及び検出機器を使用して、ロボットで行うことができる。
【０２００】
遺伝子発現プロファイリングを使用するバイオマーカー値の定量
[00239]  生体試料中のｍＲＮＡを測定することは、生体試料中の対応するタンパク質のレベルの検出の代用法として使用してよい。従って、本明細書に記載のバイオマーカー又はバイオマーカーパネルのいずれも、適正なＲＮＡを検出することによって検出することができる。
【０２０１】
[00240]  逆転写定量的ポリメラーゼ連鎖反応（ＲＴ−ＰＣＲにｑＰＣＲを続ける）によってｍＲＮＡ発現レベルを測定する。ＲＴ−ＰＣＲを使用して、ｍＲＮＡよりｃＤＮＡを創出する。このｃＤＮＡをｑＰＣＲアッセイに使用すると、ＤＮＡ増幅プロセスが進行するにつれて蛍光を産生することができる。標準曲線への比較により、ｑＰＣＲは、細胞あたりのｍＲＮＡのコピー数といった、絶対測定値を産生することができる。試料中のｍＲＮＡの発現レベルを測定するために、ノーザンブロット、マイクロアレイ、インベーダー（Invader）アッセイ、及びキャピラリー電気泳動法と組み合わせたＲＴ−ＰＣＲがいずれも使用されている。「遺伝子発現プロファイリング：方法とプロトコール（Gene Expression Profiling: Methods and Protocols）」、Richard A. Shimkets（監修）、ヒュマナプレス（2004）を参照のこと。
【０２０２】
[00241]  ｍｉＲＮＡ分子は、非翻訳領域（non-coding）であるが、遺伝子発現を調節する可能性がある低分子ＲＮＡである。ｍＲＮＡ発現レベルの測定に適した方法のいずれも、対応するｍｉＲＮＡに使用することができる。最近、多くの研究室が、疾患のバイオマーカーとしてのｍｉＲＮＡの使用を検討している。多くの疾患には広範囲の転写調節が関わるので、バイオマーカーとしての役割をｍｉＲＮＡに見出したとしても驚きではない。ｍｉＲＮＡ濃度と疾患の間の関連は、タンパク質レベルと疾患の間の関連よりずっと明らかでないことが多いが、それでもｍｉＲＮＡバイオマーカーの価値は、実質的であるかもしれない。当然ながら、疾患の間に差示的に発現されるどのＲＮＡとも同じように、in vitro 診断製品の開発が直面する課題には、ｍｉＲＮＡが疾病細胞においても存続して、分析のために容易に抽出される、又はｍｉＲＮＡが血液又は他のマトリックス中へ放出されて、そこで測定されるのに十分長く存続しなければならないという必要条件が含まれるものである。タンパク質バイオマーカーにも同様の必要条件があるが、多くの潜在的なタンパク質バイオマーカーは、疾患の間に、病態及び機能の部位で、傍分泌の形式で意図的に分泌される。多くの潜在的なタンパク質バイオマーカーは、その内部でこれらのタンパク質が合成される細胞の外側で機能するように設計されている。
【０２０３】
in vivo 分子造影技術を使用するバイオマーカーの検出
[00242]  記載のバイオマーカー（表２０を参照のこと）のいずれも、分子造影検査で使用される可能性がある。例えば、記載のバイオマーカーのいずれへも造影剤を共役させることができて、これを使用して、他の使用の中でも、肺癌診断に役立てる、疾患の進行／寛解又は転移を監視する、疾患再発を監視する、又は療法への応答を監視することができる。
【０２０４】
[00243]  in vivo 造影技術は、個体の身体中の特別な疾患の状態を判定するための非侵襲性の方法を提供する。例えば、身体の全部分、又は全身でさえ、三次元画像として視ることができて、それによって身体中の形態及び構造に関する貴重な情報が提供される。そのような技術を本明細書に記載のバイオマーカーの検出と組み合わせて、個体の癌の状態、特に肺癌の状態に関する情報を提供することができる。
【０２０５】
[00244]  in vivo 分子造影技術の使用は、技術における様々な進歩により、広がっている。これらの進歩には、身体内部の強いシグナルを提供することができる、新たな造影剤又は標識（放射標識及び／又は蛍光標識のような）の開発；及び、有用な情報を提供するのに十分な感度及び精度を伴って、上記シグナルを身体の外側から検出及び分析することができる、強力な新しい造影技術の開発が含まれる。造影剤は、適正な造影システムで可視化することができて、それにより造影剤が定位される身体の単数又は複数の部分の画像が提供される。造影剤は、捕捉試薬（例えば、アプタマー又は抗体のような）と、及び／又はペプチド又はタンパク質、又はオリゴヌクレオチド（例えば、遺伝子発現の検出のために）、又は上記のいずれも含有する複合体と１以上の巨大分子及び／又は他の粒状形態で結合又は会合させてよい。
【０２０６】
[00245]  造影剤はまた、造影法に有用である放射活性原子を特徴とする場合がある。好適な放射活性原子には、シンチグラフィー試験用のテクネチウム−９９ｍ又はヨウ素−１２３が含まれる。他の容易に検出可能な部分には、例えば、再びヨウ素−１２３、ヨウ素−１３１、インジウム−１１１、フッ素−１９、炭素−１３、窒素−１５、酸素−１７、ガドリニウム、マンガン、又は鉄のような、例えば、磁気共鳴造影法（ＭＲＩ）のためのスピン標識が含まれる。そのような標識は、当該技術分野でよく知られていて、当業者によって容易に選択され得る。
【０２０７】
[00246]  標準造影技術には、限定されないが、磁気共鳴造影法、コンピュータ断層撮影スキャニング、陽電子放射断層撮影法（ＰＥＴ）、単一光子放射コンピュータ断層撮影法（ＳＰＥＣＴ）、等が含まれる。診断 in vivo 造影法では、所与の放射性核種のような所与の造影剤と、標的指向するのに使用される特別なバイオマーカー（タンパク質、ｍＲＮＡ、等）を選択するの重要な要因となるのは、利用可能な検出機器の種類である。選択される放射性核種は、典型的には、所与の種類の機器によって検出可能である、崩壊のタイプを有する。また、in vivo 診断用に放射性核種を選択するときには、その半減期は、標的組織による最大取込みの時間での検出を可能にするほどに長いが、宿主の有害な放射が最小化されるほどに短くあるべきである。
【０２０８】
[00247]  例示の造影技術には、限定されないが、放射性核種が合成的又は局所的に個体へ投与される造影技術である、ＰＥＴとＳＰＥＣＴが含まれる。放射性トレーサーの後続の取込みを経時的に測定して使用して、標的指向された組織とバイオマーカーについての情報を入手する。利用する特定の同位体の高エネルギー（γ線）放出とそれらを検出するために使用する機器の感度と洗練性（sophistication）のために、放射活性の二次元分布は、身体の外側より推測される場合がある。
【０２０９】
[00248]  ＰＥＴにおいて一般的に使用されている陽子放出核種には、例えば、炭素−１１、窒素−１３、酸素−１５、及びフッ素−１８が含まれるＳＰＥＣＴでは、電子捕捉及び／又はγ線放出によって崩壊する同位体が使用されて、例えば、ヨウ素−１２３及びテクネチウム−９９ｍが含まれる。アミノ酸をテクネチウム−９９ｍで標識するための例示の方法は、キレート形成前駆体の存在下に過テクネチウム酸イオンを還元して、不安定なテクネチウム−９９ｍ−前駆体複合体を形成することであり、次いで、これが二官能性修飾された走化性ペプチドの金属結合基と反応して、テクネチウム−９９ｍ−走化性ペプチドコンジュゲートを形成する。
【０２１０】
[00249]  抗体は、このような in vivo 造影診断法に頻繁に使用される。in vivo 診断用の抗体の調製及び使用は当該技術分野でよく知られている。個体の疾患状態を診断又は評価する目的のために、使用する特別なバイオマーカーに従って検出可能なある種の癌（例、肺癌）を有することが疑われる個体へ、表２０のバイオマーカーのいずれへも特異的に結合する標識化抗体を注射することができる。使用する標識は、先に記載のように、使用する造影モダリティに従って選択される。この標識の局在定位により、癌の拡がりの判定が可能になる。臓器又は組織内の標識の量はまた、その臓器又は組織における癌の存在又は非存在の判定を可能にする。
【０２１１】
[00250]  同様に、このような in vivo 造影診断法にアプタマーを使用してよい。例えば、個体の肺癌状態を診断又は評価する目的のために、表２０に記載の特別なバイオマーカーを同定するのに使用した（それ故に、その特別なバイオマーカーへ特異的に結合する）アプタマーを適正に標識して、その特別なバイオマーカーに従って検出可能な肺癌を有することが疑われる個体へ注射することができる。使用する標識は、先に記載のように、使用する造影モダリティに従って選択される。この標識の局在定位により、癌の拡がりの判定が可能になる。臓器又は組織内の標識の量はまた、その臓器又は組織における癌の存在又は非存在の判定を可能にする。アプタマー指向性の造影剤は、他の造影剤に比べて、組織浸透、組織分布、動態、消失、効力、及び選択性に関して独自の有利な特徴を有する可能性がある。
【０２１２】
[00251]  このような技術はまた、例えばアンチセンスオリゴヌクレオチドでの造影法による遺伝子発現の検出のために、標識化オリゴヌクレオチドで実施してもよい。これらの方法は、例えば、蛍光分子又は放射性核種を標識として、in situ ハイブリダイゼーションのために使用する。遺伝子発現の検出のための他の方法には、例えば、レポーター遺伝子の活性の検出が含まれる。
【０２１３】
[00252]  別の一般的な種類の別の造影技術は、被検者の外側にある光学機器によって被検者内の蛍光シグナルが検出される、光造影法である。これらのシグナルは、実際の蛍光、及び／又は生物発光による場合がある。光検出デバイスの感度の向上により、光造影法の in vivo 診断アッセイへの有用性が増してきた。
【０２１４】
[00253]  臨床試験を含めて、例えば、新たな癌治療法の治験での臨床効果をより迅速に測定するために、及び／又はそのような長期化した治療が倫理的に疑問視されるとみなされる場合がある、多発性硬化症のような疾患へのプラセボでの長期化治療を回避するために、in vivo 分子バイオマーカー造影法の使用が増えている。
【０２１５】
[00254]  他の技術の概説については、N. Blow, Nature Methods, 6, 465-469, 2009 を参照のこと。
組織学／細胞学の方法を使用するバイオマーカー値の定量
[00255]  肺癌の評価では、多様な組織試料を組織学的又は細胞学的な方法において使用することができる。試料選択は、原発腫瘍の位置と転移の部位に依存する。例えば、組織学には、気管支内生検及び経気管支生検、微細針吸引、角針、及びコア針生検を使用することができる。細胞学には、気管支洗浄及び擦過、胸膜吸引、及び喀痰を使用することができる。肺癌の診断には、細胞学的分析が依然として使用されているが、組織学的方法は、癌の検出のためにより良好な感度を提供することが知られている。肺癌のある個体において上方調節されていることが示された、本発明で同定されたバイオマーカー（表１９を参照のこと）のいずれを使用しても、組織学的標本を疾患の指標として染色することができる。
【０２１６】
[00256]  １つの態様では、対応するバイオマーカー（複数）に特異的な１以上の捕捉試薬（複数）を肺細胞試料の細胞学的評価に使用して、以下の１以上が含まれる場合がある：細胞試料を採取すること、細胞試料を固定すること、細胞試料を顕微鏡スライド上で脱水、洗浄、固定化すること、細胞試料を透過処理すること、分析物の検索のために処理すること、染色、脱色、洗浄、ブロッキングして、緩衝化溶液中で１以上の捕捉試薬（複数）と反応させること。別の態様において、細胞試料は、細胞ブロックより産生する。
【０２１７】
[00257]  別の態様では、対応するバイオマーカーに特異的な１以上の捕捉試薬（複数）を肺組織試料の組織学的評価に使用して、以下の１以上が含まれる場合がある：組織試料を採取すること、組織試料を固定すること、組織試料を顕微鏡スライド上で脱水、洗浄、固定化すること、組織試料を透過処理すること、分析物の検索のために処理すること、染色、脱色、洗浄、ブロッキング、再水和させて、緩衝化溶液中で捕捉試薬（複数）と反応させること。別の態様では、固定と脱水を凍結に換える。
【０２１８】
[00258]  別の態様では、対応するバイオマーカー（複数）に特異的な１以上のアプタマーを組織学的又は細胞学的試料と反応させて、核酸増幅法における核酸標的として役立てることができる。好適な核酸増幅法には、例えば、ＰＣＲ、ｑβレプリカーゼ、ローリングサークル増幅、鎖置換、ヘリカーゼ依存性増幅、ループ媒介等温増幅、リガーゼ連鎖反応、並びに、制限及び循環化支援ローリングサークル増幅が含まれる。
【０２１９】
[00259]  １つの態様では、組織学的又は細胞学的評価に使用の対応するバイオマーカーに特異的な１以上の捕捉試薬（複数）を緩衝化溶液中で混合して、それには以下のいずれも含めることができる：ブロッキング材料、競合剤、界面活性剤、安定化剤、担体核酸、ポリアニオン材料、等。
【０２２０】
[00260]  一般に、「細胞学プロトコール」には、試料採取、試料固定、試料固定化、及び染色が含まれる。「細胞調製」には、試料採取後のいくつかの処理工程を含めることができて、１以上の遅いオフ速度アプタマーを調製済み細胞の染色に使用することが含まれる。
【０２２１】
[00261]  試料採取には、試料を未処理の運搬容器に直接入れること、ある種の媒体を含有する運搬容器に試料を入れること、又は試料を処理又は固定せずにスライド上へ直接置くこと（固定化）を含めることができる。
【０２２２】
[00262]  採取した標本の一部を、ポリリジン、ゼラチン、又はシランで処理したスライドガラスへ塗布することによって、試料固定化を高めることができる。薄くて平坦な層の細胞をスライド全体に塗布することによってスライドを調製することができる。一般的には、機械的な歪みや乾燥での人為的結果を最小化するように配慮する。液体標本は、細胞ブロック法において処理することができる。また、あるいは、液体標本は、固定溶液と室温で約１０分間、１：１で混合することができる。
【０２２３】
[00263]  細胞ブロックは、残留胸水、喀痰、尿沈渣、胃腸液、細胞擦過物、又は微細針吸引物より調製することができる。遠心分離又は膜濾過によって細胞を濃縮又は圧縮する。細胞ブロック調製用のいくつかの方法が開発されてきた。代表的な手順には、固定沈積、細菌寒天、又は膜濾過の方法が含まれる。固定沈積法では、細胞沈積物をブアン固定液、ピクリン酸、又は緩衝化ホルマリンのような固定液と混合してから、この混合物を遠心分離して固定細胞をペレット化させる。上清を除き、細胞ペレットを可能な限り完全に乾燥させる。このペレットを採取して、レンズペーパーに包んでから、組織カセットに入れる。この組織カセットを追加固定液とともに広口瓶に入れて、組織試料として処理する。寒天法はきわめて似ているが、ペレットを取り出して、ペーパータオル上で乾燥させてから半分に切る。スライドガラス上で融かした１滴の寒天にカット側を入れてから、ペレットを寒天で覆って、寒天中に泡が形成されないことを確実にする。この寒天をそのまま固めてから、余分な寒天を切り取る。これを組織カセットに入れて、この組織法を完了させる。あるいは、ペレットを６５℃で２％液体寒天に直接懸濁させて、試料を遠心分離させてよい。この寒天細胞ペレットをそのまま４℃で１時間固化させる。この固体寒天を遠心分離管より取り出して、半分にスライスしてよい。この寒天を濾紙に、次いで組織カセットに包む。この時点から先の処理は、上記に記載した通りである。上記のどの手順でも、遠心分離を膜濾過に換えてよい。上記方法のいずれを使用しても、「細胞ブロック試料」を産生することができる。
【０２２４】
[00264]  細胞ブロックは、Lowicryl 樹脂、LR White、LR GOLD、Unicryl、及びMonoStep が含まれる特殊樹脂を使用して調製することができる。これらの樹脂は、低密度を有していて、低温で、そして紫外（ＵＶ）光線で重合化することができる。この包埋法は、脱水の間に試料を漸次冷やすこと、その試料を樹脂へ移すこと、及び最後の低温と適正なＵＶ波長でブロックを重合させることに依拠する。
【０２２５】
[00265]  細胞ブロック切片は、細胞形態学的検査のためにヘマトキシリン−エオジンで染色することができる一方、追加の切片は、特異的マーカーの検査に使用する。
[00266]  方法が細胞学的であれ組織学的であれ、試料は、試料劣化を防ぐための追加の処理に先立って固定することができる。この方法は、「固定法」と呼ばれて、可換的に使用し得る広範囲の材料及び手順について記載する。この試料固定法のプロトコール及び試薬は、検出すべき標的と分析すべき特定の細胞／組織種に基づいて、最もよく経験的に選択される。試料固定法は、エタノール、ポリエチレングリコール、メタノール、ホルマリン、又はイソプロパノールのような試薬に依拠する。試料は、採取とスライドへの付着後できるだけすぐに固定すべきである。しかしながら、選択される固定液は、様々な分子標的へ構造変化をもたらして、その後続の検出をより難しくする可能性がある。固定と固定化の方法とそれらの順序は、細胞の外観を変化させる可能性があるので、細胞技術者には、これらの変化が予期されて認識されなければならない。固定液は、ある細胞種の縮化を引き起こして、細胞質が粒状又は網状に見えることを引き起こす可能性がある。多くの固定液は、細胞成分と架橋結合することによって機能する。このことは、特異的エピトープを棄損するか又は変化させる、新しいエピトープを産生する、分子会合を引き起こす、そして膜透過性を低下させる可能性がある。ホルマリン固定法は、最も一般的な細胞学的／組織学的アプローチの１つである。ホルマリンは、近隣タンパク質の間で、又はタンパク質の内部でメチル架橋を形成させる。固定法には沈降又は凝集も使用されて、この種の固定法にはエタノールが頻繁に使用される。固定法には、架橋結合と沈降の組合せも使用することができる。形態学的な情報を保存するときには強い固定法が最良であるが、分子標的の保存には、より弱い固定法が最良である。
【０２２６】
[00267]  代表的な固定液は、５０％無水エタノール、２ｍＭポリエチレングリコール（ＰＥＧ）、１．８５％ホルムアルデヒドである。この製剤の変形には、エタノール（５０％〜９５％）、メタノール（２０％〜５０％）、及びホルマリン（ホルムアルデヒド）のみが含まれる。別の一般的な固定液は、２％  ＰＥＧ  １５００、５０％エタノール、及び３％メタノールである。スライドを室温で約１０〜１５分間固定液に入れてから取り出して、そのまま乾燥させる。スライドを固定したならばすぐに、それらをＰＢＳのような緩衝化溶液で濯ぐことができる。
【０２２７】
[00268]  広範囲の色素を使用して、細胞、亜細胞、及び組織の特徴又は形態学的構造を差示的に強調して対比させるか又は「染色する」ことができる。ヘマトキシリンは、核を青色又は黒色に染色するために使用する。オレンジＧ−６とエオジンアズールは、細胞の細胞質をともに染色する。オレンジＧは、ケラチン及びグリコゲン含有細胞を黄色に染色する。エオジンＹは、核小体、繊毛、赤血球、及び表層上皮扁平細胞を染色するために使用する。ロマノフスキー染色は、空気乾燥スライドに使用して、多形性を高めて、細胞外物質を細胞内物質より区別するのに有用である。
【０２２８】
[00269]  染色法には、細胞の染色剤への透過性を高めるための処理を含めることができる。界面活性剤での細胞の処理を使用して、透過性を高めることができる。細胞及び組織の透過性を高めるために、固定化した試料を、溶媒、サポニン、又は非イオン性界面活性剤でさらに処理することができる。酵素消化はまた、組織試料中の特異的な標的の到達性を向上させることができる。
【０２２９】
[00270]  染色後、アルコール濃度を高める一連のアルコール洗浄を使用して、試料を脱水する。最終洗浄は、スライドガラスへ適用されるカバーガラスに近い屈折率を有する、キシレン又は柑橘テルペンのようなキシレン代用物で行う。この最終工程は、清浄と呼ばれる。試料を脱水して清浄したらすぐに、封鎖剤を適用する。封鎖剤は、ガラスに近い屈折率を有するように選択されて、カバーガラスをスライドへ結合することが可能である。それはまた、細胞試料のさらなる乾燥、縮化、又は退色を阻害する。
【０２３０】
[00271]  使用する染色液又は手順にかかわらず、肺の細胞学的標本の最終評価は、形態の目視検査とマーカーの存在又は非存在の判定を可能にする、ある種の顕微鏡法によってなされる。例示の顕微鏡法には、明視野、位相差、蛍光、及び微分干渉コントラストが含まれる。
【０２３１】
[00272]  検査後の試料に対して二次検査が求められるならば、カバーガラスを外して、スライドを脱染してよい。脱染は、スライドを初めに染色するときに使用した元の溶媒系を追加色素なしに、そして元の染色手順とは逆の順序で使用することを伴う。脱染はまた、細胞が無色になるまで、スライドを酸性アルコールに浸すことによって完了させてよい。無色になったらすぐにスライドを水浴中でよく濯いで、二次染色手順を適用する。
【０２３２】
[00273]  加えて、抗体又は核酸プローブ又はアプタマーのような特異的な分子試薬の使用により、細胞の形態学的分析と一緒にした、特異的な分子差別化が可能であり得る。これにより、診断細胞学の精度が向上する。顕微解剖を使用して、細胞のサブセットを追加の評価、特に、異常染色体、遺伝子発現、又は突然変異の遺伝評価のために単離することができる。
【０２３３】
[00274]  組織試料の組織学的評価用の調製は、固定、脱水、浸透、包埋、及び切出しを伴う。組織学で使用する固定試薬は、細胞学で使用するものときわめて似ているか又は同一であり、個別タンパク質のような分子の特徴を犠牲にして形態学的な特徴を保存するのと同じ課題を有する。組織試料を固定及び脱水しない代わりに凍結させてから、凍結している間に切り出せば、時間を節約することができる。これは、より穏やかな処理手順であって、より多くの個別マーカーを保存することができる。しかしながら、凍結は、氷晶の導入により細胞内の情報が失われるので、組織試料の長期保存には許容されない。凍結した組織試料中の氷はまた、切出し法によりごく薄いスライスを作製することを妨げるので、亜細胞構造のある微視的な解像及び造影が失われる可能性がある。ホルマリン固定に加えて、四酸化オスミウムを使用して、リン脂質（膜）を固定及び染色する。
【０２３４】
[00275]  組織の脱水は、アルコール濃度が増加する連続洗浄で達成される。清浄は、アルコールと混和する材料と包埋材料を利用して、５０：５０のアルコール：清浄試薬で始めてから、１００％清浄剤（キシレン又はキシレン代用物）への段階法を伴う。浸透は、液体型の包埋剤（温ワックス、ニトロセルロース溶液）とともに、初めに５０：５０の包埋剤：清浄剤、次いで１００％包埋剤で組織をインキュベートすることを伴う。包埋は、組織を型又はカセットに入れて、ワックス、寒天、又はゼラチンのような融けた包埋剤で充填することによって完了する。包埋剤は、そのまま硬化させる。次いで、硬化した組織試料は、染色と後続の検査のために薄片へスライスすることができる。
【０２３５】
[00276]  染色に先立って、組織切片を脱ワックス（dewaxed）して、再水和させる。キシレンを使用して切片を脱ワックスするが、１回以上のキシレン交換を使用してよく、濃度が減少するアルコール中での連続洗浄によって組織を再水和させる。脱ワックスに先立って、組織切片は、約８０℃で約２０分間、スライドガラスへ加熱固定化してよい。
【０２３６】
[00277]  レーザー捕捉顕微解剖により、組織切片からのさらなる分析のために、細胞のサブセットの単離が可能になる。
[00278]  細胞学におけるように、微視的な特徴の可視化を高めるために、組織切片又はスライスを多様な染色液で染色することができる。市販染色液の大きなメニューを使用して、特異的な特徴を強調するか又は同定することができる。
【０２３７】
[00279]  細胞学的／組織学的試料と分子試薬の相互作用をさらに高めるために、「分析物検索」用のいくつかの技術が開発されてきた。第一のそのような技術は、固定化試料の高温加熱を使用する。この方法は、加熱誘導エピトープ検索又はＨＩＥＲとも呼ばれる。多様な加熱技術が使用されていて、蒸気加熱、マイクロ波加熱、オートクレーブ処理、水浴、及び圧力鍋、又はこれらの加熱法の組合せが含まれる。分析物検索溶液には、例えば、水、クエン酸塩溶液、及び生理食塩水緩衝液が含まれる。分析物検索の鍵となるのは高温での時間であるが、より低温でより長い時間も成功裡に使用されている。分析物検索のもう１つの鍵となるのは、加熱溶液のｐＨである。低いｐＨは、最良の免疫染色を提供することが見出されているが、バックグラウンドも生じるので、第二の組織切片を陰性対照として使用することが頻繁に求められる。最も一貫性がある利益（バックグラウンドの増加を伴わない、免疫染色の増加）が概して得られるのは、緩衝液の組成を問わず、高いｐＨ溶液を用いる場合である。特異的な標的への分析物検索法は、経験的に、加熱、時間、ｐＨ、及び緩衝液組成をプロセス最適化の変数として使用して、その標的に最適化される。マイクロ波の分析物検索法を使用すると、異なる標的の抗体試薬での連続染色が可能になる。しかし、染色工程の間に抗体及び酵素複合体を完成させるのに求められる時間はまた、細胞膜の分析物を劣化させることが示された。マイクロ波加熱法は、in situ ハイブリダイゼーションの方法も改善してきた。
【０２３８】
[00280]  分析物検索法を開始するには、初めに切片を脱ワックスして、水和させる。次いで、スライドをディッシュ又は広口瓶中の１０ｍＭクエン酸ナトリウム緩衝液（ｐＨ６．０）に入れる。代表的な手順は、１１００Ｗマイクロ波を使用して、スライドを電力１００％で２分間マイクロ波加熱することに続けて、スライドが液体に覆われていることを確認した後で、このスライドを、電力２０％を１８分間使用してマイクロ波加熱する。次いで、スライドを蓋のない容器中でそのまま冷やしてから、蒸留水で濯ぐ。ＨＩＥＲは、標的の免疫化学試薬への反応性を高めるために、酵素消化と組み合わせて使用してよい。
【０２３９】
[00281]  １つのこのような酵素消化プロトコールは、プロテイナーゼＫを使用する。５０ｍＭトリス塩基、１ｍＭ  ＥＤＴＡ、０．５％  Ｔｒｉｔｏｎ  Ｘ−１００（ｐＨ８．０）緩衝液で２０μｇ／ｍｌ濃度のプロテイナーゼＫを調製する。この方法は、初めに、２交換のキシレン、各５分で切片を脱ワックスすることを伴う。次いで、試料を２交換の１００％エタノールで各３分間、９５％及び８０％エタノールで各１分間水和させてから、蒸留水で濯ぐ。切片をプロテイナーゼＫ希釈標準溶液で覆って、加湿チャンバにおいて３７℃で１０〜２０分インキュベートする（最適なインキュベーション時間は、組織の種類と固定の度合いに依存して変えてよい）。この切片を室温で１０分間冷やしてから、ＰＢＳ  Ｔｗｅｅｎ２０中で２ｘ２分間濯ぐ。望まれるならば、切片をブロックして、内因性の化合物及び酵素からの潜在的な干渉を無くすことができる。次いで、この切片を一次抗体希釈緩衝液で適正に希釈した一次抗体とともに室温で１時間、又は４℃で一晩インキュベートする。次いで、この切片をＰＢＳ  Ｔｗｅｅｎ２０で２ｘ２分間濯ぐ。特別な応用のために求められるならば、追加のブロッキングを実施することができて、ＰＢＳ  Ｔｗｅｅｎ２０で３ｘ２分の追加の濯ぎを続けてから、最後に免疫染色プロトコールを完了する。
【０２４０】
[00282]  室温、１％  ＳＤＳでの簡単な処理も、免疫組織化学染色を向上させることが実証されてきた。分析物検索法は、スライドに載せた切片だけでなく、自由浮遊性の切片にも適用されている。別の処理オプションは、クエン酸及び０．１ノニデントＰ４０をｐＨ６．０で含有する広口瓶にスライドを入れて、９５℃まで加熱することである。次いで、このスライドをＰＢＳのような緩衝溶液で洗浄する。
【０２４１】
[00283]  組織の免疫学的染色では、血清又は無脂肪乾燥乳のようなタンパク溶液に切片を浸漬することによって、抗体の組織タンパク質との非特異的な会合を阻止することが有用であり得る。
【０２４２】
[00284]  反応を阻止することには、内因性ビオチンのレベルを低下させる；内因性の帯電効果を消失させる；内因性ヌクレアーゼを不活性化する；及び／又は、ペルオキシダーゼ及びアルカリホスファターゼのような内因性酵素を不活性化する必要性が含まれる場合がある。内因性ヌクレアーゼは、プロテイナーゼＫでの分解によって、加熱処理、ＥＤＴＡ又はＥＧＴＡのようなキレート剤の使用、担体ＤＮＡ又はＲＮＡの導入、尿素、チオ尿素、塩酸グアニジン、チオシアン酸グアニジン、過塩素酸リチウム、等、又はピロ炭酸ジエチルのようなカオトロープでの処理によって不活性化することができる。アルカリホスファターゼは、０．１Ｎ  ＨＣｌで、室温で５分間の処理、又は１ｍＭレバミゾールでの処理によって不活性化することができる。ペルオキシダーゼの活性は、０．０３％過酸化水素での処理によって消失させることができる。内因性ビオチンは、スライド又は切片をアビジン（ストレプタビジン、ニュートラアビジンを代用してよい）溶液に室温で少なくとも１５分間浸漬することによって、阻止することができる。次いで、このスライド又は切片を緩衝液中で少なくとも１０分間洗浄する。これは、少なくとも３回繰り返してよい。次いで、スライド又は切片をビオチン溶液に１０分間浸漬する。これは、毎回新鮮なビオチン溶液で、少なくとも３回繰り返してよい。この緩衝液洗浄手順を繰り返す。阻止プロトコールは、細胞又は組織構造、又は目的の単数又は複数の標的のいずれかを棄損することを防ぐために最小化すべきであるが、上記プロトコールの１以上を組み合わせると、１以上の遅いオフ速度アプタマーとの反応に先立って、スライド又は切片を「ブロック」することができる可能性がある。「基礎医科組織学：細胞、組織、及び臓器の生物学（Basic Medical Histology: the Biology of Cells, Tissues and Organs）」Richard G. Kessel 著、オックスフォード大学出版局（1998）を参照のこと。
【０２４３】
質量分析法を使用するバイオマーカー値の定量
[00285]  多様な配置の質量分析計を使用して、バイオマーカー値を検出することができる。数種の質量分析計が利用可能であるか、又は様々な配置で製作することができる。一般に、質量分析計は、以下の主要な構成要素を有する：試料注入口、イオン発生源、質量分析計、検出器、真空システム、及び機器制御システム、及びデータシステム。一般に、試料注入口、イオン発生源、及び質量分析計の違いにより、機器の種類とその能力が決定される。例えば、注入口は、毛細管−カラム液体クロマトグラフィー源であり得るか、又はマトリックス支援レーザー脱離に使用されるような直接プローブ又はステージであり得る。一般的なイオン発生源は、例えば、ナノスプレー及びマイクロスプレーが含まれるエレクトロスプレー、又はマトリックス支援レーザー脱離である。一般的な質量分析計には、四重極質量フィルター、イオントラップ質量分析計、及び飛行時間型質量分析計が含まれる。当該技術分野では、さらなる質量分析法の方法がよく知られている（Burlingame et al. Anal. Chem. 70:647 R-716R (1998); Kinter and Sherman「タンデム質量分析法を使用するタンパク質の配列決定及び同定（Protein sequencing and identification using tandem mass spectrometry）」ニューヨーク、ウィリー・インターサイエンス（2000）を参照のこと）。
【０２４４】
[00286]  タンパク質バイオマーカーとバイオマーカーの数値は、以下のいずれによっても検出して測定することができる：エレクトロスプレーイオン化質量分析法（ＥＳＩ−ＭＳ）、ＥＳＩ−ＭＳ／ＭＳ、ＥＳＩ−ＭＳ／（ＭＳ）ｎ、マトリックス支援レーザー脱離イオン化飛行時間型質量分析法（ＭＡＬＤＩ−ＴＯＦ−ＭＳ）、表面増強レーザー脱離／イオン化飛行時間型質量分析法（ＳＥＬＤＩ−ＴＯＦ−ＭＳ）、シリコン上の脱離／イオン化（ＤＩＯＳ）、二次イオン質量分析法（ＳＩＭＳ）、四重極飛行時間型（Ｑ−ＴＯＦ）、ウルトラフレックスＩＩＩ  ＴＯＦ／ＴＯＦと呼ばれるタンデム飛行時間型（ＴＯＦ／ＴＯＦ）技術、大気圧化学イオン化質量分析法（ＡＰＣＩ−ＭＳ）、ＡＰＣＩ−ＭＳ／ＭＳ、ＡＰＣＩ−（ＭＳ）Ｎ、大気圧光イオン化質量分析法（ＡＰＰＩ−ＭＳ）、ＡＰＰＩ−ＭＳ／ＭＳ、及びＡＰＰＩ−（ＭＳ）Ｎ、四重極質量分析法、フーリエ変換質量分析法（ＦＴＭＳ）、定量的な質量分析法、及びイオントラップ質量分析法。
【０２４５】
[00287]  質量分析法によるタンパク質バイオマーカーの特定決定とバイオマーカー値の定量の前に、試料調製戦略を使用して試料を標識して濃縮する。標識法には、限定されないが、相対及び絶対定量用等圧タグ（ｉＴＲＡＱ）と細胞培養中のアミノ酸での安定同位体標識化（ＳＩＬＡＣ）が含まれる。質量分析法の分析に先立って、候補バイオマーカータンパク質のために試料を選択的に濃縮するのに使用する捕捉試薬には、限定されないが、アプタマー、抗体、核酸プローブ、キメラ、低分子、Ｆ（ａｂ’）２断片、単鎖抗体断片、Ｆｖ断片、単鎖Ｆｖ断片、核酸、レクチン、リガンド結合受容体、アフィボディ、ナノボディ、アンキリン、ドメイン抗体、代替抗体スカフォールド（例、ダイアボディ、等）、印字ポリマー、アビマー、ペプチド模倣体、ペプトイド、ペプチド核酸、トレオース核酸、ホルモン受容体、サイトカイン受容体、及び合成受容体、並びに上記の修飾物及び断片が含まれる。
【０２４６】
[00288]  上述のアッセイは、肺癌を診断するための方法に有用であるバイオマーカー値の検出を可能にし、ここで該方法は、個体からの生体試料において、表１８、２０、又は２１に提供されるバイオマーカーからなる群より選択されるバイオマーカーにそれぞれ対応する少なくともＮ個のバイオマーカー値を検出することを含み、ここでは、バイオマーカー値を使用する、以下に詳しく記載するような分類により、その個体が肺癌を有するかどうかが示される。記載した肺癌バイオマーカーのあるものは、肺癌を検出及び診断するのに単独で有用であるが、本明細書では、３以上のバイオマーカーのパネルとしてそれぞれ有用である肺癌バイオマーカーの複合サブセットの群分けの方法についても記載する。このように、本出願の様々な態様は、Ｎ個のバイオマーカーを含んでなる組合せを提供し、ここでＮは、少なくとも３個のバイオマーカーである。他の態様では、２〜８６の任意数のバイオマーカーであるようにＮを選択する。上記に記載の範囲のいずれかだけでなく、同様の、しかしより高い次数の範囲の任意数であるようにＮを選択することができると理解されよう。本明細書に記載の方法のいずれにも従って、バイオマーカー値を個別に検出して分類することができるか、又はそれらは、例えばマルチプレックスアッセイフォーマットにおけるように、集合的に検出して分類することができる。
【０２４７】
[00289]  別の側面では、肺癌の非存在を検出するための方法を提供し、該方法は、個体からの生体試料において、表１８、２０、又は２１に提供されるバイオマーカーからなる群より選択されるバイオマーカーにそれぞれ対応する少なくともＮ個のバイオマーカー値を検出することを含んでなり、ここでは、以下に詳しく記載するようなバイオマーカー値の分類が個体における肺癌の非存在を示す。記載した肺癌バイオマーカーのあるものは、肺癌の非存在を検出及び診断するのに単独で有用であるが、本明細書では、３以上のバイオマーカーのパネルとしてそれぞれ有用である肺癌バイオマーカーの複合サブセットの群分けの方法についても記載する。このように、本出願の様々な態様は、Ｎ個のバイオマーカーを含んでなる組合せを提供し、ここでＮは、少なくとも３個のバイオマーカーである。他の態様では、２〜８６の任意数のバイオマーカーであるようにＮを選択する。上記に記載の範囲のいずれかだけでなく、同様の、しかしより高い次数の範囲の任意数であるようにＮを選択することができると理解されよう。本明細書に記載の方法のいずれにも従って、バイオマーカー値を個別に検出して分類することができるか、又はそれらは、例えばマルチプレックスアッセイフォーマットにおけるように、集合的に検出して分類することができる。
【０２４８】
バイオマーカーの分類と疾患スコアの計算
[00290]  所与の診断検査用のバイオマーカー「サイン（signature）」は、マーカーのセットを含有して、各マーカーは、目的の集団において異なるレベルを有する。異なるレベルは、この文脈において、２以上の群の個体についてのマーカーレベルの異なる平均値、又は２以上の群における異なる分散、又は両者の組合せを意味する場合がある。診断検査の最も単純な形式では、これらのマーカーを使用して、個体からの未知試料を疾患群か非疾患群の２群の１つへ帰属させることができる。２以上の群の１つへ試料を帰属させることは、分類として知られていて、この帰属を達成するために使用される手順は、分類器又は分類法として知られている。分類法は、スコア化法と呼ばれる場合もある。バイオマーカー値のセットより診断分類器を構築するために使用することができる、多くの分類法がある。一般に、分類法は、教師付き学習技術を使用して最も容易に実施されて、ここでは、区別することが望まれる２つ（又は、複合分類状態では、より多く）の別個の群内の個体より入手した試料を使用して、データセットを採取する。各試料が属するクラス（群又は集団）は、各試料について前もって知られているので、分類法を訓練して、所望の分類応答を得ることができる。また、教師付き学習技術を使用して、診断分類器を産生することが可能である。
【０２４９】
[00291]  診断分類器を開発するための一般的なアプローチには、決定木；バッギング＋ブースティング＋（ランダム）森；推論ルールに基づく学習；パルザン窓；線形モデル；記号論理学；ニューラルネットワーク方法；教師なしクラスタリング；Ｋ平均法；階層上昇／下降；半教師付き学習；プロトタイプ手法；最近隣法；カーネル密度推定；サポーティブベクターマシーン；隠れマルコフモデル；ボルツマン学習が含まれて、分類器を単純に組み合わせても、特別な目的関数を最小化するやり方で組み合わせてもよい。概説については、例えば、「パターン分類（Pattern Classification）」、R.O. Duda, et al.（監修）、ジョン・ウィリー・アンド・サンズ、第2版（2001）を参照のこと；「統計学習の基本：データマイニング、推論、及び予測（The Elements of Statistical Learning - Data Mining, Inference, and Prediction）」T. Hastie, et al.（監修）Springer Science+Business Media, LLC, 第2版（2009）も参照のこと；これらのいずれもその全体が参照により組み込まれる。
【０２５０】
[00292]  教師付き学習技術を使用して分類器を作成するには、訓練データと呼ばれる試料のセットを入手する。診断検査の文脈において、訓練データには、未知試料が後に帰属される別個の群（クラス）からの試料が含まれる。例えば、対照集団の個体と特別な疾患集団の個体より採取される試料が、未知試料（又は、より特別には、試料を入手した個体）を、疾患を有するもの又は疾患がないもののいずれかとして分類し得る分類器を開発するための訓練データを構成することができる。訓練データからの分類器の開発は、分類器を訓練することとして知られている。分類器訓練に関する具体的な詳細は、教師付き学習技術の性質に依存する。例解の目的のために、単純ベイズ分類器を訓練する例について以下に記載する（例えば、「パターン分類（Pattern Classification）」、R.O. Duda, et al.（監修）、ジョン・ウィリー・アンド・サンズ、第2版（2001）を参照のこと；「統計学習の基本：データマイニング、推論、及び予測（The Elements of Statistical Learning - Data Mining, Inference, and Prediction）」T. Hastie, et al.（監修）Springer Science+Business Media, LLC, 第2版（2009）も参照のこと）。
【０２５１】
[00293]  典型的には、訓練セットの試料より潜在的な多くのバイオマーカー値があるので、過剰適合を回避するように配慮を用いなければならない。過剰適合が起こるのは、統計モデルが基本的な（underlying）関係の代わりにランダム誤差又はノイズを記載するときである。過剰適合は、例えば、分類器を開発するのに使用するマーカーの数を制限すること、マーカーの応答が互いに独立していると仮定すること、利用する基本的な統計モデルの複雑性を制限すること、及びこの基本統計モデルがデータに一致することを確実にすることが含まれる、多様なやり方で回避することができる。
【０２５２】
[00294]  バイオマーカーのセットを使用する診断検査法の開発の具体例には、バイオマーカーの厳密な独立処理を伴う、単純ベイズ分類器、ベイズ理論に基づいた単純な確率的分類器の適用が含まれる。各クラスの測定ＲＦＵ値又は対数ＲＦＵ（相対蛍光単位）値のクラス依存確率密度関数（ｐｄｆ）によってそれぞれのバイオマーカーを記載する。１つのクラスのマーカーセットについての同時ｐｄｆは、各バイオマーカーの個別のクラス依存ｐｄｆの積であると仮定する。単純ベイズ分類器をこの文脈で訓練すると、クラス依存ｐｄｆを特性決定するためのパラメータを帰属させること（「パラメータ化」）になる。クラス依存ｐｄｆのどの基本モデルも使用してよいが、モデルは、訓練セットで観測したデータに概ね一致すべきである。
【０２５３】
[00295]  具体的には、バイオマーカー（ｉ）の数値ｘｉを疾患クラスにおいて測定するクラス依存確率をｐ（ｘｉ｜ｄ）と書いて、ｎ個のマーカーを数値
【０２５４】
【化１−１】
0005905003.tif 000002
【０２５５】
で観測する全体的な単純ベイズ確率を
【０２５６】
【化１−２】
0005905003.tif 000003
【０２５７】
［式中、個々のχｉは、ＲＦＵ又は対数ＲＦＵで測定されたバイオマーカーレベルである］と書く。未知試料の分類帰属は、測定値
【０２５８】
【化２−１】
0005905003.tif 000004
【０２５９】
を有して疾患状態にある確率
【０２６０】
【化２−２】
0005905003.tif 000005
【０２６１】
を同じ測定値で疾患がない（対照）確率
【０２６２】
【化２−３】
0005905003.tif 000006
【０２６３】
に対して計算することによって容易になる。これらの確率の比は、ベイズの定理、即ち
【０２６４】
【化２−４】
0005905003.tif 000007
【０２６５】
［ここでＰ（ｄ）は、検定に適した集団における疾病の罹患率である］の適用によってクラス依存ｐｄｆより計算される。この比の両辺の対数を取って、上記からの単純ベイズクラス依存確率を代入して、
【０２６６】
【化３】
0005905003.tif 000008
【０２６７】
を得る。この形式は、対数尤度比として知られていて、「特別な疾患がないこと」対「疾患を有すること」の対数尤度を単に述べるものであり、ｎ個の個別バイオマーカーの個々の対数尤度比の総和から主に構成される。この最も単純な形式において、未知試料（又は、より特別には、試料を入手した個体）を、上記の比が０より大きければ疾患がないとして、そしてその比が０未満であれば疾患を有するとして分類する。
【０２６８】
[00296]  １つの例示の態様において、クラス依存バイオマーカーのｐｄｆ：ｐ（ｘｉ｜ｃ）及びｐ（ｘｉ｜ｄ）は、測定ＲＦＵ値（ｘｉ）が正規分布又は対数正規分布である、即ち、
【０２６９】
【化４】
0005905003.tif 000009
【０２７０】
であると仮定する（ｐ（ｘｉ｜ｄ）は、μｄ，ｉ及びσ２ｄ，ｉを用いて同様の式とする）。このモデルのパラメータ化には、それぞれのクラス依存ｐｄｆについての２つの変数、平均値のμと分散のσ２を訓練データより推定することが求められる。このことは、例えば、最大尤度推定法、最小二乗法、並びに当業者に知られた他のあらゆる方法が含まれるいくつかのやり方で達成することができる。ｐ（ｘｉ｜ｃ）及びｐ（ｘｉ｜ｄ）の正規分布を上記に定義した対数尤度比へ代入して、以下の式：
【０２７１】
【化５】
0005905003.tif 000010
【０２７２】
を得る。各クラスの各ｐｄｆについて訓練データよりμ及びσ２のセットを決定して、その集団中の疾病罹患率を特定したならば、ベイズ分類器を完全に決定して、これを使用して測定値ｘの未知試料を分類することができる。
【０２７３】
[00297]  単純ベイズ分類器の性能は、分類器を構築して訓練するのに使用するバイオマーカーの数及び質に依存する。単一のバイオマーカーは、以下の実施例３に定義されるようなＫＳ距離（コルモゴロフ−スミルノフ）に従って機能する。分類器の性能計量を感度（真陽性率、∫ＴＰ）及び特異度（１−偽陽性率、１−∫ＦＰ）の和として定義すれば、完全分類器は２のスコアを有して、ランダム分類器は、平均して１のスコアを有する。ＫＳ距離の定義を使用して、ｐ（ｘ＊｜ｃ）＝ｐ（ｘ＊｜ｄ）をもたらす、即ちクラス依存ｐｄｆが交差する場合のＫＳ距離が生じるｘについて、
【０２７４】
【化６】
0005905003.tif 000011
【０２７５】
を解くことによって、ｃｄｆ関数の差を最大にする値ｘ＊を見出すことができる。このｘ＊値をＫＳ距離の式へ代入して、以下のＫＳの定義：
【０２７６】
【化７】
0005905003.tif 000012
【０２７７】
を得る。ＫＳ距離は、ｘ＊でのカットオフの検定、本質的には単一分析物のベイズ分類器を使用して、１−合計過誤率である。感度＋特異度のスコアは、ＫＳ距離の上記定義を組み合わせて、２−∫ＦＰ−∫ＦＮであると定義されるので、感度＋特異度＝１＋ＫＳとなることがわかる。我々は、単純ベイズ分類器を構築するのに本来適している統計数字のあるバイオマーカーを選択する。
【０２７８】
[00298]  一般に、良好なＫＳ距離（例えば、＞０．３）がある後続のマーカーを加えることは、後続して加えられるマーカーが第一のマーカーから独立しているならば、分類性能を高めるものである。感度＋特異度を分類器スコアとして使用すると、貪欲アルゴリズムの変法で多くの高スコア化分類器を作成することが直接的になる（貪欲アルゴリズムとは、全体最適を見出すことを期待して、各段階での局所最適選択をする問題解決メタヒューリスティクスに従うアルゴリズムである）。
【０２７９】
[00299]  ここで使用するアルゴリズムアプローチについては、実施例４で詳しく記載する。簡潔に言えば、潜在的なバイオマーカーの表よりすべての単一分析物分類器を作成して、リストへ加える。次に、このスコア化した単一分析物分類器のそれぞれへ第二の分析物のすべての可能な追加を実施して、新しいリストで、最良スコアペアの所定数、例えば、１０００をとっておく。この最良の２マーカー分類器の新しいリストを使用してすべての可能な３マーカー分類器を探して、再びこのうちで最良の１０００をとっておく。スコアがプラトーに達するか又は追加のマーカーを加えるたびに悪化し始めるまで、この方法を続ける。収束後に残るこの高スコア化分類器について、企図される使用に望まれる性能を評価することができる。例えば、１つの診断適用では、高い感度と中程度の特異度の分類器が中程度の感度と高い特異度より望ましい場合がある。別の診断適用では、高い特異度と中程度の感度の分類器がより望ましいかもしれない。一般に、所望される性能のレベルは、特別な診断適用のためにそれぞれ忍容され得る偽陽性と偽陰性の数の間でなさざるを得ないトレードオフに基づいて選択される。一般に、このようなトレードオフは、偽陽性又は偽陰性のいずれかの過誤の医療結果に依存するものである。
【０２８０】
[00300]  当該技術分野では他の様々な技術が知られていて、バイオマーカーのリストより単純ベイズ分類器を使用して多くの潜在的な分類器を作成するのに利用することができる。１つの態様では、遺伝アルゴリズムと呼ばれるものを使用して、上記に定義されるような適合スコアを使用して異なるマーカーを組み合わせることができる。遺伝アルゴリズムは、潜在的な分類器の多種多様な集団を探すのに特によく適している。別の態様では、いわゆる蟻コロニー最適化を使用して、分類器のセットを作成することができる。例えば、他の進化戦略、並びに焼きなまし法や他の確率的（stochastic）探索法が含まれる、当該技術分野で知られている他の戦略も利用することができる。例えば、ハーモニー探索法のようなメタヒューリスティクス法も利用してよい。
【０２８１】
[00301]  例示の態様は、表１８、２０、又は２１に収載した任意数の肺癌バイオマーカーを様々な組合せで使用して、肺癌を検出するための診断検査法を産生する（これらのバイオマーカーを同定した方法の詳しい記載については、実施例２及び６を参照のこと）。１つの態様において、肺癌を診断する方法は、単純ベイズ分類法を表１８、２０、又は２１に収載した任意数の肺癌バイオマーカーと一緒に使用する。具体例（実施例３）において、無症状喫煙者の集団より肺癌を検出するための最も単純な検査法は、単一のバイオマーカー、例えば肺癌において下方調節されていて、ＫＳ距離が０．３７である（１＋ＫＳ＝１．３７）ＳＣＦｓＲを使用して構築することができる。表１５からのＳＣＦｓＲのパラメータ、μｃ，ｊ、σｃ，ｉ、μｄ，ｊ、及びσｄ，ｉと上記に記載の対数尤度の等式を使用して、６３％の感度と７３％の特異度（感度＋特異度＝１．３６）の診断検査法を産生することができる（表１４を参照のこと）。この検査法のＲＯＣ曲線は、図２に表示されて、０．７５のＡＵＣを有する。
【０２８２】
[00302]  例えば、ＫＳ距離が０．５であるバイオマーカーＨＳＰ９０ａを加えると、分類器の性能が７６％の感度と７５％の特異度（感度＋特異度＝１．５１）そしてＡＵＣ＝０．８４へと有意に向上する。２つのバイオマーカーより構築した分類器のスコアがＫＳ距離の単純和でないことに留意されたい；ＫＳ距離は、バイオマーカーを組み合わせるときに相加的でなく、強いマーカーと同じレベルの性能を達成するには、多くのより弱いマーカーが必要となる。例えば、第三のマーカー、ＥＲＢＢ１を加えると、分類器の性能は、７８％の感度と８３％の特異度、そしてＡＵＣ＝０．８７へ押し上げられる。例えば、ＰＴＮ、ＢＴＫ、ＣＤ３０、カリクレイン７、ＬＲＩＧ３、ＬＤＨ−Ｈ１、及びＰＡＲＣのような追加のバイオマーカーを加えると、表１４に要約されて、図３において一連のＲＯＣ曲線として表示される一連の肺癌検査法が産生される。分類器構築に使用される分析物の数の関数としての分類器のスコアを図４に表示する。この例示の１０マーカー分類器の感度及び特異度は＞８７％であって、ＡＵＣは０．９１である。
【０２８３】
[00303]  表１８、２０、又は２１に収載したマーカーは、多くのやり方で組み合わせて、肺癌を診断するための分類器を産生することができる。いくつかの態様において、バイオマーカーのパネルは、選択される特定の診断性能基準に依存して、異なる数の分析物より構成される。例えば、バイオマーカーのある組合せは、他の組合せより高感度である（又はより特異的である）検査法を産生する。
【０２８４】
[00304]  表１８、２０、又は２１からのバイオマーカーの特別なセットが含まれるようにパネルを決定して、訓練データのセットより分類器を構築したならば、診断検査法の定義が完了する。１つの態様では、未知試料を分類するために使用する手順を図１Ａに概略する。別の態様では、未知試料を分類するために使用する手順を図１Ｂに概略する。生体試料を適正に希釈してから、１以上のアッセイで処理して、分類に使用する、関連性のある定量的なバイオマーカーレベルを産生する。測定されたバイオマーカーレベルは、クラス帰属の信頼性を反映する試料の分類と自由選択スコアを出力する分類法のためのインプットとして使用される。
【０２８５】
[00305]  表２１は、組織と血液の両方の試料において肺癌を診断するのに有用である８６種のバイオマーカーを同定する。表２０は、組織試料中に同定されたが、血清及び血漿の試料でも同様に有用である２５種のバイオマーカーを同定する。これは、バイオマーカー探索の努力の間に典型的に見出されるものと比較するときに予期されるよりも驚くほど多い数であって、数百の個別試料において、ある場合は低いフェントモル濃度の範囲の濃度で測定される８００を超えるタンパク質が含まれる、記載の試験の規模に起因する可能性がある。おそらく、探索バイオマーカーの数が多いことは、腫瘍の生物学と腫瘍の存在に対する身体の応答の両方で意義がある多様な生化学経路を反映している。つまり、それぞれの経路及びプロセスに多くのタンパク質が関与するのである。この結果は、そのような複雑なプロセスに関して独自に情報価値がある単一のタンパク質もタンパク質の小集団もなく、むしろ、例えば、アポトーシスや細胞外マトリックス修復のような関連したプロセスに多数のタンパク質が関与していることを示している。
【０２８６】
[00306]  記載の試験の間に同定された数多くのバイオマーカーを仮定すれば、様々な診断法において使用し得る多数の高機能性の分類器を導くことができると期待されよう。この考えを検証するために、表１のバイオマーカーを使用して、１万もの分類器について評価した。実施例４に記載するように、表１に提示されるバイオマーカーの多くのサブセットを組み合わせて、有用な分類器を作成することができる。例として、２つの使用（高リスク状態の喫煙者の肺癌スクリーニングとＣＴによって検出可能である肺結節を有する個体の診断）のそれぞれについて、１、２、及び３個のバイオマーカーを含有する分類器についての記載を提供する。実施例４に記載されるように、表１のバイオマーカーを使用して構築したすべての分類器は、「非マーカー」を使用して構築した分類器より顕著に優れて機能する。
【０２８７】
[00307]  表１のマーカーのいくつかを無作為に除外すること（このことは、分類器を構築するためのより小さなサブセットをもたらした）によって入手される分類器の性能についても検証した。実施例４、パート３に記載されるように、表１のマーカーのランダムサブセットより構築した分類器は、表１のマーカーの全リストを使用して構築した最適分類器と同様に機能した。
【０２８８】
[00308]  １０マーカー集合体より「最良の」個別マーカーを除外することによって入手される１０マーカー分類器の性能も検証した。実施例４、パート３に記載されるように、表１の「最良」マーカーなしで構築した分類器も、良好に機能した。表１に収載したバイオマーカーの多くのサブセットは、この表に収載したマーカーの上位１５種を除外した後でも、最適に近く機能した。このことは、どの特別な分類器の性能特性も、バイオマーカーのある小さなコア集団によるという可能性が低いこと、そして疾患プロセスがおそらくは数多くの生化学経路に影響を及ぼして、それが多くのタンパク質の発現レベルを改変させることを示唆している。
【０２８９】
[00309]  実施例４からの結果は、いくつかのあり得る結論を示唆する：第一に、多数のバイオマーカーの同定により、同様に高い性能を提供する膨大数の分類器へのその集合化が可能になること。第二に、根源的な疾患プロセスの複雑性に疑いなく充満する冗長度を反映するやり方で、特別なバイオマーカーを他のバイオマーカーで代用し得るように、分類器を構築することができること。つまり、表１に同定されるどの個別バイオマーカーによっても寄与される疾患に関する情報も、他のバイオマーカーによっても寄与される情報と重複するので、表１のどの特別なバイオマーカー又はバイオマーカーの小集団でも、ある分類器に含めなければならないものはないであろうこと。
【０２９０】
[00310]  例示の態様は、表３８及び３９のデータより構築した単純ベイズ分類器を使用して、未知試料を分類する。この手順を図１Ａ及びＢに概略する。１つの態様では、生体試料を任意選択的に希釈して、多重化アプタマーアッセイで処理する。実施例３に概略されるように、このアッセイからのデータを正規化及び較正して、得られるバイオマーカーレベルをベイズ分類スキームへのインプットとして使用する。それぞれの測定バイオマーカーについて対数尤度比を個別に計算してから合計して、診断スコアとも呼ばれる、最終分類スコアを産出する。得られる帰属、並びに全体分類スコアを報告することができる。それぞれのバイオマーカーレベルについて計算される個別の対数尤度リスク因子も同様に報告してもよい。分類スコア計算の詳細は、実施例３に提示する。
【０２９１】
[00311]  本明細書に記載のアプタマーベースのプロテオミック技術の、組織由来の疾患関連バイオマーカーの探索における使用への有用性を実証するために、８名の非小細胞肺癌（ＮＳＣＬＣ）患者より入手した、外科摘出由来の均質化した組織試料について実施例６に記載のように分析した。ＮＳＣＬＣ患者はいずれも４７〜７５歳の範囲に及ぶ喫煙者であって、ＮＳＣＬＣ病期１Ａ〜３Ｂが含まれた（表１７）。それぞれの摘出試料より３つの試料：腫瘍組織試料、隣接非腫瘍組織を入手した。プロテオミックプロファイリングのために、各ホモジェネート中の総タンパク濃度を補正して正規化して、ＤＮＡマイクロアレイプラットフォームの分析を続けて、８００種を超えるヒトタンパク質の濃度を測定した（Gold et al., Nature Precedings, http://precedings.nature.com/documents/4538/version/1(2010) を参照のこと）。
【０２９２】
[00312]  相対蛍光単位（ＲＦＵ）として表されるタンパク濃度測定値により、試料間のタンパク質サインの大規模比較が可能になる（図２１を参照のこと）。図２１を参照にすると、初めに、それぞれの患者試料について、対照隣接組織と遠位組織の間でタンパク質発現のレベルを比較した（図２１Ａ）。この比較では、ただ１つの分析物（フィブリノゲン）が試料の間で２倍以上の差を明示した。全体的には、ほとんどの分析物によって産生されるシグナルは、隣接組織と遠位組織の間で同様であった。
【０２９３】
[00313]  対照的に、非腫瘍組織（隣接又は遠位）と腫瘍組織の比較により、４倍より大きい差がある１１種（１．３％）のタンパク質と２倍より大きい差がある５３種（６．５％）のタンパク質が同定された（図２１Ｂ及び２１Ｃを参照のこと）。残る７６７種（９３．５％）のタンパク質は、腫瘍組織と非腫瘍組織の間で相対的により小さな差を示した。腫瘍組織では、隣接又は遠位組織に比べて、実質的に抑制されているタンパク質もあれば、上昇しているものもあった。タンパク質の差示的な発現は、隣接組織と腫瘍組織の間、又は遠位組織と腫瘍組織の間で概ね同様であった。全般的には、遠位組織での変化の方がより大きかった（図２１）が、このことは、ほとんどのタンパク質の変化が局所の腫瘍環境に特異的であることを実証する。
【０２９４】
[00314]  ＮＳＣＬＣ組織バイオマーカーを同定するために、Ostroff et al. Nature Precedings, http://precedings.nature.com/documents/4537/version/1(2010) に記載のように、マン・ホイットニー検定を使用して、腫瘍、隣接、及び遠位組織の試料間のタンパク質発現レベルを比較した。腫瘍と非腫瘍組織の間で最大の倍率変化があって、統計的に有意な差がある３６種のタンパク質を、有意水準ｑ＜０．０５の偽発見率カットオフで同定した（図２３及び２４と表１８）。腫瘍組織では、これらのタンパク質のうち２０種が上方調節されていて、１６種が下方調節されていた。本研究で使用した試料の数は相対的に小さかったが、それぞれの腫瘍試料がそれ自体の健常組織対照を有する、強力な個体ベースの試験デザインを利用した。これにより、集団ベースの試験デザインに付随する母集団分散が消去される。適正に選択される参照試料が利用可能であることは、バイオマーカー探索研究において決定的に重要な構成要素としてますます認知されている（Bossuyt (2011) J. Am. Med. Assoc. 305:2229-30; Ioannidis and Panagiotou(2011) J. Am. Med. Assoc. 305:2200-10; Diamandis(2010) J. Natl. Cancer Inst. 102:1462-7）。
【０２９５】
[00315]  本発明で同定されたＮＳＣＬＣ組織バイオマーカーのほぼ１／３（１３／３６）は、新規であると考えられている。残る２／３（２３／３６）については、ＮＳＣＬＣ腫瘍組織において差示的に発現されるタンパク質又は遺伝子としてすでに報告されている（表１８）。
【０２９６】
[00316]  実施例６の方法に従って同定されたバイオマーカーは、表１９に示すように、腫瘍生物学の重要な特徴に関連した４つの生物学的プロセス：１）血管新生、２）成長と代謝、３）炎症とアポトーシス、及び４）浸潤と転移へ大まかに分類することができる（Hanahan & Weinberg (2011) Cell 144:646-74）。認められるように、これらは、上記の分子がしばしば多重的で微妙な役割を担うきわめて複雑で動的なシステムに近似する、簡便であるが不正確な分類である。故に、どの特別な分子の発現及び機能にも最終的に影響を及ぼすのは、所与の系の特異的な状態である。これらの系の生物学的な理解は、完全から程遠い。ＳＯＭＡスキャンプラットフォームを用いると、様々な組織及び疾患プロセス中での多数のタンパク質の定量的な表現が可能になる。これらのデータは、上記の系の動態をマップするのに役立つ新たな座標を提供し、次いで肺癌だけでなく他の疾患の生物学のより完全な理解を提供するだろう。現行の研究からの諸結果は、馴染みの要素と新たな要素がともにある、ＮＳＣＬＣ腫瘍生物学に関する新たな見方をもたらすはずである。
【０２９７】
血管新生
[00317]  血管新生は、腫瘍の成長及び代謝を支える新たな血管の成長を推進する。血管新生の調節は、正のシグナルと負のシグナルの両方によって制御される複雑な生体現象である（Hanahan & Weinberg, (2011) Cell 144:646-74）。本研究で同定されたＮＳＣＬＣ組織バイオマーカーには、よく知られた正の血管新生レギュレータと負の血管新生レギュレータがあって（図２３及び２４と表１９）、このいずれもＮＳＣＬＣ腫瘍組織においてすでに観測されたことがある（Fontanini et al. (1999) British Journal of Cancer 79(2):363-369; Imotoet al. (1998) J. Thorac. Carciovasc. Surg 115:1007-1011; Ohtaet al. (2006) Ann. Thorac. Surg. 82:1180-1184; Iizasa et al. (2004) Clinical Cancer Research 10:5361-5366）。これらには、プロトタイピック（prototypic）血管新生誘導剤のＶＥＧＦと阻害剤のエンドスタチン及びトロンボスポンジン−１（ＴＳＰ−１）が含まれる。ＶＥＧＦは、新たな血管成長を促進する強力な成長因子であって、これまでの観測結果（Imoto et al. (1998) J. Thorac. Carciovasc. Surg 115:1007-1011）に一致して、そしてＮＳＣＬＣ患者からの血清試料についての我々の研究（Ostroff et al. Nature Precedings, http://precedings.nature.com/documents/4537/version/1(2010)）を含めて、ＮＳＣＬＣ腫瘍組織において強く上方調節されていた。エンドスタチンは、コラーゲンＸＶＩＩＩのタンパク分解断片であって、内皮細胞増殖と血管新生の強力な阻害剤である（Iizasa et al. (Aug. 2004) Clinical Cancer Research 10:5361-5366）。ＮＳＣＬＣ腫瘍組織では、ＴＳＰ−１と関連のトロンボスポンジン−２（ＴＳＰ−２）が実質的に上方調節されていた。ＴＳＰ−１とＴＳＰ−２は、細胞表面受容体、成長因子、サイトカイン、マトリックスメタロプロテイナーゼ、及び他の分子との様々な相互作用を介して変調される、複雑で状況依存的な効果がある細胞外マトリックスタンパク質である。モデル系において、原型的には、ＴＳＰ−１とＴＳＰ−２は、ＣＤ４７受容体を介して内皮細胞増殖を阻害することと、ＣＤ３６受容体を介して内皮細胞アポトーシスを誘導することによって血管新生を阻害する。ＴＳＰ−１とＴＳＰ−２については、好血管新生性の影響への証拠もある（Bornstein (2009) J. Cell Commun. Signal. 3(3-4):189-200）。最後に言えば、報告されたＮＳＣＬＣ組織中のＴＳＰ−１及びＴＳＰ−２の相対的及び絶対的な発現レベルは、おそらくはそれらの複雑な機能のために、まちまちである（Chijiwa et al. (2009) Oncology Reports 22:279-283; Chen et al. (2009) J Int Med Res 37:551-556; Oshika1998, Fontanini et al. (1999) British Journal of Cancer 79(2):363-369）。本研究では、ＮＳＣＬＣ腫瘍組織においてＣＤ３６が下方調節されていることが見出されて、このことは、腫瘍細胞の適応によりＴＳＰ−１及びＴＳＰ−２媒介性アポトーシスへの感受性が低下することを示す可能性がある。
【０２９８】
成長と代謝
[00318]  同定されたＮＳＣＬＣバイオマーカーのうち１０種が成長機能と代謝機能に関連している。これらバイオマーカーの半数は、細胞の成長とエネルギー代謝の複雑なホルモン調節に関与している。ＮＳＣＬＣ腫瘍では、インスリン様成長因子（ＩＧＦ）の活性を調節する３種のインスリン様成長因子結合タンパク質（ＩＧＦＢＰ）（ＩＧＦＢＰ−２、５、及び７）が上方調節されていた。いくつかの報告では、ＮＳＣＬＣ中のＩＧＦＢＰ−２、５、及び７が定量的に評価されて（表１８）、正常組織中よりＮＳＣＬＣ組織中でのより高い発現が示唆されている。インスリンとＩＧＦは、細胞の成長及び代謝に強く影響を及ぼすホルモンであって、癌細胞は、成長と増殖をこれらの分子に依存することが多い（Robert et al. (Aug. 1999) Clinical Cancer Research 5:2094-2102; Liu et al. (June 2007) Lung Cancer 56(3):307-317; Singhal et al. (2008) Lung Cancer 60:313-324）。一方、これらのホルモンは、インスリジンによって分解されるが、我々は、これがＮＳＣＬＣ腫瘍組織中で上方調節されていることを見出している。ホルモンのアジポネクチンは、脂質代謝とインスリン感受性を制御して、我々は、アジポネクチンがＮＳＣＬＣ腫瘍中で下方調節されていることを見出した。残る５種のバイオマーカー、炭酸脱水酵素ＩＩＩ、ＮＡＧＫ、ＴｒＡＴＰアーゼ、トリプターゼβ−２、及びＭＡＰＫ１３は、細胞の代謝に種々の役割がある酵素である（表１７）。
【０２９９】
炎症とアポトーシス
[00319]  炎症とアポトーシスは、癌生物学の特徴であって、上記プロセスに関連した数多くの潜在的なバイオマーカーがすでにＮＳＣＬＣと関連づけられてきた（表１９）。転移と関連づけられたカスパーゼ−３（Chen et al. (2010) Lung Cancer (doi:1016/j.lungcan.2010.10.015）は、ＮＳＣＬＣ腫瘍組織中で上方調節されていることが見出された。別の注目すべき例は、ＮＳＣＬＣ組織中で劇的に下方調節されていることが報告されたＲＡＧＥである（Jing et al. (2010) Neoplasma. 57:55-61, Bartling et al. (2005) Carcinogenesis 26:293-301）。この知見は、非悪性腫瘍組織中より腫瘍中でより低いタンパク質について観測された最大の変化をｓＲＡＧＥが有した、本明細書に開示される測定値に一致している。理論によって制限されずに言えば、１つの仮説は、ＲＡＧＥが上皮の組織化においてある役割を担っていて、肺腫瘍中でのＲＡＧＥのレベルの低下が上皮組織構造の損失の原因となって、悪性の形質転換を潜在的にもたらす可能性がある、ということである（Bartling et al. (2005) Carcinogenesis 26(2):293-301）。ＢＣＡ−１、ＣＸＣＬ１６、ＩＬ−８、及びＮＡＰ−２のようないくつかのサイトカインも変化していて（表１８）、先天性及び適応性の免疫系アームに由来する細胞を伴う腫瘍の浸潤が増殖性及び血管新生性のシグナルに影響を及ぼす生理活性分子をもたらすとする仮説と一致している（Hanahan & Weinberg (2011) Cell 144:646-74）。
【０３００】
浸潤と転移
[00320]  潜在的なバイオマーカーの最大群は、細胞−細胞及び細胞−マトリックスの相互作用に機能して、浸潤及び転移に関与するタンパク質を含有する。これまでに、その多くがＮＳＣＬＣと関連していることが報告されてきた。最も注目すべきは、細胞外マトリックス成分のタンパク分解的な破壊と成長因子のような基質のプロセシングに寄与する、マトリックスメタロプロテアーゼの２つ、ＭＭＰ−７とＭＭＰ−１２である（例えば、Su et al. (2004) Chinese Journal of Clinical Oncology 1(2):126-130; Wegmann et al. (1993) Eur. J. Cancer 29A (11):1578-1584 を参照のこと）。このようなプロセスは、腫瘍のミクロ環境を創出する上である役割を担うことがよく知られている。ＭＭＰ−７とＭＭＰ−１２はともにＮＳＣＬＣ組織中で上方調節されていることが見出され（表１８）、これは、抗体ベースの測定値を使用した同様の研究結果と一致している（Shah et al. (2010) The Journal of Thoracic and Cardiovascular Surgery 139(4):984-990）。ＭＭＰ−７及びＭＭＰ−１２の過剰発現は、ＮＳＣＬＣの不良な予後と関連づけられてきた（Shah et al. (2010) The Journal of Thoracic and Cardiovascular Surgery 139(4):984-990）。ＭＭＰ−１２レベルは、局所再発と転移疾患に相関していた（Hofmann et al. (2005) Clin. Cancer Res. 11:1086-92, Hoffman et al. (2006) Oncol. Rep. 16: 587-95）。研究された８名の被検者のうち２名は、正常レベルのＭＭＰ−１２を有したが、他の６名は、非腫瘍組織に比べて腫瘍組織中でＭＭＰ−１２が１５〜５０倍上昇していた。
【０３０１】
ＮＳＣＬＣバイオマーカーの組織化学プローブとしての性能
[00321]  腫瘍組織と非腫瘍組織の間でのタンパク質発現における差に関する理解を使用して、新規の組織化学プローブを同定することができる。このようなプローブは、腫瘍と周囲ストローマに対するその作用のより正確な分子特性決定を可能にすることができる。図２５は、上記バイオマーカーの探索に使用した同一の腫瘍摘出試料より得られた新鮮凍結組織を染色する、同定したＳＯＭＡマーの２つの能力を実証する。トロンボスポンジン−２（ＴＳＰ２）は、腫瘍組織ホモジェネート中で増加していることが見出されたが、一方、マクロファージマンノース受容体（ＭＲＣ１）は、減少していた。これらＳＯＭＡマーでの組織染色は、プロファイリング結果と一致していた。追加の実施例、並びに染色パターンの抗体による確定を図２７に示す。
【０３０２】
ＮＳＣＬＣの組織バイオマーカーと血清バイオマーカーの比較
[00322]  無癌対照に比べたＮＳＣＬＣ患者の血清中でのタンパク質の差示的な発現を、ＮＳＣＬＣ組織試料のそれと比較すると、有用な洞察が得られる（図２６）。最も衝撃的な観測は、タンパク質発現の相対的な変化が、血清中より組織中でより大きいことである。この結果は、腫瘍組織がタンパク質発現の変化の源泉であって、たとえ循環中へ完全に放出されたとしても、全量の血液中で何倍にも希釈されてしまうので、予測され得ることである。この傾向は、図２６のｘ軸に沿ったデータ点の伸長された分布において明白である（この図では、両軸を同じスケールで引いて、この論点を明示する）。腫瘍組織中で変化するような、図２３及び２４に示した分析物のうち１２種は、ＮＳＣＬＣ患者由来の血清中でも、対照に対して差示的に発現されている（図２６中の赤塗り円）。この一方的な変化のほとんどは、組織と血清の間で同じであるが、同じでないものも２、３種ある。明らかに、タンパク質の組織ホモジェネート中の局所濃度がそのタンパク質の循環レベルと相関する必要はないが、逆相関は、ある種のバイオマーカーの「疾病組織」対「正常組織」中での再分布に関するヒントを提供する可能性がある。
【０３０３】
[00323]  近年、実証可能な診断又は臨床上の有用性がある新規バイオマーカーの発見は、重大な挑戦課題となっている（Diamandis (2010) J. Natl. Cancer Inst. 102:1462-7）。この理由には、分析前及び分析中での人為的結果の遍在性、好適な健常状態対照の入手不可能性、洗練されてない試験設計、及びごく低い濃度でのタンパク質レベルのわずかな変化を検出することの困難さが含まれる。この課題は、しばしばその目的が相対的に大きな人体中のわずかな悪性腫瘍を早期に同定することにある、癌バイオマーカーで特に顕著である。後者の論点に関して言えば、真の癌バイオマーカーを発見するチャンスを高める１つのやり方は、腫瘍組織のような疾患の源泉からだけでなく、循環からのタンパク質発現データも入手することである。この結果を合わせることで、潜在的なバイオマーカーの正当性を一部確証することができる。本出願は、開示した高度に多重化されて高感度のプロテオミックアッセイでこのことが可能であることを実証する。組織も、血漿又は血清のように、ＳＯＭＡスキャンに適用可能であることが示されて、ＮＳＣＬＣ腫瘍組織中のタンパク質発現の周囲の健常肺組織中でのそれとの比較分析で得られる結果は、血清試料より同定された潜在的なＮＳＣＬＣバイオマーカーの既存のデータセット（米国特許出願公開公報２０１０／００７０１９１号を参照のこと）への補完物を提供する。本事例では、本明細書で報告した３６種の組織バイオマーカーの１／３、又は１２種（ＢＣＡ−１（ＢＣＬ）、カドヘリン−１（カドヘリン−Ｅ）、カタラーゼ、エンドスタチン、ＩＧＦＢＰ−２、ＭＲＣ１（マクロファージマンノース受容体）、ＭＡＰＫ−１３（ＭＫ１３）、ＭＭＰ−７、ＭＭＰ−１２、ＮＡＧＫ、ＶＥＧＦ、及びＹＥＳ）がすでに血清中で同定されていた。まとめると、上記のデータは、ＮＳＣＬＣに付随する変化の複雑性のさらなる理解に貢献して、この命取りの病気の早期検出への追加の潜在的なバイオマーカーを提供するものである。
【０３０４】
キット
[00324]  表２０のバイオマーカー（並びに、追加の生物医学情報）のどの組合せも、本明細書に開示する方法を実施するときの使用のためのように、好適なキットを使用して検出することができる。さらに、どのキットも、蛍光部分、等のような本明細書に記載の１以上の検出可能な標識を含有することができる。
【０３０５】
[00325]  １つの態様において、キットには、（ａ）生体試料中の１以上のバイオマーカーを検出するための１以上の捕捉試薬（例えば、少なくとも１つのアプタマー又は抗体のような）［ここでバイオマーカーには、表１８、２０、又は２１に示されるバイオマーカーのいずれも含まれる］と、任意選択的に（ｂ）本明細書にさらに記載されるように、生体試料が入手された個体を、肺癌を有するか又は有さないとして分類するため、又はその個体が肺癌を有する可能性を決定するための１以上のソフトウェア又はコンピュータプログラム製品が含まれる。あるいは、１以上のコンピュータプログラム製品というより、上記の工程をヒトがマニュアルで実施するための１以上の説明書を提供することができる。
【０３０６】
[00326]  本明細書では、対応する捕捉試薬及びシグナル産生物質と固体支持体の組合せを「検出デバイス」又は「キット」と呼ぶ。キットには、そのデバイスと試薬を使用すること、試料を取り扱うこと、及びデータを分析することのための説明書も含めることができる。さらに、キットは、生体試料について分析して、分析の結果を報告するためのコンピュータシステム又はソフトウェアとともに使用してよい。
【０３０７】
[00327]  キットは、生体試料を処理するための１以上の試薬（例、可溶化緩衝液、界面活性剤、洗浄液、又は緩衝液）も含有することができる。本明細書に記載するキットのいずれにも、例えば、緩衝液、ブロッキング剤、質量分析法マトリックス材料、抗体捕捉剤、陽性対照試料、陰性対照試料、ソフトウェアとプロトコール、ガイダンス、及び参照データのような情報も含めることができる。
【０３０８】
[00328]  １つの側面において、本発明は、肺癌状態の分析のためのキットを提供する。キットには、表１８、２０、又は２１より選択される１以上のバイオマーカー用のＰＣＲプライマーが含まれる。キットには、使用と、バイオマーカーの肺癌との相関性についての説明書をさらに含めてよい。キットには、表２０より選択されるバイオマーカーの１以上の相補体を含有するＤＮＡアレイ、試薬、及び／又は試料ＤＮＡを増幅又は単離するための酵素も含めてよい。キットには、リアルタイムＰＣＲ用の試薬、例えば、ＴａｑＭａｎプローブ及び／又はプライマーと酵素を含めてよい。
【０３０９】
[00329]  例えば、キットは、（ａ）検査試料中の１以上のバイオマーカーを定量するための捕捉試薬を少なくとも含んでなる試薬［ここで前記バイオマーカーは、表１８、２０、又は２１に示すバイオマーカー、又は本明細書に記載の他のあらゆるバイオマーカー又はバイオマーカーパネルを含む］と、任意選択的に（ｂ）検査試料において定量される各バイオマーカーの量を１以上の所定カットオフと比較して、定量した各バイオマーカーのスコアを前記比較に基づいて帰属させる工程、定量した各バイオマーカーの帰属スコアを足し合わせて総スコアを得る工程、この総スコアを所定のスコアと比較する工程、及び前記比較を使用して個体が肺癌を有するかどうかを判定する工程を実施するための１以上のアルゴリズム又はコンピュータプログラムを含むことができる。あるいは、１以上のアルゴリズム又はコンピュータプログラムというより、上記の工程をヒトがマニュアルで実施するための１以上の説明書を提供することができる。
【０３１０】
コンピュータの方法及びソフトウェア
[00330]  バイオマーカー又はバイオマーカーパネルを選択したらすぐに、個体を診断するための方法は、以下を含むことができる：１）生体試料を採取するか又は他のやり方で入手する；２）分析法を実施して、パネル中の単数又は複数のバイオマーカーを生体試料において検出及び測定する；３）バイオマーカー値を収集するために使用する方法に求められるあらゆるデータの正規化又は標準化を実施する；４）マーカースコアを計算する；５）マーカースコアを足し合わせて総診断スコアを入手する；及び、６）個体の診断スコアを報告する。このアプローチにおいて、診断スコアは、すべてのマーカー計算の合計より決定される単一数であってよく、これを疾患の存在又は非存在の指標である予め設定された閾値と比較する。又は、診断スコアは、バイオマーカー値をそれぞれ表す一連の棒グラフ（bars）であってよく、この応答のパターンを、疾患の存在又は非存在の判定のための予め設定されたパターンへ比較してよい。
【０３１１】
[00331]  本明細書に記載の方法の少なくともいくつかの態様は、コンピュータの使用で実行することができる。コンピュータシステム（１００）の例を図６に示す。図６を参照すると、システム（１００）は、プロセッサー（１０１）、入力デバイス（１０２）、出力デバイス（１０３）、保存デバイス（１０４）、コンピュータ−読み取り可能保存媒体リーダー（１０５ａ）、通信システム（１０６）、加速処理システム（例、ＤＳＰ又は特殊用途プロセッサー）（１０７）、及びメモリー（１０９）が含まれる、バス（１０８）を介して電気的に接続した、ハードウェア要素から構成されることが示される。コンピュータ−読み取り可能保存媒体リーダー（１０５ａ）は、コンピュータ読み取り可能保存媒体（１０５ｂ）へさらに接続されて、この組合せは、コンピュータ読み取り可能情報を一時的に、及び／又はより永続的に含有するための遠隔、局所、固定、及び／又は取り外し可能保存デバイス＋保存媒体、メモリー、等を包括的に表して、これには、保存デバイス（１０４）、メモリー（１０９）、及び／又はそのような他のあらゆるアクセス可能システム（１００）リソースを含めることができる。システム（１００）はまた、オペレーティングシステム（１９２）と、プログラム、データ、等のような他のコード（１９３）が含まれるソフトウェア要素（現行では、ワーキングメモリー（１９１）の内部に位置しているものとして示す）を含む。
【０３１２】
[00332]  図６に関して言えば、システム（１００）は、広汎な柔軟性及びコンフィギュアビリティを有する。従って、例えば、単一のアーキテクチャを利用して、現行で望まれるプロトコール、プロトコール変更、拡張、等に従ってさらに設定され得る１以上のサーバーを実行することが可能であろう。しかしながら、当業者には、より特定の応用要求性に従って諸態様を利用できることも明らかであろう。例えば、１以上のシステム要素をシステム（１００）コンポーネント内部の（例えば、通信システム（１０６）内部の）サブ要素として実行することができよう。カスタマイズされたハードウェアも利用することができる、及び／又は特別な要素でもハードウェア、ソフトウェア、又はその両方において実行することができよう。さらに、ネットワーク入力／出力デバイス（示さず）のような他の計算デバイスへの接続が利用し得る一方で、他の計算デバイスへの有線、無線、モデム、及び／又は他の単数又は複数の接続も利用し得ることを理解されたい。
【０３１３】
[00333]  １つの側面において、システムは、肺癌に特徴的なバイオマーカーの特徴を含有するデータベースを含むことができる。バイオマーカーデータ（又はバイオマーカー情報）は、コンピュータ実行法の一部としての使用のためにコンピュータへの入力として利用することができる。バイオマーカーデータには、本明細書に記載のようなデータを含めることができる。
【０３１４】
[00334]  １つの側面において、システムは、入力データを１以上のプロセッサーへ提供するための１以上のデバイスをさらに含む。
[00335]  システムは、付番データ要素のデータセットを保存するためのメモリーをさらに含む。
【０３１５】
[00336]  別の側面において、入力データを提供するためのデバイスは、データ要素の特徴を検出するための検出器（例えば、質量分析計又は遺伝子チップリーダーのような）を含む。
【０３１６】
[00337]  システムは、データベース管理システムを追加的に含んでよい。ユーザーの要求又は質問は、その質問を処理して、訓練セットのデータベースより関連情報を抽出するデータベース管理システムによって理解される適正な言語へフォーマット化することができる。
【０３１７】
[00338]  システムは、ネットワークサーバーと１以上のクライエントが接続するネットワークへ接続可能であり得る。ネットワークは、当該技術分野で知られているように、構内ネットワーク（ＬＡＮ）又は広域ネットワーク（ＷＡＮ）であってよい。好ましくは、サーバーには、ユーザー要求を処理するためにデータベースデータへアクセスするためのコンピュータプログラム製品（例、ソフトウェア）を作動させるのに必要なハードウェアが含まれる。
【０３１８】
[00339]  システムには、データベース管理システムからの指示を実行するためのオペレーティングシステム（例、ＵＮＩＸ（登録商標）又はＬｉｎｕｘ（登録商標））が含まれる場合がある。１つの側面において、オペレーティングシステムは、インターネットのようなグローバル通信ネットワーク上で作動し、グローバル通信ネットワークサーバーを利用して、そのようなネットワークへ接続することができる。
【０３１９】
[00340]  システムには、当該技術分野で知られているグラフィカルユーザーインターフェイスに定型的に見出される、ボタン、プルダウンメニュー、スクロールバー、テキスト入力用フィールド、等のようなインターフェイス要素を含んでなるグラフィカルディスプレイインターフェイスを含む１以上のデバイスを含めてよい。ユーザーインターフェイスで入力される要求は、システムデータベースの１以上において関連情報について検索するためにフォーマット化するためのシステム中のアプリケーションプログラムへ伝送することができる。ユーザーによって入力される要求又は質問は、どの好適なデータベース言語でも構築されてよい。
【０３２０】
[00341]  グラフィカルユーザーインターフェイスは、グラフィカルユーザーインターフェイスコードによってオペレーティングシステムの一部として作成され得て、データを入力する、及び／又は入力済みデータを表示するために使用することができる。処理されたデータの結果は、インターフェイスに表示する、システムと通信したプリンター上に印刷する、メモリーデバイスに保存する、及び／又はネットワーク全体に伝送することができるか、又はコンピュータ読み取り可能媒体の形式で提供することができる。
【０３２１】
[00342]  システムは、データ要素に関するデータ（例、発現値）をシステムへ提供するための入力デバイスと通信した状態であり得る。１つの側面において、入力デバイスには、遺伝子発現プロファイリングシステム（例えば、質量分析計、遺伝子チップ、又はアレイリーダー、等が含まれる）を含めることができる。
【０３２２】
[00343]  肺癌バイオマーカー情報を様々な態様に従って分析するための方法及び装置は、どの好適なやり方でも実行してよく、例えば、コンピュータシステムで作動するコンピュータプログラムを使用する。リモートアクセスアプリケーションサーバー、ネットワークサーバー、パーソナルコンピュータ、又はワークステーションのような、プロセッサーとランダムアクセスメモリーを含んでなる慣用のコンピュータシステムを使用してよい。追加のコンピュータシステムコンポーネントには、大容量記憶システムとユーザーインターフェイス（例えば、慣用のモニター、キーボード、及びトラッキング装置）のような、メモリーデバイス又は情報保存システムを含めてよい。コンピュータシステムは、スタンドアローンシステムであっても、サーバーと１以上のデータベースが含まれるコンピュータのネットワークの一部であってもよい。
【０３２３】
[00344]  肺癌バイオマーカー分析システムは、データ収集、処理、解析、報告、及び／又は診断のような、データ分析を完了するための機能及び操作を提供することができる。例えば、１つの態様において、コンピュータシステムは、肺癌バイオマーカーに関連する情報を受容、保存、検索、解析、及び報告し得るコンピュータプログラムを実行することができる。コンピュータプログラムは、生データを処理して補足データを作成するための処理モジュールと、生データ及び補足データを分析して肺癌状態及び／又は診断を作成するための分析モジュールのように、様々な機能及び操作を実施する多数のモジュールを含む場合がある。肺癌状態を診断することは、その疾患に関連した個体の状態に関する追加の生物医学情報が含まれる他のあらゆる情報を作成又は収集すること、さらなる検査が望まれ得るかどうかを確定すること、又はその個体の健康状態を他のやり方で評価することを含む場合がある。
【０３２４】
[00345]  図７へ言及すると、開示の態様の原理に従ってコンピュータを利用する方法の例を見ることができる。図７に、フローチャート（３０００）を示す。ブロック（３００４）では、バイオマーカー情報を個体のために検索することができる。バイオマーカー情報は、例えば、個体の生体試料の検査を実施した後で、コンピュータデータベースより検索することができる。バイオマーカー情報は、表１８（ここでは、Ｎ＝２〜３６）、表２０（ここでは、Ｎ＝２〜２５）、又は表２１（ここでは、Ｎ＝２〜８６）に提供されるバイオマーカーからなる群より選択される少なくともＮ個のバイオマーカーの１つにそれぞれ対応するバイオマーカー値を含む可能性がある。ブロック（３００８）では、コンピュータを利用して、バイオマーカー値のそれぞれを分類することができる。そして、ブロック（３０１２）では、個体が肺癌を有する可能性について、複数の分類に基づいて判定を下すことができる。その表示は、ヒトが見ることができるように、ディスプレイ又は他の表示デバイスへの出力であり得る。このように、例えば、それは、コンピュータのディスプレイスクリーン又は他の出力デバイス上に表示することができる。
【０３２５】
[00346]  図８へ言及すると、別の態様に従ってコンピュータを利用する代わりの方法をフローチャート（３２００）より図解することができる。ブロック（３２０４）では、コンピュータを利用して、バイオマーカー情報を個体のために検索することができる。バイオマーカー情報は、表１８、２０、又は２１に提供されるバイオマーカーの群より選択されるバイオマーカーに対応するバイオマーカー値を含む。ブロック（３２０８）では、バイオマーカー値の分類をコンピュータで実施することができる。そして、ブロック（３２１２）では、個体が肺癌を有する可能性について、その分類に基づいて表示をすることができる。その表示は、ヒトが見ることができるように、ディスプレイ又は他の表示デバイスへの出力であり得る。このように、例えば、それは、コンピュータのディスプレイスクリーン又は他の出力デバイス上に表示することができる。
【０３２６】
[00347]  本明細書に記載のいくつかの態様は、コンピュータプログラム製品が含まれるように実行することができる。コンピュータプログラム製品には、アプリケーションプログラムをデータベース入りのコンピュータで実行させるためのコンピュータ読み取り可能プログラムコードがその中で具現化されるコンピュータ読み取り可能媒体が含まれ得る。
【０３２７】
[00348]  本明細書に使用するように、「コンピュータプログラム製品」は、あらゆる種類の物理媒体（例、書面、電子、磁気、光、又は他の媒体）に含有されて、コンピュータ又は他の自動化データ処理システムで使用され得る、自然言語又はプログラミング言語の陳述の形式で組織化された指令のセットを意味する。このようなプログラミング言語の陳述は、コンピュータ又はデータ処理システムによって実行されるとき、コンピュータ又はデータ処理システムがその陳述の特別な内容に従って作動することを引き起こす。コンピュータプログラム製品には、制限なしに、ソースコード及び目的コードのプログラム、及び／又はコンピュータ読み取り可能媒体に埋め込まれたテスト又はデータライブラリーが含まれる。さらに、コンピュータシステム又はデータ処理機器デバイスが予め選択されたやり方で作用することを可能にするコンピュータプログラム製品は、限定されないが、元のソースコード、アセンブリーコード、目的コード、機械言語、上記の暗号化又は圧縮バージョン、及び、ありとあらゆる同等物が含まれるいくつかの形式で提供され得る。
【０３２８】
[00349]  １つの側面では、肺癌の可能性を示すためにコンピュータプログラム製品を提供する。このコンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード［ここで、該データは、表１８（ここでは、Ｎ＝２〜３６）、表２０（ここでは、Ｎ＝２〜２５）、又は表２１（ここでは、Ｎ＝２〜８６）に提供されるバイオマーカーの群より選択される、生体試料中の少なくともＮ個のバイオマーカーの１つにそれぞれ対応するバイオマーカー値を含む；ここでＮ＝２〜８６である］と、個体の肺疾患状態を前記バイオマーカー値の関数として示す分類法を実行するコードを含んでなる。
【０３２９】
[00350]  なお別の側面では、肺癌の可能性を示すためにコンピュータプログラム製品を提供する。このコンピュータプログラム製品には、計算デバイス又はシステムのプロセッサーによって実行可能なプログラムコードを具現化するコンピュータ読み取り可能媒体が含まれ、該プログラムコードは、個体からの生体試料へ帰属されるデータを検索するコード［ここで、該データは、表１８（ここでは、Ｎ＝２〜３６）、表２０（ここでは、Ｎ＝２〜２５）、又は表２１（ここでは、Ｎ＝２〜８６）に提供されるバイオマーカーの群より選択される、生体試料中のバイオマーカーに対応するバイオマーカー値を含む］と、個体の肺疾患状態を前記バイオマーカー値の関数として示す分類法を実行するコードを含んでなる。
【０３３０】
[00351]  様々な態様を方法又は装置として記載してきたが、諸態様は、コンピュータと連結したコード（例えば、コンピュータに常駐のコード、又はコンピュータによってアクセス可能なコード）を介して実行し得ると理解されるべきである。例えば、ソフトウェアとデータベースを利用して、上記に考察した方法の多くを実行することができる。従って、ハードウェアによって達成される態様に加えて、上記の態様が、コンピュータ読み取り可能プログラムコードがその中で具現化されるコンピュータ使用可能媒体からなる製造品の使用を介して達成され得て、それにより本記載に開示される諸機能が可能化されることも注目される。故に、諸態様も、本特許によって、そのプログラムコード手段においても保護されるとみなされることが望ましい。さらに、本態様は、制限なしに、ＲＡＭ、ＲＯＭ、磁気媒体、光学式媒体、又は磁気光学式媒体が含まれる、ほとんどあらゆる種類のコンピュータ−読み取り可能メモリーに保存されるそのコードとして具現化され得る。なおより一般的には、本態様は、ソフトウェアにおいて、又はハードウェアにおいて、又はそのあらゆる組合せ（限定されないが、汎用プロセッサーで実行されるソフトウェア、マイクロコード、ＰＬＡ、又はＡＳＩＣが含まれる）において実行することができる。
【０３３１】
[00352]  また、諸態様は、搬送波、並びに伝送媒体を介して伝播されるシグナル（例、電気及び光シグナル）において具現化されるコンピュータシグナルとして達成され得ると想定される。従って、上記に考察した様々な種類の情報は、データ構造のような構造においてフォーマット化されて、伝送媒体を介して電気シグナルとして伝送されるか又はコンピュータ読み取り可能媒体上に保存することができる。
【０３３２】
[00353]  また、本明細書に引用した構造、材料、及び行為の多くがある機能を実施するための手段又はある機能を実施するための工程として引用され得ることが注目される。故に、そのような言語により、参照により組み込まれる内容が含まれる、本明細書内で開示されるすべてのそのような構造、材料、又は行為とそれらの均等物が網羅され得ると理解されるべきである。
【実施例】
【０３３３】
[00354]  以下の実施例は、例解の目的のためにのみ提供されるのであって、付帯の特許請求項によって規定されるような本出願の範囲を制限することを企図しない。本明細書に記載のすべての実施例は、当業者によく知られていて定型的である標準技術を使用して行った。以下の実施例に記載される定型的な分子生物学の技術は、Sambrook et al.,「分子クローニング：実験マニュアル（Molecular Cloning: A Laboratory Manual）」第3版、コールドスプリングラボラトリープレス、ニューヨーク州コールドスプリングハーバー（2001）のような標準実験マニュアルに記載のように行うことができる。
【０３３４】
実施例１．肺癌バイオマーカー選択用試料の多重化アプタマー分析
[00355]  本実施例は、表１、カラム２に示すバイオマーカーの同定のために試料及び対照を分析するのに使用するマルチプレックスアプタマーアッセイについて記載する（図９を参照のこと）。この事例において、多重化分析は、特異的な標的にそれぞれ独自である８２０種のアプタマーを利用した。
【０３３５】
[00356]  この方法では、溶液の添加の度にピペット先端を交換した。
[00357]  また、他に示さなければ、ほとんどの溶液移動と洗液追加には、Ｂｅｃｋｍａｎ  Ｂｉｏｍｅｋ  ＦｘＰの９６ウェルヘッドを使用した。マニュアルでピペット操作する方法の工程では、他に示さなければ、１２チャンネルＰ２００  Ｐｉｐｅｔｔｅｍａｎ（Rainin Instruments，LLC，カリフォルニア州オークランド）を使用した。４０ｍＭ  ＨＥＰＥＳ，１００ｍＭ  ＮａＣｌ，５ｍＭ  ＫＣｌ，５ｍＭ  ＭｇＣｌ２，１ｍＭ  ＥＤＴＡをｐＨ７．５で含んでなるＳＢ１７と呼ぶカスタム緩衝液を自前で調製した。他に示さなければ、すべての工程を室温で実施した。
【０３３６】
１．アプタマーストック溶液の調製
[00358]  光切断可能ビオチンリンカーを含まないアプタマーのために、１０％、１％、及び０．０３％血清用のカスタムストックアプタマー溶液を適正な光切断可能ビオチニル化プライマーとともに１ｘＳＢ１７，０．０５％  Ｔｗｅｅｎ−２０において８倍の濃度で調製した。ここで得られるプライマー濃度は、関連するアプタマーの濃度の３倍であった。このプライマーは、対応するアプタマーの全部又は一部へハイブリダイズした。
【０３３７】
[00359]  ３つの８ｘアプタマー溶液のそれぞれを１ｘＳＢ１７，０．０５％  Ｔｗｅｅｎ−２０で別々に４倍希釈して（１５００μＬの８ｘストックを４５００μＬの１ｘＳＢ１７，０．０５％  Ｔｗｅｅｎ−２０へ希釈する）、２ｘ濃度とした。次いで、それぞれの希釈アプタマーマスターミックスのそれぞれ１５００μＬを４つの２ｍＬネジ蓋試験管へ分けて、９５℃まで５分間処理して、３７℃で１５分間のインキュベーションを続けた。インキュベーションの後で、特別なアプタマーマスターミックスへ対応する４つの２ｍＬ試験管を試薬槽へ合わせて、５５μＬの２ｘアプタマーミックスを（全部で３つのミックスについて）９６ウェルＨｙｂａｉｄプレートへマニュアルでピペット注入して、プレートホイルを密封した。最終結果は、３つの９６ウェル、ホイル密封Ｈｙｂａｉｄプレートであった。個々のアプタマー濃度は、表２に示すように０．５〜４ｎＭの範囲に及んだ。
【０３３８】
２．アッセイ試料調製
[00360]  −８０℃で保存した１００％血清の凍結アリコートを２５℃の水浴に１０分間入れた。融解した試料を氷上に置いて、穏やかに（４に設定）８秒間振り混ぜてから、氷上に再び置いた。
【０３３９】
[00361]  ５０μＬの８チャンネルスパニングピペッターを使用して１６μＬの試料を９６ウェルＨｙｂａｉｄプレートへ移すことによって２０％試料溶液を調製すると、各ウェルは、６４μＬの適正な試料希釈液を４℃で含有した（血清に対して０．８ｘＳＢ１７，０．０５％  Ｔｗｅｅｎ−２０，２μＭ  Ｚ−ブロック＿２，０．６ｍＭ  ＭｇＣｌ２）。このプレートを、次の試料希釈工程を開始するまで、氷上で保存した。
【０３４０】
[00362]  試料及びアプタマーの平衡化を開始するために、２０％試料プレートを少しの間遠心分離させて、Ｂｅｃｋｍａｎ  ＦＸ上に置いて、ここで９６ウェルピペッターを用いて上下にピペット操作することによってこれを混合した。次いで、１０μＬの２０％試料を９０μＬの１ｘＳＢ１７，０．０５％  Ｔｗｅｅｎ−２０へ希釈することによって２％試料を調製した。次に、得られる２％試料の６μＬを１９４μＬの１ｘＳＢ１７，０．０５％  Ｔｗｅｅｎ−２０へ希釈することによって、０．０６％試料プレートを作製した。希釈操作は、Ｂｅｃｋｍａｎ  Ｂｉｏｍｅｋ  ＦｘＰで行った。それぞれの移動後には、上下にピペット操作することによって、溶液を混合した。次いで、５５μＬの試料を５５μＬの適正な２ｘアプタマーミックスへ加えることによって、３つの試料希釈プレートをそのそれぞれのアプタマー溶液へ移した。この試料とアプタマー溶液を、上下にピペット操作することによって、ロボット上で混合した。
【０３４１】
３．試料平衡結合
[00363]  試料／アプタマープレートをホイル密封して、３７℃のインキュベーターへ３．５時間入れた後で、Ｃａｔｃｈ１工程へ進めた。
【０３４２】
４．Ｃａｔｃｈ２ビーズプレートの調製
[00364]  ＭｙＯｎｅ（Invitrogen 社、カリフォルニア州カールスバッド）ストレプタビジンＣ１ビーズの１１ｍＬアリコートを等量の２０ｍＭ  ＮａＯＨで２回洗浄し（各洗浄につき５分のインキュベーション）、等量の１ｘＳＢ１７，０．０５％  Ｔｗｅｅｎ−２０で３回洗浄して、１１ｍＬの１ｘＳＢ１７，０．０５％  Ｔｗｅｅｎ−２０に再懸濁させた。１２スパンマルチチャンネルピペッターを使用して、この溶液の５０μＬを９６ウェルＨｙｂａｉｄプレートの各ウェルへマニュアルでピペット注入した。次いで、このプレートをホイルで覆って、アッセイでの使用のために４℃で保存した。
【０３４３】
５．Ｃａｔｃｈ１ビーズプレートの調製
[00365]  ３つの０．４５μｍミリポア（Millipore）ＨＶプレート（Durapore 膜、カタログ番号：ＭＡＨＶＮ４５５０）を１００μＬの１ｘＳＢ１７，０．０５％  Ｔｗｅｅｎ−２０と少なくとも１０分間平衡化した。次いで、この平衡緩衝液をプレートに通して濾過して、１３３．３μＬの７．５％ストレプタビジン−アガロースビーズスラリー（１ｘＳＢ１７，０．０５％  Ｔｗｅｅｎ−２０中）を各ウェルへ加えた。このストレプタビジン−アガロースビーズを懸濁状態に保つために、それらをフィルタープレートへ移す間、ビーズ溶液は、２００μＬの１２チャンネルピペッターで１５回、マニュアルで混合した。このビーズを３つのフィルタープレート全体に分配した後で、真空をかけて、ビーズ上清を除去した。最後に、ビーズをフィルタープレートにおいて２００μＬの１ｘＳＢ１７，０．０５％  Ｔｗｅｅｎ−２０で洗浄してから、２００μＬの１ｘＳＢ１７，０．０５％  Ｔｗｅｅｎ−２０に再懸濁させた。フィルタープレートの底を拭って、プレートをアッセイでの使用のために保存した。
【０３４４】
６．Ｃｙｔｏｍａｔへの装填
[00366]  すべてのチップ、プレート、槽中のすべての試薬（プレートへの添加の直前に用時調製するＮＨＳ−ビオチン試薬以外）、３つの調製済みＣａｔｃｈ１フィルタープレート、及び１つの調製済みＭｙＯｎｅプレートをＣｙｔｏｍａｔに装填した。
【０３４５】
７．Ｃａｔｃｈ１
[00367]  ３．５時間の平衡時間の後で、インキュベーターより試料／アプタマープレートを取り出し、約１分間遠心分離させ、ホイルを外して、Ｂｅｃｋｍａｎ  Ｂｉｏｍｅｋ  ＦｘＰのデッキ上に置いた。Ｂｅｃｋｍａｎ  Ｂｉｏｍｅｋ  ＦｘＰプログラムを開始した。Ｃａｔｃｈ１でのすべての後続工程は、他に注記しなければ、Ｂｅｃｋｍａｎ  Ｂｉｏｍｅｋ  ＦｘＰロボットによって実施した。このプログラム内で、Ｃａｔｃｈ１フィルタープレートへ真空をかけて、ビーズ上清を除去した。１０％、１％、及び０．０３％の平衡結合反応液のそれぞれの１００マイクロリットルをそのそれぞれのＣａｔｃｈ１濾過プレートへ加えて、デッキ上（on-deck）オービタルシェーカーを８００ｒｐｍで１０分間使用して、各プレートを混合した。
【０３４６】
[00368]  真空濾過により非結合溶液を除去した。この溶液を分注して、すぐに真空を引いてこの溶液をプレートに通して濾過することによって、Ｃａｔｃｈ１ビーズを１ｘＳＢ１７，０．０５％  Ｔｗｅｅｎ−２０中１００μＭビオチンの１９０μＬに続いて、１ｘＳＢ１７，０．０５％  Ｔｗｅｅｎ−２０の１９０μＬで洗浄した。
【０３４７】
[00369]  次に、Ｃａｔｃｈ１プレートへ１９０μＬの１ｘＳＢ１７，０．０５％  Ｔｗｅｅｎ−２０を加えた。デッキ上ブロットステーションを使用してプレートを拭って液滴を除去してから、オービタルシェーカーを用いて、２５℃、８００ｒｐｍで１０分間インキュベートした。
【０３４８】
[00370]  ロボットにより、真空濾過によりこの洗浄液を除去して、デッキ上ブロットステーションを使用して、フィルタープレートの底を拭って液滴を除去した。
８．タグ付け
[00371]  ＮＨＳ−ＰＥＯ４−ビオチンアリコートを３７℃で６分間融かしてから、タグ付け緩衝液（ＳＢ１７，ｐＨ＝７．２５で０．０５％  Ｔｗｅｅｎ−２０）で１００倍希釈した。ＮＨＳ−ＰＥＯ４−ビオチン試薬を無水ＤＭＳＯに１００ｍＭ濃度で溶かして、−２０℃で凍結保存しておいた。ロボット起動時にすぐ、この希釈したＮＨＳ−ＰＥＯ４−ビオチン試薬をデッキ槽へマニュアルで加えて、ロボットプログラムをマニュアルで再始動させて、１００μＬのＮＨＳ−ＰＥＯ４−ビオチンをそれぞれのＣａｔｃｈ１フィルタープレートの各ウェルへ分注した。この溶液を、オービタルシェーカー上で、８００ｒｐｍで５分間振り混ぜて、そのままＣａｔｃｈ１ビーズとともにインキュベートした。
【０３４９】
９．動的チャレンジと光切断
[00372]  ＮＨＳタグをまだ含有する間に１ｘＳＢ１７，０．０５％  Ｔｗｅｅｎ−２０中２０ｍＭグリシンの１５０μＬをＣａｔｃｈ１プレートへ添加することによって、タグ付け反応を止めた。次いで、プレートをオービタルシェーカー上にて８００ｒｐｍで１分間インキュベートした。ＮＨＳ−タグ／グリシン溶液を真空濾過により除去した。次に、１９０μＬの２０ｍＭグリシン（１ｘＳＢ１７，０．０５％  Ｔｗｅｅｎ−２０）を各プレートへ加えて、オービタルシェーカー上にて８００ｒｐｍで１分間インキュベートした後で、真空濾過により除去した。
【０３５０】
[00373]  各プレートへ１９０μＬの１ｘＳＢ１７，０．０５％  Ｔｗｅｅｎ−２０ｗを加えて、真空濾過によって除去した。
[00374]  引き続き、１９０μＬの１ｘＳＢ１７，０．０５％  Ｔｗｅｅｎ−２０を加え、そのプレートをオービタルシェーカー上に８００ｒｐｍで１分間置いて、真空濾過を続けることによって、Ｃａｔｃｈ１プレートのウェルを３回洗浄した。最後の洗浄の後で、プレートを１ｍＬのディープウェルプレートのトップに置いて、デッキより外した。このＣａｔｃｈ１プレートを１０００ｒｐｍｆで１分間遠心分離させて、溶出前のアガロースビーズより可能な限り多くの余剰量を除去した。
【０３５１】
[00375]  プレートをＢｅｃｋｍａｎ  Ｂｉｏｍｅｋ  ＦｘＰ上へ戻して、１ｘＳＢ１７，０．０５％  Ｔｗｅｅｎ−２０中１０ｍＭ  ＤｘＳＯ４の８５μＬをこのフィルタープレートの各ウェルへ加えた。
【０３５２】
[00376]  フィルタープレートをデッキより取り出し、ＢｌａｃｋＲａｙ（Ted Pella 社、カリフォルニア州レディング）光源下にＶａｒｉｏｍａｇ  Ｔｈｅｒｍｏｓｈａｋｅｒ（Thermo Fisher Scientific 社、マサチューセッツ州ウォルサム）上へ置いて、８００ｒｐｍで振り混ぜながら、１０分間照射した。
【０３５３】
[00377]  初めに１０％  Ｃａｔｃｈ１フィルタープレートを１ｍＬディープウェルプレートのトップに置いて、１０００ｒｐｍで１分間遠心分離させることによって、この光切断した溶液をそれぞれのＣａｔｃｈ１プレートから共通ディープウェルプレートへ連続的に溶出させた。次いで、１％及び０．０３％のＣａｔｃｈ１プレートを同じディープウェルプレート中へ連続的に遠心分離させた。
【０３５４】
１０．Ｃａｔｃｈ２ビーズ捕捉
[00378]  Ｃａｔｃｈ１の合わせた溶出物を含有する１ｍＬディープウェルブロックをＣａｔｃｈ２用のＢｅｃｋｍａｎ  Ｂｉｏｍｅｋ  ＦｘＰのデッキの上に置いた。
【０３５５】
[00379]  ロボットにより、光切断溶出物のすべてを１ｍＬディープウェルプレートより、先に調製したＣａｔｃｈ２  ＭｙＯｎｅ磁気ビーズを含有するＨｙｂａｉｄプレート上へ移した（磁気分離によるＭｙＯｎｅ緩衝液の除去後）。
【０３５６】
[00380]  この溶液を、Ｖａｒｉｏｍａｇ  Ｔｈｅｒｍｏｓｈａｋｅｒ（Thermo Fisher Scientific 社、マサチューセッツ州ウォルサム）上にて、１３５０ｒｐｍで振り混ぜながら、２５℃で５分間インキュベートした。
【０３５７】
[00381]  ロボットにより、先のプレートをデッキ上磁気分離ステーションへ移した。このプレートを磁石上で９０秒間インキュベートした後で、上清を取り出して捨てた。
１１．３７℃  ３０％グリセロール洗浄
[00382]  Ｃａｔｃｈ２プレートをデッキ上サーマルシェーカーへ動かして、７５μＬの１ｘＳＢ１７，０．０５％  Ｔｗｅｅｎ−２０を各ウェルへ移した。このプレートを１３５０ｒｐｍ及び３７℃で１分間混合して、ビーズを再懸濁させて温めた。Ｃａｔｃｈ２プレートの各ウェルへ７５μＬの６０％グリセロールを３７℃で移して、プレートを１３５０ｒｐｍ及び３７℃でもう１分間混合し続けた。ロボットによりこのプレートを３７℃の磁気分離器へ移して、ここでそれを磁石上で２分間インキュベートしてから、ロボットにより上清を取り出して捨てた。上記の洗浄をさらに２回繰り返した。
【０３５８】
[00383]  第三の３０％グリセロール洗浄液のＣａｔｃｈ２ビーズからの除去の後で、１５０μＬの１ｘＳＢ１７，０．０５％  Ｔｗｅｅｎ−２０を各ウェルへ加えて、１３５０ｒｐｍで振り混ぜながら３７℃で１分間インキュベートした後で、３７℃の磁石上での磁気分離によって除去した。
【０３５９】
[00384]  磁気分離に先立って、Ｃａｔｃｈ２ビーズを、１５０μＬの１ｘＳＢ１９，０．０５％  Ｔｗｅｅｎ−２０を使用して、１３５０ｒｐｍで振り混ぜながらの１分間のインキュベーションで最終洗浄した。
【０３６０】
１２．Ｃａｔｃｈ２ビーズの溶出及び中和
[00385]  １Ｍ  ＮａＣｌ，０．０５％  Ｔｗｅｅｎ−２０を含む１０５μＬの１００ｍＭ  ＣＡＰＳＯを各ウェルへ加えることによって、Ｃａｔｃｈ２ビーズよりアプタマーを溶出させた。ビーズをこの溶液とともに１３００ｒｐｍで振り混ぜながら５分間インキュベートした。
【０３６１】
[00386]  次いで、Ｃａｔｃｈ２プレートを磁気分離器上に９０秒間置いた後で、溶出液の９０μＬを、１０μＬの５００ｍＭ  ＨＣｌ，５００ｍＭ  ＨＥＰＥＳ，０．０５％  Ｔｗｅｅｎ−２０を各ウェルに含有する新しい９６ウェルプレートへ移した。移した後で、この溶液の９０μＬをロボットにより、上下に５回ピペット操作することによって混合した。
【０３６２】
１３．ハイブリダイゼーション
[00387]  Ｂｅｃｋｍａｎ  Ｂｉｏｍｅｋ  ＦｘＰにより、中和したＣａｔｃｈ２溶出液の２０μＬを新鮮なＨｙｂａｉｄプレートへ移して、１０倍スパイクのハイブリダイゼーション対照を含有する１０ｘＡｇｉｌｅｎｔブロックの５μＬを各ウェルへ加えた。次に、２５μＬの２ｘＡｇｉｌｅｎｔハイブリダイゼーション緩衝液を、中和した試料とブロッキング緩衝液を含有するプレートの各ウェルへマニュアルでピペット注入して、この溶液の２５μＬを、広汎な泡形成を避けるためにゆっくり上下に１５回ピペット操作することによって混合した。このプレートを１０００ｒｐｍで１分間スピンした。
【０３６３】
[00388]  Ａｇｉｌｅｎｔハイブリダイゼーションチャンバ中へガスケットスライドを入れて、ハイブリダイゼーション及びブロッキング溶液を含有する試料のそれぞれの４０μＬをマニュアルで各ガスケットへピペット注入した。８チャンネル可変スパニングピペッターを、泡形成を最小化するように企図されたやり方で使用した。次いで、カスタムＡｇｉｌｅｎｔマイクロアレイスライド（Agilent  Technologies 社、カリフォルニア州サンタクララ）を、その番号バーコード（Number Barcode）を上に向けた状態で、ガスケットスライド上へゆっくり下ろした（詳しい記載については Agilent のマニュアルを参照のこと）。
【０３６４】
[00389]  ハイブリダイゼーションチャンバのトップをスライド／バッキングのサンドイッチ上へ置いて、締め付けブラケットをアセンブリー全体に滑らせた。上記のアセンブリーは、ネジを確実に回すことによってしっかり締め付けた。
【０３６５】
[00390]  それぞれのスライド／バッキングスライドサンドイッチを目視で視察して、溶液の泡が試料内部で自由に動くことが可能であることを確かめた。この泡が自由に動かなければ、ハイブリダイゼーションチャンバのアセンブリーを穏やかに叩いて、ガスケット近くに留まった泡を解放した。
【０３６６】
[00391]  組み立てたハイブリダイゼーションチャンバを、Ａｇｉｌｅｎｔハイブリダイゼーションオーブンにおいて、２０ｒｐｍで回転させながら、６０℃で１９時間インキュベートした。
【０３６７】
１４．ハイブリダイゼーション後の洗浄
[00392]  ほぼ４００ｍＬのＡｇｉｌｅｎｔ洗浄緩衝液１を２つの別々のガラス染色皿のそれぞれへ入れた。この染色皿の１つを磁気撹拌プレートの上に置いて、スライドラックと撹拌子をこの緩衝液中へ入れた。
【０３６８】
[00393]  空のガラス染色皿の中へ撹拌子を入れることによって、Ａｇｉｌｅｎｔ洗浄液２用の染色皿を調製した。
[00394]  第四のガラス染色皿を最後のアセトニトリル洗浄のために取っておいた。
【０３６９】
[00395]  ６つのハイブリダイゼーションチャンバのそれぞれを解体した。スライド／バッキングサンドイッチを１つずつそのハイブリダイゼーションチャンバより取り出して、洗浄液１を含有する染色皿の中へ浸した。このマイクロアレイスライドをまだ浸している間に、１対のピンセットを使用して、スライド／バッキングサンドイッチをこじ開けた。このスライドを、磁気撹拌プレート上の洗浄液１染色皿のスライドラックの中へ速やかに移した。
【０３７０】
[00396]  スライドラックを穏やかに５回上げ下げした。磁気撹拌子を低い設定で始動させて、スライドを５分間インキュベートした。
[00397]  洗浄１がまだ１分残っているときに、インキュベーターにおいて３７℃まで予め温めた洗浄緩衝液２を第二の調製済み染色皿へ加えた。スライドラックを洗浄緩衝液２へ速やかに移して、染色皿のトップでそれを削り取ることによって、ラックの底にある過剰な緩衝液を除去した。スライドラックを穏やかに５回上げ下げした。磁気撹拌子を低い設定で始動させて、スライドを５分間インキュベートした。
【０３７１】
[00398]  スライドラックを洗浄液２よりゆっくり引き出して、ほぼ１５秒かけて、このスライドを溶液より取り出した。
[00399]  洗浄２が１分残っているときに、第四の染色皿へアセトニトリル（ＣＡＮ）を加えた。スライドラックをアセトニトリル染色皿へ移した。スライドラックを穏やかに５回上げ下げした。磁気撹拌子を低い設定で始動させて、スライドを５分間インキュベートした。
【０３７２】
[00400]  スライドラックをＡＣＮ染色皿よりゆっくり引き出して、吸収タオル上に置いた。スライドの下端を速やかに乾燥させて、このスライドを清浄なスライドボックス中へ入れた。
【０３７３】
１５．マイクロアレイ造影法
[00401]  製造業者の説明書に従って、先のマイクロアレイスライドをＡｇｉｌｅｎｔスキャナースライドホルダーの中へ入れて、Ａｇｉｌｅｎｔマイクロアレイスキャナーの中へロードした。
【０３７４】
[00402]  このスライドをＣｙ３チャンネルにおいて、１００％  ＰＭＴ設定と０．０５で可能になるＸＲＤオプションで、５μｍの解像で造影した。得られたタグイメージファイル形式（ｔｉｆｆ）の画像を、Ａｇｉｌｅｎｔ特徴抽出ソフトウェア（バージョン１０．５）を使用して処理した。
【０３７５】
実施例２．バイオマーカー同定
[00403]  潜在的な肺癌バイオマーカーの同定は、疑わしい結節のＣＴスキャンからの診断、無症状喫煙者について肺癌をスクリーニングすること、及び肺癌のある個体を診断することという、３つの異なる診断応用について実施した。上記３つの応用に協力する４つの異なる施設より血清試料を採取して、それには、４８のＮＳＣＬＣ症例、重度喫煙者と良性結節の患者からなる２１８の高リスク対照が含まれる。実施例１に記載のような多重化アプタマーアフィニティーアッセイを使用して、上記２６４の試料のそれぞれで８２０種の分析物についてのＲＦＵ値を測定して報告した。次いで、それぞれの分析物に対してＫＳ検定を適用した。２つの試料セットからの数値の間のＫＳ距離（コルモゴロフ−スミルノフ統計）は、１つのセット（セットＡ）由来の数値の経験分布が他のセット（セットＢ）由来の数値の分布より異なる程度のノンパラメトリック測定値である。閾値Ｔのどの数値についても、セットＡ由来の数値のある比率はＴより小さくて、セットＢ由来の数値のある比率はＴより小さい。ＫＳ距離は、Ｔのある選択値についての２つのセット由来の数値の比率の間の最大の（符号無しの）差を測定する。
【０３７６】
[00404]  バイオマーカーのセットを使用して、試料を対照群又は疾患群のいずれかへ帰属させる分類器を組み立てることができる。実際、上記のバイオマーカーのセットより多くのそのような分類器を作成して、どのバイオマーカーでも良好なスコア化分類器として使用される頻度を決定した。上位のスコア化分類器の間で最も頻繁に生じるバイオマーカーは、診断検査法を創出するのに最も有用であった。本実施例では、分類空間を探索するのにベイズ分類器を使用したが、この目的には、多くの他の教師付き学習技術を利用してよい。個々の分類器のスコア化適合性は、疾病罹患率を０．５と仮定して、分類器のベイズ表面での受信者動作特性曲線下面積（ＲＯＣのＡＵＣ）を使用して測定した。このスコア化計量は、０〜１へ変動して、１は過誤のない分類器である。バイオマーカー集団の測定値よりよりベイズ分類器を構築することの詳細を実施例３に記載する。
【０３７７】
実施例３．肺癌の単純ベイズ分類
[00405]  ＮＳＣＬＣと高リスク対照群を区別するのに有用として同定したバイオマーカーのリストより、５個のバイオマーカーのパネルを選択して、単純ベイズ分類器を構築した。表１４を参照のこと。クラス依存性の確率密度関数（ｐｄｆ）：ｐ（ｘｉ｜ｃ）及びｐ（ｘｉ｜ｄ）［ここでｘｉは、バイオマーカー（ｉ）の測定ＲＦＵ値の対数であって、ｃとｄは、対照集団と疾患集団を意味する］は、平均μと分散σ２によって特徴付けられる正規分布関数としてモデル化した。５個のバイオマーカーのｐｄｆのパラメータを表１５に収載して、正規ｐｄｆへのモデル適合に沿った生データの例を図５に表示する。基本仮説は、図５によって裏付けられるように、このデータときわめてよく適合しているように見える。
【０３７８】
[00406]  このようなモデルの単純ベイズ分類を、検定に適正な以下の式：
【０３７９】
【化８−１】
0005905003.tif 000013
【０３８０】
［ここでＰ（ｄ）は、集団における疾病の罹患率である］によって示して、ここではｎ＝５である。総和中の項のそれぞれは、個別マーカーの対数尤度比であり、「注目の疾患（即ち、この場合はＮＳＣＬＣ）がないこと」対「その疾患を有すること」の試料
【０３８１】
【化８−２】
0005905003.tif 000014
【０３８２】
の対数尤度比の合計は、単に、上記各項の和＋その疾病の罹患率の説明となる項である。簡単にするために、Ｐ（ｄ）＝０．５と仮定すると、
【０３８３】
【化９】
0005905003.tif 000015
【０３８４】
となる。
[00407]  未知試料の対数（ＲＦＵ）測定値が１０個のバイオマーカーのそれぞれで与えられる場合。「対照」対「疾患」群の対数尤度比を含んでなる個々の構成要素を作表して、表１５のパラメータとｘの値より計算することができる。個々の対数尤度比の合計は３．４７である、又は「疾患がないこと」対「その疾患を有すること」の尤度は、３２：１（ここで尤度＝ｅ３．４７＝３２）である。全５個のバイオマーカーは、いずれも一貫して対照群に有利である。尤度を一緒に掛けると、上記に示したのと同じ結果が得られる、即ち未知試料に疾患がない尤度は３２：１である。事実、この試料は、訓練セットの対照集団に由来した。本実施例は、表１５中のバイオマーカーを使用する血清試料の分類を実証するが、表２１からのどのバイオマーカーのセットを用いて、どの組織タイプでも同じアプローチを使用することができる。
【０３８５】
実施例４．分類器用バイオマーカーパネルを選択するための貪欲アルゴリズム
パート１
[00408]  本実施例は、本明細書に記載の方法のいずれにおいても分類器として使用し得るパネルを形成するための表２１からのバイオマーカーの選択について記載する。ＭＭＰ−１２と表２１中のバイオマーカーのサブセットを含有するバイオマーカーのパネルを選択して、良好な性能のある分類器を構築した。また、この方法を使用して、実施例２のバイオマーカーとしてどの潜在的なマーカーを含めるかを決定した。
【０３８６】
[00409]  ここで使用する分類器性能の評価尺度は、ＲＯＣ曲線下面積（ＡＵＣ）であるので、０．５の性能は、ランダム（コイントス）分類器のベースライン期待値であり、ランダムより悪い分類器は、０．０と０．５の間のスコアを得て、ランダムより良好な性能がある分類器は、０．５と１．０の間のスコアを得るだろう。過誤のない完璧な分類器ならば、１．０の感度、１．０の特異度、及び１．０のＡＵＣを有するはずである。実施例４に記載の方法は、Ｆ値、感度と特異度の和、又は感度と特異度の積といった、他の一般的な性能評価尺度へ適用することができる。具体的には、感度を犠牲にしてより高い特異度で機能する分類器を選択するように、又は特異度を犠牲にしてより高い感度で機能する分類器を選択するように、感度と特異度を異なる重みで処理することが望まれるかもしれない。本明細書に記載の方法は、「性能」の評価尺度にのみ関連するので、単一の性能評価尺度をもたらすどの重み付けスキームも使用することができる。異なる適用は、真陽性及び真陰性の所見についての異なる利益と、また偽陽性所見と偽陰性所見に関連した異なるコストを有する。例えば、無症状喫煙者のスクリーニングとＣＴで見出される良性結節の鑑別診断は、一般的には、特異度と感度の間で同じ最適のトレードオフを有さない。この２つの検査の異なる要求は、一般に、性能の評価尺度に反映される、陽性及び陰性の誤分類に対して異なる重み付けを設定することを必要とする。一般に、性能の評価尺度を変えると、所与のデータのセットについて、表２１より選択されるマーカーの正確なサブセットを変えるものである。
【０３８７】
[00410]  実施例３に記載される、肺癌試料の対照試料からの区別に対するベイズアプローチでは、疾患及び良性の訓練試料におけるバイオマーカーの分布によって分類器を完全にパラメータ化して、バイオマーカーのリストを表２１より選択した。即ち、包含用に選択したマーカーのサブセットより、訓練データのセットを与えて、１対１のやり方で分類器を決定した。
【０３８８】
[00411]  ここで利用する貪欲法を使用して、表２１由来のマーカーの最適サブセットを検索した。少数のマーカー又は比較的少数のマーカーがある分類器では、すべての可能なマーカーのサブセットを数え上げて、その特別なマーカーのセットで構築した分類器の性能に関して評価した（実施例４、パート２を参照のこと）。（このアプローチは、統計学の技術分野において「最適サブセット選択法」としてよく知られている；例えば、「統計学習の基本：データマイニング、推論、及び予測（The Elements of Statistical Learning - Data Mining, Inference, and Prediction）」T. Hastie, et al.（監修）Springer Science+Business Media, LLC, 第2版（2009）を参照のこと）。しかしながら、本明細書に記載の分類器では、多重マーカーの組合せの数がきわめて大きくなり得て、例えば、８６個のマーカーのリスト（表２１）より５個のマーカーのあらゆる可能な組合せ（即ち、３４，８２６，３０２通りの組合せ）を評価することは、実行可能でなかった。マーカーのあらゆるサブセット全体を検索することの実行不能性のために、単一の最適サブセットを見出し得ないとしても、このアプローチを使用することによって、多くの優秀なサブセットを見出して、そして多くの場合、これらサブセットのいずれも、最適なサブセットの代表であり得る。
【０３８９】
[00412]  あらゆる可能なマーカーのセットを評価する代わりに、「貪欲な」前方段階的アプローチに従うことができる（例えば、Dabney AR, Storey JD (2007)「ゲノムデータからの、最適性に導かれる最近隣重心分類法（Optimality Driven Nearest Centroid Classification from Genomic data）」PloS ONE 2(10): e1002. doi: 10.1371/journal.pone.0001002 を参照のこと）。この方法を使用して、（個別マーカーのＫＳ距離に基づく）最良の単一マーカーで分類器を開始して、その時点では分類器のマーカーのセットのメンバーではない、マーカーリストの各メンバーを順に試みることによって、各工程で成長させる。既存の分類器との組合せにおいて最良のスコアが得られる１つのマーカーを分類器へ加える。性能のさらなる改善が達成されなくなるまで、これを繰り返す。残念ながら、このアプローチでは、このプロセスを終える前に、個別マーカーのいくつかがすべて選択されるわけではない、貴重なマーカーの組合せを逃す場合がある。
【０３９０】
[00413]  本発明で使用した貪欲法は、検索を広げるために、各工程で単一の候補分類器（マーカーサブセット）だけを残すのではなく、候補分類器のリストを残した点で、先述の前方段階的アプローチの改善法（elaboration）であった。このリストは、（表中のあらゆるマーカーを独自に使用して）あらゆる単一マーカーサブセットを種とした。新たな分類器（マーカーサブセット）を現時点でリスト上にあるものより導いて、それらをリストへ加えることによって、工程においてリストを大きくした。現時点でリスト上にあるそれぞれのマーカーサブセットを、その分類器の一部ではまだなくて、サブセットへのその追加時に、既存のサブセットと決して重複しない、表１由来のあらゆるマーカー（これらを「許容マーカー」と呼ぶ）を加えることによって拡張した。あらゆる既存のマーカーサブセットを、リストからのあらゆる許容マーカーによって拡張した。明らかに、そのようなプロセスは、最終的にあらゆる可能なサブセットを産生して、そのリストは、スペースの不足を生じるはずである。故に、産生される分類器をすべて残したのは、そのリストがある所定のサイズ（しばしば、すべての３マーカーサブセットを保持するのに十分である）より小さい間だけである。リストが所定サイズの限界に達したならば、それは選ばれた物（elitist）となった、即ち、そのリストには、かなりのレベルの性能を示す分類器だけが残って、他のものはリストの端から落ちて、失われたわけである。このことは、リストを分類器性能の順に層別化することによって達成された。つまり、リスト上の現時点で最低の分類器と少なくとも同等である新たな分類器を挿入して、その時点で底にある成績不良者（underachiever）の放校を強いたのである。１つのさらなる実行の詳細は、リストをそれぞれの産生工程で完全に置き換えたことである。故に、リスト上のあらゆる分類器は同数のマーカーを有して、各工程で、分類器ごとのマーカーの数を１つだけ増やした。
【０３９１】
[00414]  この方法は、異なるマーカーの組合せを使用して候補分類器のリストを産生したので、この分類器を組み合わせれば、最良の単一分類器によっても、あるいは最良分類器の少数派によっても犯される可能性がある過誤を回避することができるのではないかと問われるかもしれない。このような「アンサンブル」及び「専門委員会」法は、統計学や機械学習の技術分野でよく知られていて、例えば、「平均化（Averaging）」、「投票（Voting）」、「スタッキング（Stacking）」、「バッギング（Bagging）」及び「ブースティング（Boosting）」が含まれる（例えば、「統計学習の基本：データマイニング、推論、及び予測（The Elements of Statistical Learning - Data Mining, Inference, and Prediction）」T. Hastie, et al.（監修）Springer Science+Business Media, LLC, 第2版（2009）を参照のこと）。これらの単純分類器の組合せは、いくつかの異なる分類器を含めることによって、どの特別なマーカーのセットにもあるノイズによる分類時の変動を抑えるための方法と、それ故に、分類器の間で効果的に平均化された、バイオマーカーの表からのマーカーのより大きなセットからの情報を提供する。このアプローチの有用性の１例は、単一マーカー中の異常値が単一試料の分類に悪影響を及ぼすことを防ぐことができることである。より多くのシグナル数を測定することの必要性は、慣用の「１時点で１つのマーカー」抗体アッセイにおいては実行不能であろうが、完全多重化アプタマーアッセイでは、否定的なものではない。このような技術は、より広汎なバイオマーカーの表より利益を得て、疾患プロセスに関する多数の情報源を使用して、より確実な分類を提供する。
【０３９２】
パート２
[00415]  表１で選択したバイオマーカーは、「非マーカー」（即ち、表１中の包含基準（実施例２に記載するような）に合致しないシグナルを有するタンパク質）で組み立てた分類器よりよく機能する分類器を生じた。
【０３９３】
[00416]  唯１個、２個、又は３個のマーカーを含有する分類器では、表１のバイオマーカーを使用して得られるすべての可能な分類器を列挙して、無作為に選択した非マーカーシグナルの同様の表より組み立てられる分類器と比較して、性能の分布を検証した。
【０３９４】
[00417]  図１７及び図１８では、感度と特異度の合計を性能の評価尺度として使用した。１．０の性能は、ランダム（コイントス）分類器のベースライン期待値である。分類器性能のヒストグラムを、４０個の非マーカーシグナルの「非マーカー」表より組み立てられる分類器の同様の網羅的列挙からの性能のヒストグラムと比較した。この４０のシグナルは、対照集団と疾患集団の間で差示的なシグナルを明示しない（ＫＳ距離＜１．４）４００のアプタマーより無作為に選択した。
【０３９５】
[00418]  図１７は、良性結節とＮＳＣＬＣの間で区別することができるバイオマーカーについて表１３のバイオマーカーパラメータより組み立てた、すべての可能な１、２、及び３個のマーカーの分類器の性能のヒストグラムを示して、これらの分類器を４０個の「非マーカー」アプタマーＲＦＵシグナルを使用して組み立てた、すべての可能な１、２、及び３個マーカー分類器と比較する。図１７Ａは、単一マーカー分類器の性能のヒストグラムを示し、図１７Ｂは、２マーカー分類器の性能のヒストグラムを示し、そして図１７Ｃは、３マーカー分類器の性能のヒストグラムを示す。
【０３９６】
[00419]  図１７において、実線は、表１３の良性結節及びＮＳＣＬＣのバイオマーカーデータを使用する、すべての１、２、及び３マーカー分類器の分類器性能のヒストグラムを表す。点線は、良性結節及びＮＳＣＬＣのデータを使用するが、ランダムな非マーカーシグナルのセットを使用する、すべての１、２、及び３−マーカー分類器の分類器性能のヒストグラムである。
【０３９７】
[00420]  図１８は、無症状喫煙者とＮＳＣＬＣの間で区別することができるバイオマーカーについて表１２のバイオマーカーパラメータより組み立てた、すべての可能な１、２、及び３マーカー分類器の性能のヒストグラムを示して、これらを４０個の「非マーカー」アプタマーＲＦＵシグナルを使用して組み立てた、すべての可能な１、２、及び３マーカー分類器と比較する。図１８Ａは、単一マーカー分類器の性能のヒストグラムを示し、図１８Ｂは、２マーカー分類器の性能のヒストグラムを示し、そして図１８Ｃは、３マーカー分類器の性能のヒストグラムを示す。
【０３９８】
[00421]  図１８において、実線は、表１２の無症状喫煙者及びＮＳＣＬＣのバイオマーカーパラメータを使用する、すべての１、２、及び３マーカー分類器の分類器性能のヒストグラムを表す。点線は、無症状喫煙者及びＮＳＣＬＣのデータを使用するが、ランダムな非マーカーシグナルのセットを使用する、すべての１、２、及び３マーカー分類器の分類器性能のヒストグラムである。
【０３９９】
[00422]  表１に収載したマーカーより組み立てた分類器は、すべての１マーカー、２マーカー、及び３マーカー比較について、「非マーカー」からのシグナルで組み立てた分類器より十分に分離された、明瞭なヒストグラムを形成する。表１中のバイオマーカーより組み立てた分類器の性能及びＡＵＣスコアはまた、マーカーの個数とともに、非マーカーより組み立てた分類器より速やかに増加して、分類器あたりのマーカーの個数が増加するにつれて、マーカー分類器と非マーカー分類器の間の隔たり（separation）は増加する。表３８及び３９に収載したバイオマーカーを使用して組み立てたすべての分類器は、「非マーカー」を使用して組み立てた分類器より顕著によく機能する。
【０４００】
パート３
[00423]  上記の分類器の良好な性能をマーカーのコアサブセットで説明できるのかどうかを検定するために、このマーカーの半分を表３８及び３９のバイオマーカーのリストより無作為に落とした。感度＋特異度によって測定される、良性結節を悪性結節より区別するための分類器の性能は、わずかに０．０７低下して（１．７４から１．６７へ）、癌を有する喫煙者を有さない喫煙者から区別する分類器の性能も、わずかに０．０６低下した（１．７６から１．７０へ）。このバイオマーカー表のサブセットの性能特性から示唆されることは、収載したバイオマーカーの複合サブセットが診断検査法を組み立てるのに有効であって、分類器の性能を支配する、マーカーの特別なコアサブセットはないということである。
【０４０１】
[00424]  上記の結果に照らして、表１２及び１３より最良のマーカーを除外した分類器について検定した。図１９は、表１２及び１３のバイオマーカーの完全リストで組み立てた分類器の性能を、表３８及び３９より最上位のマーカーを排除したバイオマーカーのセットで組み立てた分類器の性能と比較する。
【０４０２】
[00425]  図１９は、最良のマーカーなしで構築した分類器が十分に機能することを実証して、この分類器の性能があるマーカーの小さなコア群によらないこと、そして疾患に関連した根源的なプロセスにおける変化が多くのタンパク質の活性に反映されることを示唆する。表１のバイオマーカーの多くのサブセットは、表１由来の４０個のマーカーの上位１５個を除いた後でも、最適に近いほどに機能した。
【０４０３】
[00426]  図１９Ａは、２〜１０個のマーカーで組み立てた、良性結節をＮＳＣＬＣより区別するための分類器に対する効果を示す。表１３からの１５個の最上位マーカー（ＫＳ距離によって順位付ける）を落とした後でも、「良性結節」対「ＮＳＣＬＣ」の性能は、表より選択されるマーカーの個数に伴って増加して、１．６５（感度＋特異度）以上に達した。
【０４０４】
[00427]  図１９Ｂは、２〜１０個のマーカーで組み立てた、無症状喫煙者をＮＳＣＬＣより区別するための分類器に対する効果を示す。表１２からの１５個の最上位マーカー（ＫＳ距離によって順位付ける）を落とした後でも、「無症状喫煙者」対「ＮＳＣＬＣ」の性能は、表より選択されるマーカーの個数に伴って増加して、１．７（感度＋特異度）以上に達して、表１２中のバイオマーカーの完全リストより選択した最良の分類器の性能の近くまで接近した。
【０４０５】
[00428]  最後に、図２０は、実施例３に従って表１２及び１３のパラメータのリストより構築した典型的な分類器のＲＯＣ性能について示す。図２０Ａは、実施例３にあるマーカーの独立性を前提とすることからのモデル性能を示して、図２０Ｂは、表１２及び１３のパラメータを産生するのに使用したアッセイデータセットを使用する、実際のＲＯＣ曲線を示す。所与数の選択マーカーの性能が定性的に一致していること、そしてマーカーの個数が増加するにつれて定量的な一致が崩れたことを見ることができる。（このことは、疾患プロセスに関してある特別なバイオマーカーによって付与される情報は、表１２及び１３に提供される他のバイオマーカーによって付与される情報と重複するという考えと矛盾しない）。このように、図２０は、表１２及び１３が、実施例３に記載の方法との組合せにおいて、ＮＳＣＬＣの良性結節からの区別と、ＮＳＣＬＣを有する無症状喫煙者の、ＮＳＣＬＣを有さないものからの区別に有用な非常に多くの分類器の構築及び評価を可能にすることを示している。
【０４０６】
実施例５．プルダウンアッセイにおけるアプタマー特異性の実証
[00429]  マルチプレックスアッセイでの最終の読出しは、本アッセイでの連続捕捉工程の後で回収されるアプタマーの量に基づく。マルチプレックスアッセイは、アッセイの最後に回収されるアプタマーの量が元の複雑な混合物（例、血漿）中のタンパク質の量に比例するという前提に基づく。このシグナルが、本当に、血漿中で非特異的に結合したタンパク質に由来するのではなくて、企図される分析物に由来することを実証するために、我々は、血漿中のゲルベースのプルダウンアッセイを開発した。このアッセイを使用して、所望のタンパク質がアプタマーとの平衡状態の後で実際に血漿より引き出せることを視覚的に実証して、その企図されるタンパク質標的へ結合したアプタマーがこのアッセイ中の動的チャレンジ工程を通して複合体として存続し得ることを実証することができる。本実施例に記載の実験において、このプルダウンアッセイの最後でのタンパク質の回収には、平衡状態後ほぼ２時間の間、そのタンパク質がアプタマーへ非共有的に結合したままであることが求められる。重要にも、本実施例において、我々はまた、非特異的に結合したタンパク質が上記の工程の間に解離して、最終シグナルへ有意には寄与しないことの裏付けを提供する。本実施例において記載されるプルダウン手法には、上記に記載のマルチプレックスアッセイの重要工程がすべて含まれることに留意されたい。
【０４０７】
血漿プルダウンアッセイ
[00430]  ５０μＬ  ＥＤＴＡ−血漿を、０．０５％  Ｔｗｅｅｎ−２０（ＳＢ１８Ｔ）及び２μＭ  Ｚ−Ｂｌｏｃｋを含むＳＢ１８において１００μＬへ希釈することによって血漿試料を調製した。この血漿溶液を、１５０μＬの最終容量において、３７℃で２時間、１０ピコモルのＰＢＤＣ−アプタマーと平衡化した。平衡状態の後で、Durapore フィルタープレートにおいて、室温で５分間振り混ぜながらインキュベートすることによって、複合体と非結合アプタマーを１３３μＬの７．５％ストレプタビジン−アガロースビーズスラリーで捕捉した。実施例１に記載のように、ビーズへ結合した試料を真空下にビオチンで、そして緩衝液で洗浄した。洗浄後、結合したタンパク質を、振り混ぜながら室温で５分間、ビオチン希釈液中の０．５ｍＭ  ＮＨＳ−Ｓ−Ｓ−ビオチン、０．２５ｍＭ  ＮＨＳ−Ａｌｅｘａ６４７で標識した。この染色工程は、ストレプタビジンビーズ上でタンパク質を捕捉するためのビオチニル化だけでなく、ゲル上での検出のための高感度染色を可能にする。実施例１に記載のように、試料をグリシンで、そして緩衝液で洗浄した。Ｂｌａｃｋ  Ｒａｙ光源を振り混ぜながら室温で１０分間使用する光切断によって、アプタマーをビーズより遊離させた。この時点で、室温で５分間振り混ぜることによって、ビオチニル化タンパク質を０．５ｍｇ  ＭｙＯｎｅストレプタビジンビーズ上で捕捉した。この工程により、アプタマーへ結合したタンパク質だけでなく、最初の平衡状態以後にアプタマーより解離した可能性があるタンパク質も捕捉される。実施例１に記載のようにビーズを洗浄した。ＳＢ１７Ｔ中５０ｍＭ  ＤＴＴとともに振り混ぜながら３７℃で２５分間インキュベートすることによって、ＭｙＯｎｅストレプタビジンビーズよりタンパク質を溶出させた。次いで、この溶出液を、そのアプタマーの３’一定領域へ相補的な配列でコートされたＭｙＯｎｅビーズへ移して、振り混ぜながら３７℃で２５分間インキュベートした。この工程により、残存するアプタマーのすべてが捕捉される。このビーズを１００μＬ  ＳＢ１７Ｔで１分間（２回）、そして１００μＬ  ＳＢ１９Ｔで１分間（１回）洗浄した。４５μＬの２０ｍＭ  ＮａＯＨとともに振り混ぜながら２分間インキュベートすることによって上記の最終ビーズからアプタマーを溶出させて、ハイブリダイズした鎖を壊した。この溶出液の４０μＬを、０．０５％  Ｔｗｅｅｎ−２０を含有する８０ｍＭ  ＨＣｌの１０μＬで中和した。第一のビーズセットからの溶出物（アプタマーへ結合したすべての血漿タンパク質を表す）の５％を表すアリコートと最終のビーズセットからの溶出物（我々の臨床アッセイの最後に結合したままであるすべての血漿タンパク質を表す）の２０％を表すアリコートを、還元及び変性の条件下にＮｕＰＡＧＥ  ４〜１２％  Ｂｉｓ−Ｔｒｉｓゲル（Invitrogen）上で泳動させた。Ａｌｐｈａ  Ｉｎｎｏｔｅｃｈ  ＦｌｕｏｒＣｈｅｍ  ＱスキャナーでＣｙ５チャンネルにおいてゲルを造影して、タンパク質を造影した。
【０４０８】
[00431]  アプタマー用のプルダウンゲルは、それぞれ、ＬＢＰ（血漿中約１ｘ１０−７Ｍ，ポリペプチド分子量：約６０ｋＤａ）、Ｃ９（血漿中約１ｘ１０−６Ｍ，ポリペプチド分子量：約６０ｋＤａ）、及びＩｇＭ（血漿中約９ｘ１０−６Ｍ，分子量：約７０ｋＤａ及び２３ｋＤａ）に対して選択した（図１６を参照のこと）。
【０４０９】
[00432]  それぞれのゲルで、レーン１は、ストレプタビジン−アガロースビーズからの溶出物であり、レーン２は、最終溶出物であり、レーン３は、分子量マーカーレーン（主要なバンドが上から下へ１１０、５０、３０、１５、及び３．５ｋＤａにある）である。これらのゲルより、最初の平衡状態では、血漿タンパク質の少量の非特異的な結合があるが、本アッセイの捕捉工程を実施した後では標的だけが残ることが明白である。その企図した分析物を捕捉するには、血漿を予め消費（depletion）及び分画化することなしに単一のアプタマー試薬で十分であることが明らかである。従って、上記工程の後で残存するアプタマーの量は、最初の試料中の分析物の量に比例している。
【０４１０】
実施例６．ＮＳＣＬＣの外科摘出物の分析
[00433]  組織由来の疾患関連バイオマーカーを同定する、本明細書に記載のプラットフォームベース技術の有用性を実証するために、８名のＮＳＣＬＣ患者より入手した、外科摘出由来の均質化した組織試料について分析した。ＮＳＣＬＣ患者はいずれも４７〜７５歳の範囲に及ぶ喫煙者であって、ＮＳＣＬＣ病期１Ａ〜３Ｂが含まれた（表１７）。外科的切除の後でその組織をＯＣＴ培地（１０．２４％ポリビニルアルコール、４．２６％ポリエチレングリコール、及び８５．５％非反応性成分）に入れてから５〜１０分以内に該組織を凍結させることによってすべての組織試料を入手した。これらの試料は、それぞれの摘出より３種の試料：腫瘍組織、隣接健常組織（腫瘍の１ｃｍ以内）、及び遠位の非関与肺組織を入手した。この試料を常に凍結させながら、５つの１０μｍ厚の切片を切り出し、その組織周囲の過剰なＯＣＴをトリミングして、凍結した１．５ｍＬミクロ遠心管の中へ入れた。２００μＬの均質化緩衝液（ＳＢ１８緩衝液＋ＰＩカクテル（マグネシウムを含まない、Pierce ＨＡＬＴプロテアーゼ阻害剤））の添加の後で、この試料を氷上のミクロ遠心管において回転ペストルで３０秒間ホモジェナイズすると、組織断片が見えなくなった。次いで、この試料を遠心分離機において２１，０００ｇで１０分間スピンさせて、０．２μｍのマルチウェルプレートフィルターに通して無菌のマルチウェルプレートの中へ濾過した。５μＬのアリコートをＢＣＡタンパク質アッセイ用に取って、試料の残りは９６ウェルプレートにおいて−７０℃で凍結保存して密封した。
【０４１１】
[00434]  試料の全タンパク質をＳＢ１７Ｔ緩衝液（０．０５％  Ｔｗｅｅｎ２０を含有するＳＢ１７緩衝液）中１６μｇ／ｍＬへ補正した。このやり方で調製した試料を、上記に注目したように、先に記載のように８００種を超えるタンパク質を測定するマルチプレックスアプタマーアッセイ（Ostroff et al., Nature Precedings, http://precedings.nature.com/documents/4537/version/1(2010)）で処理した。測定した分析物の中で、ほとんどは腫瘍、隣接組織、及び遠位組織の間で不変であった。しかしながら、隣接組織と遠位組織に比較して、腫瘍組織中で明らかに抑制されているタンパク質もあれば（図２４）、実質的に上昇しているタンパク質もあった（図２３）。
【０４１２】
[00435]  上述の態様及び実施例は、例としてのみ企図されている。どの特別な態様も、実施例も、そして特別な態様又は実施例の要素も、特許請求項のいずれもの決定的、必須的、又は本質的な要素又は特徴として解釈してはならない。さらに、本明細書に記載のどの要素も、「本質的」又は「決定的」と明確に記載されなければ、付帯の特許請求項の実施に必須ではない。開示の態様に対しては、付帯の特許請求項によって規定される、本出願の範囲より逸脱することなく、様々な改変、修飾、代替、及び他の変更を施すことができる。図面及び実施例が含まれる本明細書は、制限的なやり方ではなくて、例示的なやり方で考慮されるべきなので、そのようなすべての変更態様及び代替態様が本出願の範囲内に含まれると企図される。従って、本出願の範囲は、上記に示した実施例によってではなくて、付帯の特許請求項とその法的等価物によって決定されるべきである。例えば、方法又はプロセスの特許請求項のいずれでも引用される工程は、どの実行可能な順序で実行してもよく、態様、実施例、又は特許請求項のいずれでも提示される順序に限定されるものではない。さらに、上記の方法のいずれにおいても、表１８、表２０、又は表２１の１以上のバイオマーカーは、個別のバイオマーカーとして、又はあらゆるパネル由来のバイオマーカーとして具体的に排除することができる。
【０４１３】
【表１−１】
0005905003.tif 000016
【０４１４】
【表１−２】
0005905003.tif 000017
【０４１５】
【表１−３】
0005905003.tif 000018
【０４１６】
【表１−４】
0005905003.tif 000019
【０４１７】
【表１−５】
0005905003.tif 000020
【０４１８】
【表１−６】
0005905003.tif 000021
【０４１９】
【表１−７】
0005905003.tif 000022
【０４２０】
【表１−８】
0005905003.tif 000023
【０４２１】
【表１−９】
0005905003.tif 000024
【０４２２】
【表１−１０】
0005905003.tif 000025
【０４２３】
【表１−１１】
0005905003.tif 000026
【０４２４】
【表１−１２】
0005905003.tif 000027
【０４２５】
【表１−１３】
0005905003.tif 000028
【０４２６】
【表２】
0005905003.tif 000029
【０４２７】
【表３】
0005905003.tif 000030
【０４２８】
【表４】
0005905003.tif 000031
【０４２９】
【表５】
0005905003.tif 000032
【０４３０】
【表６】
0005905003.tif 000033
【０４３１】
【表７】
0005905003.tif 000034
【０４３２】
【表８】
0005905003.tif 000035
【０４３３】
【表９】
0005905003.tif 000036
【０４３４】
【表１０−１】
0005905003.tif 000037
【０４３５】
【表１０−２】
0005905003.tif 000038
【０４３６】
【表１０−３】
0005905003.tif 000039
【０４３７】
【表１１−１】
0005905003.tif 000040
【０４３８】
【表１１−２】
0005905003.tif 000041
【０４３９】
【表１１−３】
0005905003.tif 000042
【０４４０】
【表１２】
0005905003.tif 000043
【０４４１】
【表１３】
0005905003.tif 000044
【０４４２】
【表１４】
0005905003.tif 000045
【０４４３】
【表１５】
0005905003.tif 000046
【０４４４】
【表１６−１】
0005905003.tif 000047
【０４４５】
【表１６−２】
0005905003.tif 000048
【０４４６】
【表１６−３】
0005905003.tif 000049
【０４４７】
【表１７】
0005905003.tif 000050
【０４４８】
【表１８−１】
0005905003.tif 000051
【０４４９】
【表１８−２】
0005905003.tif 000052
【０４５０】
【表１８−３】
0005905003.tif 000053
【０４５１】
【表１８−４】
0005905003.tif 000054
【０４５２】
【表１９】
0005905003.tif 000055
【０４５３】
【表２０】
0005905003.tif 000056
【０４５４】
【表２１−１】
0005905003.tif 000057
【０４５５】
【表２１−２】
0005905003.tif 000058
【０４５６】
【表２２−１】
0005905003.tif 000059
【０４５７】
【表２２−２】
0005905003.tif 000060
【０４５８】
【表２３−１】
0005905003.tif 000061
【０４５９】
【表２３−２】
0005905003.tif 000062
【０４６０】
【表２４−１】
0005905003.tif 000063
【０４６１】
【表２４−２】
0005905003.tif 000064
【０４６２】
【表２５−１】
0005905003.tif 000065
【０４６３】
【表２５−２】
0005905003.tif 000066
【図２５Ａ】
0005905003.tif 000067
【図２５Ｂ】
0005905003.tif 000068
【図２５Ｃ】
0005905003.tif 000069
【図２５Ｄ】
0005905003.tif 000070
【図２５Ｅ】
0005905003.tif 000071
【図２７Ａ】
0005905003.tif 000072
【図２７Ｂ】
0005905003.tif 000073
【図２７Ｃ】
0005905003.tif 000074
【図２７Ｄ】
0005905003.tif 000075
【図２７Ｅ】
0005905003.tif 000076
【図２７Ｆ】
0005905003.tif 000077
【図２７Ｇ】
0005905003.tif 000078
【図２７Ｈ】
0005905003.tif 000079
【図１Ａ】
0005905003.tif 000080
【図１Ｂ】
0005905003.tif 000081
【図２】
0005905003.tif 000082
【図３】
0005905003.tif 000083
【図４】
0005905003.tif 000084
【図５】
0005905003.tif 000085
【図６】
0005905003.tif 000086
【図７】
0005905003.tif 000087
【図８】
0005905003.tif 000088
【図９】
0005905003.tif 000089
【図１０】
0005905003.tif 000090
【図１１】
0005905003.tif 000091
【図１２】
0005905003.tif 000092
【図１３】
0005905003.tif 000093
【図１４】
0005905003.tif 000094
【図１５】
0005905003.tif 000095
【図１６】
0005905003.tif 000096
【図１７】
0005905003.tif 000097
【図１８】
0005905003.tif 000098
【図１９Ａ】
0005905003.tif 000099
【図１９Ｂ】
0005905003.tif 000100
【図２０】
0005905003.tif 000101
【図２１Ａ】
0005905003.tif 000102
【図２１Ｂ】
0005905003.tif 000103
【図２１Ｃ】
0005905003.tif 000104
【図２２】
0005905003.tif 000105
【図２３−１】
0005905003.tif 000106
【図２３−２】
0005905003.tif 000107
【図２３−３】
0005905003.tif 000108
【図２３−４】
0005905003.tif 000109
【図２４−１】
0005905003.tif 000110
【図２４−２】
0005905003.tif 000111
【図２４−３】
0005905003.tif 000112
【図２６】
0005905003.tif 000113